(57)【要約】      （修正有）【課題】前後音の識別を可能とし、かつ明瞭で自然な聴音ができ、同時に両耳聴音においては頭内定位を解決したインナー型受話器と片耳聞音のみでも前後音の識別、上下前後にわたる音場が再生可能な受話器を提供する。【解決手段】発音体の音波放射方向を示す音波放射軸５１、５２を外耳道の一部側壁に向けて音波を放射する手段を用いた受話器とすることにより頭外定位と高音質な受話器が実現した。更に片耳用に複数の発音体５６、５７を備えて複数の音波放射軸５１、５２をそれぞれ外耳道壁の異なる所定部位に向けて音波を放射することにより片耳聴音でも前方音と後方音の識別が可能となり、インナー型サラウンドヘッドホンや聞きたい音が聞きやすい補聴器や聴診器等が可能となった。【選択図】図５ｂ
2013017150.tif 000002
【特許請求の範囲】
【請求項１】
外耳道壁の一部に音波を放射して外耳道壁に音波を反射させて鼓膜へ音波を到達させる方式の受話器。
【請求項２】
インナー型受話器であって外耳道壁の一部に音波を放射して外耳道壁に音波を反射させて鼓膜へ音波を伝達させることを特長としたインナー型受話器。
【請求項３】
インナー型受話器であって発音体ユニットの方向音波放射軸を外耳道壁に向けて音波を放射し外耳道壁に音波を反射させて鼓膜へ音波を到達させる方式の受話器。
【請求項４】
インナー型受話器に使用されるイヤーピースであってイヤーピース内の音導管の方向音波放射軸を外耳道壁の一部に向けて音波を放射するように音導管をイヤーピース内に配設したイヤーピース。
【請求項５】
請求項４のイヤーピースであって発音体を納めたハウジングの前面に突設した先端から音を放出する筒状の音導管をイヤーピース内の音導管とした受話器。
【請求項６】
インナー型受話器に使用されるイヤーピースであってイヤーピースの中心軸あるいはイヤーピースが挿入される外耳道近傍の外耳道中心線とイヤーピースの方向音波放射軸が平行とならないようにイヤーピース内の音導管を配置したイヤーピース
【請求項７】
インナー型受話器に使用するイヤーピースであってイヤーピースの先端が挿入される外耳道部位でイヤーピース内の音導管の方向音波放射軸を外耳道の前頭部側の側壁に向けて音波を放射するようイヤーピース内に音導管を配設したイヤーピース。
【請求項８】
インナー型受話器であって発音体を納めたハウジングと、該ハウジングの前面に突設した先端から音を放出する筒状の音導管の音波放射軸、あるいは該筒状の音導管に接続するイヤーピース内の音導管の方向音波放射軸をイヤーピースの先端が挿入される外耳道部位で外耳道の前頭部側の側壁に向けて音波を放射するようハウジング内に配設した方式のインナー型受話器。
【請求項９】
インナー型受話器に使用するイヤーピースであってイヤーピース内にＮ本（Ｎは２以上の自然数）の発音体ユニットに接続する音導管を備えその音導管のうち最短の長さの音導管の方向音波放射軸をイヤーピースの先端が挿入される外耳道部位で外耳道の前頭部側の側壁に向けて音波を放射するように配設したイヤーピース。
【請求項１０】
インナー型受話器に使用するイヤーピースであってイヤーピース内に第１音導管と第２音導管の２本の音導管を備え、第１音導管の方向音波放射軸をイヤーピースの先端が挿入される外耳道部位で外耳道の前頭部側の側壁に向けて音波を放射するようイヤーピース内に配設し第２音導管の方向音波放射軸をイヤーピースの先端が挿入される外耳道部位で外耳道の後頭部側の側壁に向けて音波を放射するようイヤーピース内に配設したイヤーピース。
【請求項１１】
インナー型受話器であってイヤーピース内にＮ本の音導管を備えそれぞれの音導管にＮ個の発音体ユニットを接続して、Ｎ本の音導管の方向音波放射軸をそれぞれ異なる外耳道壁あるいは同一外耳道壁であっても方向音波放射軸の外耳道壁入射角が異なるよう各発音体を配設することを特長としたインナー型受話器。
【請求項１２】
インナー型受話器であってハウジング内に複数の音導管発音体を有し最短の音導管を有する音導管発音体を直接音用としてイヤーピースの先端が挿入される外耳道部位で該直接音用音導管発音体の方向音波放射軸を外耳道の前頭部側の側壁に向けて音波を放射するようにハウジング内に配設し、直接音用音導管以上の長さでかつそれぞれ異なる長さの音導管の音導管発音体を間接音用とし、最短の音導管を有する音導管発音体以外の音導管発音体の方向音波放射軸をそれぞれ異なる外耳道壁部位へ向けることを特長としたインナー型受話器。
【請求項１３】
請求項１２のインナー型受話器を左右一組使用してステレオ用受話器とし、直接音用音導管発音体以外の音導管音発音体を直接音用音導管発音体と同側あるいは反対側の音声信号あるいは左右混合した音声信号で駆動することを特長としたインナー型受話装置。
【請求項１４】
インナー型受話器であってハウジング内に複数の音導管発音体を有し少なくとも１つの音導管発音体を直接音用音導管発音体としてイヤーピースの先端が挿入される外耳道部位で直接音用音導管発音体の方向音波放射軸を外耳道の前頭部側の側壁に向けて音波を放射するようにハウジング内に配設し、残りの音導管発音体を間接音用音導管発音体とし該間接音担当発音体ユニットの方向音波放射軸を外耳道のそれぞれ異なる外耳道壁部位の側壁に向けて音波を放射しかつ直接音用発音体ユニットより所定の遅延時間生成装置付きアンプで駆動することを特長としたインナー型受話装置。
【請求項１５】
請求項１４のインナー型受話装置を左右一組使用してステレオ用受話装置とし直接音用音導管発音体以外の音導管音発音体を直接音用音導管発音体と同側あるいは反対側の音声信号あるいは左右混合した音声信号で所定の遅延時間処理装置付きアンプにより駆動することを特長としたインナー型受話装置。
【請求項１６】
インナー型受話器であってイヤーピース内に第１音導管と第２音導管の２本の音導管を備え、第１音導管の方向音波放射軸はイヤーピースの先端が挿入される外耳道部位で外耳道の前頭部側の側壁に向けて音波を放射するようイヤーピース内に配設し第２音導管の方向音波放射軸はイヤーピースの先端が挿入される外耳道部位で外耳道の後頭部側の側壁に向けて音波を放射するようイヤーピース内に配設し、イヤーピースの第１音導管に第１発音体ユニットのハウジング音導管を接続しイヤーピースの第２音導管に第２発音体ユニットのハウジング音導管を接続した受話器。
【請求項１７】
請求項１６のインナー型受話器であって第１発音体をサラウンド信号の前方信号で駆動し第２発音体をサラウンド信号の後方音信号で駆動する前後音場受話器。
【請求項１８】
請求項１６のインナー型受話器左右一対そろえた４ｃｈインナー型サラウンドイヤーホン。
【請求項１９】
請求項１６のインナー型受話器であって第１発音体を収めた発音体ユニットのハウジング音導管を延長してイヤーピースの第１音導管の代用とし第２発音体を収めた発音体ユニットのハウジング音導管を延長して第２音導管の代用としたインナー型受話器。
【請求項２０】
インナー型受話器に使用するイヤーピースであって発音体のハウジング音導管と接続するイヤーピース内の音導管を主音導管としこの主音導管のハウジング音導管と接続していない他端をイヤーピース内で複数の分枝音導管に分岐しこの全ての分枝音導管の方向音波放射軸をイヤーピースの先端から外耳道壁に向けて音波を放射するようイヤーピース内に分枝音導管を配設したイヤーピース。
【請求項２１】
分枝音導管イヤーピースであって複数の分枝音導管音波放射軸が外耳道の異なる部位に音波を放射できるように配置するかあるいは各分枝音導管音波放射軸が同一外耳道壁部位であっても異なる方向音波放射軸の外耳道壁入射角で音波を放射するよう分枝音導管を配したことを特長とした分枝音導管イヤーピース。
【請求項２２】
分枝音導管イヤーピースであって最短の分枝音導管の音波放射軸をイヤーピースの先端が挿入される外耳道部位で外耳道の前頭部側の側壁に向けて音波を放射するようハウジング内に配設した分枝音導管イヤーピース。
【請求項２３】
インナー型受話器に使用するイヤーピースであってイヤーピース筒状部内の音導管の内側面の一部分あるいはハウジング音導管の内側面の一部に音波拡散器または音波反射器またはその両方の機能を持つ音波反射拡散器として突物を備えたイヤーピース。
【請求項２４】
インナー型受話器に使用するイヤーピースであってイヤーピース筒状部内の音導管がハウジング音導管と接続する管状の内腔形状からイヤーピース先端の音波放射口に向かって音導管の内腔形状をホーン形状としたイヤーピース。
【請求項２５】
インナー型受話器に使用するイヤーピースであって外耳道に挿入する管状部の音波を放射する先端の音波放射端面の管状部の一部を鼓膜側へ延出させた支片部を音波放射端面の前方（鼓膜側）に形成して備え、この部位に音波拡散器または音波反射器あるいはその両方の機能を備えた音波反射拡散器を備えることを特長としたイヤーピース。
【請求項２６】
インナー型ステレオヘッドホンであって左右のイヤーピース内に複数の長さの異なる音導管を備え、この複数の音導管とそれぞれ接続する複数の発音体ユニットのハウジング音導管のうち最短のイヤーピース内の音導管と接続したハウジング音導管の発音体ユニットを直接音用音導管としてイヤーピースの先端が挿入される外耳道部位で外耳道の前頭部側の側壁に向けて音波を放射するよう配設し、それ以外のイヤーピース内の音導管と接続したハウジング音導管音の発音体ユニットを間接音用とし、直接音用音導管と接続した発音体ユニットを駆動する音声信号と同側あるいは反対側の音声信号あるいは左右混合した音声信号で駆動することを特長としたインナー型受話器
【請求項２７】
インナー型ステレオヘッドホンであって左右それぞれのイヤーピース内に複数の音導管を配設し、該複数の音導管の内で１本の音導管の音導管放射軸をイヤーピースの先端が挿入される外耳道部位で外耳道の前頭部側の側壁に向けて音波を放射するよう配設し、該音導管と接続した発音体ユニットを直接音用とし残りのイヤーピース内の音導管と接続した発音体ユニットを間接音用発音体ユニットとし、それぞれの間接音用発音体ユニットに対応した異なる遅延時間処理回路を有するアンプで間接音用発音体ユニット駆動することを特長としたインナー型ステレオヘッドホン装置。
【請求項２８】
インナー型受話器に使用するイヤーピースであってイヤーピース筒状部内に第１多分岐音導管と第２多分岐音導管の２つの多分岐音導管を備え、第１多分岐音導管の内最短の分枝音導管の音波放射軸をイヤーピースが挿入される外耳道の前頭部側の外耳道側壁に向けて音波が放射されるようイヤーピース内に配置し、第２多分岐音導管の内最短の分枝音導管の音波放射軸をイヤーピースが挿入される外耳道の後頭部側の外耳道側壁に向けて音波が放射されるようイヤーピース内に配置することを特徴としたイヤーピース。
【請求項２９】
インナー型受話器の１つのハウジング内に第１多音波放射軸発音体ユニットと第２多音波放射軸発音体ユニットを配設し第１多音波放射軸発音体ユニットの内最短の分枝音導管の音波放射軸をイヤーピースが挿入される外耳道の前頭部側の外耳道側壁に向けて音波が放射されるようイヤーピース内に配置し、第２多音波放射軸発音体の内最短の分枝音導管の音波放射軸をイヤーピースが挿入される外耳道の後頭部側の外耳道側壁に向けて音波が放射されるようイヤーピース内に配置したインナー型受話器。
【請求項３０】
聴診器であって聴診器のステート部と、これに接続した音導チューブと、該音導チューブを左耳用音導チューブと右耳用音導チューブとの２本に分岐し分岐された２本のチューブの先端部分にそれぞれ前方音イヤーピース、あるいは遅延分枝音導管付きイヤーピースを接続した聴診器。
【請求項３１】
聴診器であって聴診器のステート部と、これに接続した音導チューブと、該音導チューブを左耳用音導チューブと右耳用音導チューブとの２本に分岐し、更に左耳用音導チューブを左耳用音導チューブ１と左耳用音導チューブ２の２本に分岐し、右耳用音導チューブを更に右耳用音導チューブ１、右耳用音導チューブ２の２本に分岐し、左耳用音導チューブ１は左の前後音イヤーピースの第１音導管あるいは左の遅延音導管付きイヤーピースの第１音導管と接続し、右耳用音導チューブ１は右の前後音イヤーピースの第１音導管あるいは右の遅延音導管付きイヤーピースの第１音導管と接続し、左耳用音導チューブ２は左の前後音イヤーピースの第２音導管あるいは左または右の遅延音導管付きイヤーピースのＤ１音導管と接続し、右耳用音導チューブ２は右前後音イヤーピースの第２音導管あるいは左耳用音導チューブ２が左遅延音導管付きイヤーピースのＤ１音導管と接続している場合は右遅延音導管付きイヤーピースのＤ１音導管と接続し左耳用音導チューブ２が右遅延音導管付きイヤーピースのＤ１音導管と接続している場合は左遅延音導管付きイヤーピースのＤ１音導管と接続した聴診器。
【請求項３２】
ステレオ聴診器であってチェストピースにおいて振動膜によって閉塞された収音部を形成するキャビティを中央で左右２分割に仕切り、各仕切られたそれぞれ２つのキャビティから突設した先端から音を放出する筒状の音導管を備え、左キャビティの音導管に音導チューブを接続して左用音導チューブとして左の前方音イヤーピースの音導管と接続し、右キャビティの音導管に音導チューブを接続して右用音導チューブとして右の前方音イヤーピースの音導管と接続したステレオ聴診。
【請求項３３】
ステレオ聴診器であってチェストピースにおいて振動膜によって閉塞された収音部を形成するキャビティを中央で左右２分割に仕切り、各仕切られたそれぞれ２つのキャビティから突設した先端から音を放出する筒状の音導管を備え、左キャビティの音導管に左用音導チューブを接続し、右キャビティの音導管に右用音導チューブを接続し、左用音導チューブを更に左前用音導チューブと左後用音導チューブの２本に分岐し同様に右耳用音導チューブを右前用音導チューブと右後用音導チューブの２本に分岐して分岐されたそれぞれの音導チューブの先端部分を左前用音導チューブは左の前後音イヤーピースの第１音導管あるいは左の遅延音導管付きイヤーピースの第１音導管に接続し右前用音導チューブは右の前後音イヤーピースの第１音導管あるいは右の遅延音導管付きイヤーピースの第１音導管と接続し、左後用音導チューブは左の前後音イヤーピースの第２音導管あるいは左または右の遅延音導管付きイヤーピースのＤ１音導管と接続し右後用音導チューブは右の前後音イヤーピースの第２音導管あるいは左後用音導チューブが左の遅延音導管付きイヤーピースのＤ１音導管と接続した場合は右の遅延音導管付きイヤーピースのＤ１音導管と接続し、左後用音導チューブが右の遅延音導管付きイヤーピースのＤ１音導管と接続した場合は左の遅延音導管付きイヤーピースのＤ１音導管と接続したステレオ聴診。
【請求項３４】
ステレオ聴診器であってチェストピースにおいて振動膜によって閉塞された収音部を形成するキャビティを中央で左右２分割に仕切り、各仕切られたそれぞれ２つのキャビティから突設した先端から音を放出する筒状の音導管を備え、左キャビティの音導管に音導チューブを接続して左用音導チューブとし、該左用音導チューブを更に左用音導チューブ１と左用音導チューブ１より長い左用音導チューブ２とに分岐し、左用音導チューブ１は左の前後音イヤーピースの第１音導管に接続し、左用音導チューブ２は右の前後音イヤーピースの第２音導管に接続するかあるいは左の前後音イヤーピースの第２音導管に接続し、右キャビティの音導管に音導チューブを接続して右用音導チューブとし、該右用音導チューブを更に右用音導チューブ１と右用音導チューブ１より長い右用音導チューブ２とに分岐し右用音導チューブ１は右の前後音イヤーピースの第１音導管に接続し右用音導チューブ２は、左用音導チューブ２が右の前後音イヤーピースの第２音導管に接続している場合は左の前後音イヤーピースの第２音導管に接続し、左用音導チューブ２が左の前後音イヤーピースの第２音導管に接続している場合は、右の前後音イヤーピースの第２音導管に接続した聴診器
【請求項３５】
聴診器であって４分割チェストピースと上下４５イヤーピースを使用し、４分割チェストピースの第１音導管を音導チューブで左上下４５イヤーピースの第１音導管に接続し、４分割チェストピースの第２音導管を音導チューブで左上下４５イヤーピースの第２音導管に接続し、４分割チェストピースの第３音導管を音導チューブで右上下４５イヤーピースの第２音導管に接続し、４分割チェストピースの第４音導管を音導チューブで右上下４５イヤーピースの第１音導管に接続した聴診器。
【請求項３６】
聴診器であって４分割４５チェストピースと上下前音イヤーピースを用い４分割４５チェストピースの第１キャビティの音導管に音導チューブを接続しこの音導チューブを２本に分岐させそれぞれを左耳用と右耳用の上下前音イヤーピースの第１音導管に接続し、第２キャビテの音導管と左の上下前音イヤーピースの第２音導管を音導管で接続し、第３キャビティの音導管に音導チューブを接続しこの音導チューブを２本に分岐させそれぞれを左耳用と右耳用の上下前音イヤーピースの第３音導管に接続し、第４キャビティの音導管と右の上下前音イヤーピースの第２音導管を音導管で接続した聴診器。
【請求項３７】
聴診器であって上下前後音イヤーピースを使用しかつ４分割４５チェストピースを使用して第１キャビティの音導管に接続した音導チューブを２つに分岐しそれぞれを左右の上下前後音イヤーピース第１音導管に接続し、第３キャビティの音導管に接続した音導チューブを２つに分岐し、分岐した音導管をそれぞれを左と右の上下前後音イヤーピース３音導管に接続し、第４キャビティの音導管に接続した音導チューブは右分枝音導チューブ１と右分枝音導チューブ１と同長あるいはより長い右分枝音導チューブ２の２本に分岐させ、同様に第２キャビティの音導管に接続した音導チューブも左分枝音導チューブ１と左分枝音導チューブ１と同長、あるいはより長い左分枝音導チューブ２の２本に分岐させ、それぞれ右分枝音導チューブ１は右の上下前後音イヤーピース第２音導管に接続し、左分枝音導チューブ１は左の上下第２音導管に接続し、右分枝音導チューブ２は左の上下前後音イヤーピース第４音導管に接続し、左分枝音導チューブ２は右の上下前後音イヤーピース第４音導管に接続するか、あるいは右分枝音導チューブ２を右の上下前後音イヤーピース第４音導管に接続し、左分枝音導チューブ２を左の上下前後音イヤーピース第４音導管に接続した聴診器。
【請求項３８】
電子聴診器であって聴診器のステート部に配置にされた集音マイクからの電気信号をアンプで増幅して左右の前方定位受話器を駆動することを特徴とする電子聴診器。
【請求項３９】
電子聴診器であって前後音場受話器を使用し聴診器のステート部に配置にされた集音マイクからの電気信号をアンプで増幅して左右の前方発音体ユニットを駆動し、同時に集音マイクからの出力を所定の遅延時間処理装置付きアンプに入力しその出力で右と左の前後音場受話器の後方発音体ユニットを駆動することを特徴とする電子聴診器。
【請求項４０】
ステレオ電子聴診器であってチェストピースにおいて振動膜によって閉塞された収音部を形成するキャビティを中央で左右２分割に仕切り、各仕切られた左キャビティ内に左用マイクを配置して該左マイクからの電気信号をアンプで増幅して左の前方定位受話器を駆動し、右キャビティ内に右用マイクを配置し該右マイクからの電気信号をアンプで増幅して右の前方定位受話器を駆動することを特徴とするステレオ電子聴診器。
【請求項４１】
ステレオ電子聴診器であって前後音場受話器を使用しチェストピースにおいて振動膜によって閉塞された収音部を形成するキャビティを中央で左右２分割に仕切り、各仕切られた左キャビティ内に左用マイクを配置して該左マイクからの電気信号をアンプ１で増幅して左の前方発音体ユニットを駆動し、右キャビティ内に右用マイクを配置し該右マイクからの電気信号をアンプ２で増幅して右の前方定位受話器を駆動し、同時に左用マイクからの電気信号を所定の遅延時間処理装置付きアンプ１に入力し、右マイクからの電気信号を所定の遅延時間処理装置付きアンプ２へ入力し、遅延時間処理装置付きアンプ１の出力を右後方発音体ユニットあるいは左後方発音体ユニットへ出力し、遅延時間処理装置付きアンプ２の出力を遅延時間処理装置付きアンプ１が右後方発音体ユニットへ出力している場合は左後方発音体ユニットへ出力し、遅延時間処理装置付きアンプ１が左後方発音体ユニットへ出力している場合は右後方発音体ユニットへ出力することを特徴とするステレオ電子聴診器。
【請求項４２】
電子聴診器であって上下４５受話器と密閉４分割チェストピースを使用し第１キャビティ内に第１マイク、第２キャビティ内に第２マイク、第３キャビティ内に第３マイク、第４キャビティ内に第４マイクを配置し第１マイクからの電気信号を第１増幅器で増幅して左用上下４５受話器の第１発音体ユニットを駆動し、第２マイクからの電気信号を第２増幅器で増幅して左用上下４５受話器の第２発音体ユニットを駆動し、第３マイクからの電気信号を第３増幅器で増幅して右用上下４５受話器の第２発音体ユニットを駆動し、第４マイクからの電気信号を第４増幅器で増幅して右用上下４５受話器の第１発音体ユニットを駆動することを特長とした電子聴診器。
【請求項４３】
電子聴診器であって上下前音場受話器と密閉４分割４５チェストピースを使用し第１キャビティ内に第１マイク、第２キャビティ内に第２マイク、第３キャビティ内に第３マイク、第４キャビティ内に第４マイクを配置し第１マイクからの電気信号を第１増幅器で増幅して右用上下前音場受話器の第１発音体ユニットと左用上下前音場受話器の第１発音体ユニットを駆動し、第２マイクからの電気信号を第２増幅器で増幅して左用上下前音場受話器の第２発音体ユニットを駆動し、第３マイクからの電気信号を第３増幅器で増幅して右用上下前音場受話器の第３発音体ユニットと左用上下前音場受話器の第３発音体ユニットを駆動し、第４マイクからの電気信号を第４増幅器で増幅して右用上下前音場受話器の第２発音体ユニットを駆動することを特長とした電子聴診器。
【請求項４４】
電子聴診器であって上下前後音場受話器と密閉４分割４５チェストピースを使用しかつ遅延装置を使用し第１キャビティ内に第１マイク、第２キャビティ内に第２マイク、第３キャビティ内に第３マイク、第４キャビティ内に第４マイクを配置し第１マイクからの電気信号を第１増幅器で増幅して発音体駆動装置１により左右の上下前後音場受話器の第１発音体ユニットを駆動し、第３マイクからの電気信号を第３増幅器で増幅して発音体駆動装置３により左右の上下前音場受話器の第３発音体ユニットを駆動し、第２マイクからの電気信号を第２増幅器で増幅して左発音体駆動装置２で左第２発音体ユニットを駆動し、同時に第２増幅器の出力信号を所定の遅延時間処理装置付きアンプ１にも入力し、遅延時間処理装置付きアンプ１の出力信号を右発音体駆動装置４に入力して右発音体駆動装置４で右第４発音体ユニットを駆動し、第４マイクからの電気信号を第４増幅器で増幅して右発音体駆動装置２にて右第２発音体を駆動し、同時に第４増幅器の出力信号を所定の遅延時間処理装置付きアンプ２にも入力し、遅延時間処理装置付きアンプ２の出力信号を左発音体駆動装置４へ入力して左発音体駆動装置４で左第４発音体ユニットを駆動する。
【請求項４５】
補聴器であって前方マイクと後方マイクと前後音場受話器を備え、前方マイクの出力信号を補聴処理する補聴処理手段１と後方マイクの出力信号を補聴処理する補聴処理手段２と電池とを備え、補聴処理手段１の出力信号で前後音場受話器の前方発音体ユニットを駆動し補聴処理手段２の出力信号で前後音場受話器の後方発音体ユニットを駆動することを特長とした補聴器。
【請求項４６】
耳掛式補聴器であって耳輪後方に装着する筐体内あるいはその上部あるいはその近傍に前方マイクの集音軸を矢状面に対して０度より大きくかつ９０度より小さな角度で配設し、後方マイクの集音軸を矢状面に対して９０度より多くかつ１８０度より小さい角度で配設し、筐体内に前方マイクの出力信号を補聴処理する補聴処理手段１と後方マイクの出力信号を補聴処理する補聴処理手段２と前方発音体ユニットと後方発音体ユニットと電池を備え、補聴処理手段１の出力信号で前方発音体ユニットを駆動し、補聴処理手段２の出力信号で後方発音体ユニットを駆動し、前方発音体ユニット及び後方発音体ユニットにそれぞれ接続した音導管にて音波を筐体より導出し該音導管の先端部に前後音イヤーピースを装着し該前後音イヤーピースの先端が挿入される外耳道において前方発音体に接続された音導管の方向音波放射軸を外耳道の前頭部側の外耳道側壁に向けて音波を放射し、後方発音体に接続された音導管の方向音波放射軸を外耳道の後頭部側の外耳道側壁に向けて音波を放射するよう配設することを特長とした耳掛式補聴器。
【請求項４７】
耳掛式補聴器であって耳輪後方に装着する筐体内あるいはその上部あるいはその近傍に前方マイクの集音軸を矢状面に対して０度より大きくかつ９０度より小さな角度の範囲内の角度で配設し、後方マイクの集音軸を矢状面に対して９０度より多くかつ１８０度より小さい角度で配設し、前方マイクの出力信号を補聴処理する補聴処理手段１と後方マイクの出力信号を補聴処理する補聴処理手段２と電池とを備え、補聴処理手段１と補聴処理手段２の出力信号を信号線で前後音場受話器に接続し、該出力信号のうち補聴処理手段１の出力信号で前後音場受話器の前方発音体ユニットを駆動し、補聴処理手段２の出力信号で前後音場受話器の後方発音体ユニットを駆動する耳掛式補聴器。
【請求項４８】
耳穴式補聴器であって前方発音体ユニットと後方発音体ユニットとをケース内に備え、ケ−スより耳甲介中央から対輪方向へ延出した支片部を形成し、該支片部に前方マイクのマイク集音軸を矢状面に対して０度より大きく９０度より小さい範囲内の角度で配設し、後方マイクの集音軸を矢状面に対して９０度より大きく１８０度より小さい範囲内の角度で配設しかつ耳珠対対珠対輪稜線面を通過するよう該支片部に配置するかあるいは本体ケースに配置し、前方マイクの出力信号を補聴処理する補聴処理手段１と後方マイクの出力信号を補聴処理する補聴処理手段２と電池とを備え、補聴処理手段１の出力信号で前方発音体ユニットを駆動し、補聴処理手段２の出力信号で後方発音体ユニットを駆動し、外耳道内に挿入されるケースの先端の音波放射口から前方発音体ユニットの方向音波放射軸を外耳道側壁の前頭部側に向けて音波を放射するように配設し、後方発音体ユニットの方向音波放射軸は外耳道の外耳道側壁の後頭部側に向けて音波を放射するように配設した耳穴式補聴器。
【請求項４９】
耳穴式補聴器であって前方発音体ユニットと後方発音体ユニットとをケース内に備え、前方マイクのマイク集音軸を耳甲介中央近傍から対輪方向に向けてかつ耳珠対対珠対輪稜線面を通過しないようにケース本体に配置し、後方マイクはマイクの集音軸が矢状面に対して９０度より大きく１８０度より小さい角度でかつ耳珠対対珠対輪稜線面を通過するようケースに配置し、前方マイクの出力信号を補聴処理する補聴処理手段１と後方マイクの出力信号を補聴処理する補聴処理手段２と電池とをケース内に備え、補聴処理手段１の出力信号で前方発音体ユニットを駆動し、補聴処理手段２の出力信号で後方発音体ユニットを駆動し、外耳道内に挿入されるケースの先端の音波放射口から前方発音体ユニットの方向音波放射軸を前頭部側の外耳道側壁に向けて音波を放射するように配設し、後方発音体ユニットの方向音波放射軸は外耳道の後頭部側の外耳道側壁に向けて音波を放射するように配設した耳穴式補聴器。
【請求項５０】
ディープカナル（ｃｏｍｐｌｅｔｅｌｙ−ｉｎ−ｔｈｅ−ｃａｎａｌ略してＣＩＣ）型補聴器であって前方発音体ユニットと後方発音体ユニットとをケース内に備え、前方マイクは前方マイク集音軸を耳珠内側面または耳甲介中央近傍から対輪までの耳甲介の領域方向に向けてかつ耳珠対対珠対輪稜線面を通過しないようにケースに配置し、後方マイクは後方マイクの集音軸を矢状面に対して９０度より大きく１８０度より小さい範囲内の角度でかつ耳珠対対珠対輪稜線面を通過する方向に配置するかあるいは後方マイク集音軸を耳珠基底部から外耳道口周囲に連なる部位に向けてケースに配置し、前方マイクの出力信号を補聴処理する補聴処理手段１と後方マイクの出力信号を補聴処理する補聴処理手段２と電池とを備え、補聴処理手段１の出力信号で前方発音体ユニットを駆動し、補聴処理手段２の出力信号で後方発音体ユニットを駆動し、外耳道内に挿入されるケースの先端の音波放射口から前方発音体ユニットの方向音波放射軸を前頭部側の外耳道側壁に向けて音波を放射するように配設し、後方発音体ユニットの方向音波放射軸は外耳道の後頭部側の外耳道側壁に向けて音波を放射するように配設したＣＩＣ型補聴器。
【発明の詳細な説明】
【発明の詳細な説明】
【技術分野】
【０００１】本発明はインナー型受話器のイヤーピース及びインナー型受話器に関し、例えばイヤホン、ヘッドホン、サラウンドヘッドホン、ノイズキャンセリングヘッドホン、携帯型ゲーム機、３Ｄゲーム機用受話器、３Ｄテレビ用受話器、移動通信機器、航空機シュミレーターや戦闘機の戦闘シュミレーター、補聴器、電子聴診器を含む聴診器、航空機内で使用する音響機器、携帯型音響機器などに好適なものである。
【背景技術】
【０００２】受話器は音を聴くための多くの聴音機器に使用されている。耳に被すようにつくられた覆いの中に受話器を組み込んだものがヘッドホンであり、受話器自体を耳穴に直接差しこむ栓状のものがイヤホンやインナー型受話器である。携帯電話などの電話機器、マイクから集音した音を電気的に増幅した後に受話器によって集音した音情報を鼓膜つたへる補聴器などにも使用されている。受話器はスピーカーなどの発音体をハウジングに収め、耳介や外耳道口や外耳道内へ発音体の音波を放射して使用する。インナー型受話器使用においてはイヤーピースが必要となる。ヘッドホンにおいては耳介機能を活用した文献が散見されている。
【先行技術文献】
【特許文献】
【０００３】
【特許文献１】特開２０１０−２８７９２７
【特許文献２】特開２０１０−２６８０３８
【特許文献３】特開２００６−２２２９６２
【特許文献４】特開２００５−１１７５９４（特許公開２００６−２４６４１５）
【発明の開示】
【発明が解決しようとする課題】
【０００４】従来のインナー型受話器での片耳聴音（片方の耳だけで聞く聴音、単耳聴音とも言う）は不明瞭かつ不自然であり、ヘッドホンやイヤホン、イヤホン使用の電話（携帯電話も含む）、ことに補聴器においては不自然な聴音のため使用困難な人も存在している。両耳聴音においても音が頭の中で鳴ってしまう頭内定位の問題がいまだ解決されたとは言えない。また上方向からの音と下方向からの音の識別可能な受話器も提示されていない。【０００５】頭内定位解決のため［特許文献３］と［特許文献４］が公開されている。
また従来の補聴器は片耳聴音に関しては聞きたい音と聞きたくない音を聞き分けることが困難となる問題点があった。
本願の目的は片耳聴音のみでも前後にわたる音場を再生可能とするインナー型受話器を使用することで前後音の識別を可能とし、かつ明瞭で自然な聴音ができ、同時に両耳聴音においては頭内定位を解決したインナー型受話器と片耳聞音のみでも前後音の識別、上下前後にわたる音場が再生可能な受話器と該受話器を活用した聴診器や聞きたい音だけが聞きやすい補聴器を提示することにある。
【課題を解決するための手段】
【０００６】本発明のインナー型受話器に使用する発音体とはスピーカーまたはその他の電気音響変換素子または聴診器においてはチェストピースの振動膜あるいはドーム型の閉塞された収音部を形成するキャビティから突設した先端から音を放出する略筒状の音導管に接続した音導チューブの他端の音波放射口をもチェストピース型発音体としてこれをも含むこととする。【０００７】発音体を収めたハウジングに設けられた音波放射用の略筒状の音導管をハウジング音導管と称し、ハウジング音導管を有するハウジングに収めた発音体を発音体ユニットと称することとする。以下で述べるイヤーピースとは、このハウジング音導管に嵌合する管あるいは音導管を埋設した筒状部を有するイヤーピースのことであり、筒状部の一端側に連結し筒状部の外側にそれを覆うように傘状に延在する傘状部を有しても良い。特に指定のない場合は本願イヤーピースや受話器の横断面図は全て上から見た横断面図であり正面図とは鼓膜側から見た正面図を示す。【０００８】音波放射軸について図１（ａ）で発音体としてスピーカーを用いた例で示すと音電気信号を音波に変換する発音体１０の中心と発生音波の進行方向での音波の中心とを結ぶ軸を音波放射軸１１と称し、矢印は音波の進む方向を示す。また発音体ユニットに音導管を接続する場合、発音体と接続する音導管の他端の音波を放射する音導管の断面を音波放射断面（ｂ）１２と称し、１つの音導管を１つの発音体ユニットに接続した複合体を以後音導管発音体と称する。図１（ｂ）の１３は音導管を曲げた場合の音導管発音体の音波放射軸を示し音波放射断面の中心から音波放射断面に対して垂直な軸となる。解りやすくするためハウジング音導管と接続した管状部外周のイヤーピースの傘状部部位を除去した図である。１４は発音体ユニット、１７はハウジング音導管と接続した音導管、１９はハウジング音導管を示す。【０００９】図１（ｃ）は本願発明の一部であるインナー型受話器の一例の概略横断面図である。インナー型受話器においてハウジング音導管と嵌合接続する（以後単に接続と称する）イヤーピース筒状部内の音導管図１（ｃ）１６を備えるインナー型受話器においては、ハウジング音導管１５とイヤーピース筒状部内の音導管、あるいはハウジング音導管に接続された音導管は機能として同じであるため以後これらを共に管内音導管と総称することとする。管内音導管の音波放射断面１２の中心から発生音波の進行方向での音波の中心とを結ぶ軸を音導管音波放射軸１３と称し図１（ｃ）において１８で示す。矢印は音波の進む方向を示す。以後音波放射軸と音導管音波放射軸との両方は共に音波放射方向を示すためこの両方を方向音波放射軸と総称することとする。【００１０】図２は外耳道面での頭部横断面図を示す。図２（ａ）はイヤーピースの先端が挿入された外耳道部位２３の外耳道の中心軸２１あるいは従来のインナー型受話器２６の外耳道に挿入するイヤーピースの中心軸２２（ｂ）を示し２４は耳珠、２５は耳介である。本願発明の中心事項はインナー型受話器が外耳道に挿入されている部位での外耳道の中心軸とこのインナー型受話器の発音体ユニットの方向音波放射軸とが平行とならないように図３（ａ）の３０１、図３（ｂ）の３０２で示す発音体ユニットの方向音波放射軸を外耳道壁の一部に向けて音波を放射する構造とする。３０６は管内音導管である。【００１１】発音体ユニットの方向音波放射軸を外耳道壁の一部に向けて音波を放射すると放射された外耳道壁の部位の違いによって鼓膜への音波の伝達の仕方に違いが生じ、この違いが音情報の１つである音の到来方向の情報となることが判明した。即ち外耳道壁の異なる部位へ方向音波放射軸を向けて音波を放射すると異なる方向からの到来音波として知覚することが出来き、かつ音質の向上も達成されていることが判明した。これは新たな外耳道機能の発見である。音波を一旦外耳道壁に反射させると音波が効率よく鼓膜へ到達され音質の向上が生じたと想定される。【００１２】図３は外耳道における頭部横断面図である。（ａ）に示す様にインナー型受話器においてイヤーピースの先端が外耳道に挿入されている状態で発音体ユニットの方向音波放射軸３０１を外耳道の前頭部側の側壁３０３に向けて音波を放射すると前方音として、図３（ｂ）に示す様に発音体ユニットの方向音波放射軸３０２を外耳道の後頭部側の側壁３０４に向けて音波を放射すると後方音として知覚できる。図３の３０５は外耳道中心軸である。図４は頭部の外耳道部での縦断面図であり、（ａ）の様に方向音波放射軸４０２を外耳道の上面４０４に向けて音波を放射すると上方向からの音として、図４（ｂ）の様に方向音波放射軸４０１を外耳道の下面４０３に向けて音波を放射すると下方向からの音として知覚されることが判明した。４０５と４０６は管内音導管、４００は耳介を示す。
ここで言う外耳道の前頭部側の側壁とは外耳道の鼻側がわの側壁のことであり外耳道の後頭部側の側壁とは外耳道の後頭部がわの側壁のことである。【００１３】従って発音体ユニットの方向音波放射軸を所定の外耳道壁部位へ向けて音波を放射させるように管内音導管を配設したイヤーピースを使用したインナー型受話器の構造であれば所望の方向から到来した音として聴取できるインナー型受話器が提供可能となる。従って外耳道に音導管を挿入して音波を鼓膜へ伝達する聴音装置において管内音導管の方向音波放射軸を所定の外耳道壁に向けて音波を放射すれば所望の方向から到来した音として聴取できる聴音装置や受話器を提供できる。【００１４】このように発音体ユニットの方向音波放射軸を外耳道壁の一部に放射することにより到来音の方向が認知されかつ頭外定位し、しかも立ち上がりの良い高音質な聴音が可能となる効果が得られ、更に頭内定位よりも前方定位させる方が広い空間の音場で聴けるため定位分解能が高まる効果も得られる。【００１５】イヤーピース内の音導管の方向音波放射軸がイヤーピースの先端が挿入される外耳道部位で外耳道の前頭部側の側壁に向けて音波を放射するようイヤーピース内に音導管を配設したイヤーピースを前方音イヤーピースと称することとする。【００１６】前方音イヤーピースに発音体ユニットを接続した受話器を以後前方定位受話器と称し、これを左右一組使用すれば前方定位したステレオ用インナー型受話器となる。イヤーピース内の音導管ではなくてハウジング音導管を延長して前方音イヤーピース内の音導管の代用としても同様な効果が得られる。またヤーピース内の音導管の方向音波放射軸をイヤーピースの先端が挿入される外耳道部位で外耳道の後頭部側壁に向けて音波を放射するようイヤーピース内の音導管を配設したイヤーピースを後方音イヤーピースと称し、後方音イヤーピースに発音体ユニットを接続した受話器を以後後方定位受話器と称する。前方定位受話器と後方定位受話器を備えた受話器とすれば前後の音場が再生可能となる。【００１７】イヤーピースを使用する受話器においてイヤーピース内に第１音導管と第２音導管の２本の音導管を備え、第１音導管の方向音波放射軸をイヤーピースの先端が挿入される外耳道部位で外耳道の前頭部側の側壁に向けて音波を放射するようイヤーピース内に配設し、第２音導管の方向音波放射軸をイヤーピースの先端が挿入される外耳道部位で外耳道の後頭部側の側壁に向けて音波を放射するようイヤーピース内に配設したイヤーピースを前後音イヤーピースと称し、第１発音体を収めた発音体ユニットを第１発音体ユニットとし、第１発音体ユニットのハウジング音導管と第１音導管を接続し、第２発音体を収めた発音体ユニットを第２発音体ユニットとし、第２発音体ユニットのハウジング音導管と第２音導管を接続した受話器とすれば前後の識別が可能な前後の音場再生受話器となる。これを以後前後音場受話器と称する。この場合第１発音体ユニットは前方音担当用発音体ユニットであり第２発音体ユニットは後方音担当用発音体ユニットとなる。以後前方音を担当する発音体ユニットを前方発音体ユニットと称し、後方音を担当する発音体ユニットを後方発音体ユニットと称することとする。【００１８】上記イヤーピース内の第１音導管と第２音導管ではなくて発音体ユニットのハウジング音導管を延長してイヤーピース内の第１音導管あるいは第２音導管の代用としても同様な効果が得られる。イヤーピース内の第２音導管を第１音導管より長くし、第２音導管に接続した発音体ユニットからの音波を遅延させて鼓膜へ到達させれば第２音導管から放射される音波で間接音効果が得られ、前方定位がより明確となり分解能が向上する。
例えば第２音導管の一部をコイル状とするのも遅延時間を確保するのに有効である。【００１９】この前後音場受話器を使用すれば片側の耳のみ受話器を使用して音を聞く片耳聞音においても前後の音場が再生可能な受話器となる。図５（ａ）は右耳用の前後音場受話器の正面図で５８は前方音の音波放射口、５９は後方音の音波放射口を示す。図５（ｂ）は右耳用の前後音場受話器の横断面図である。５４は前方音用管内音導管、５５は後方音用管内音導管、５６は前方発音体ユニット、５７は後方発音体ユニットである。図５（ａ）は前後音場受話器の外耳道における装着横断面図である。５０６は外耳道中心軸、５０７は耳珠、５０８は対輪、５０４は前方音用管内音導管、５０５は後方音用管内音導管である。【００２０】この前後にわたる音場を再生できる前後音場受話器を左右一対備えればサラウンド再生が可能なインナー型受話器となる。【００２１】図４の外耳道での縦断面で示す様に図４（ａ）の発音体の方向音波放射軸４０２をイヤーピースの先端が挿入される外耳道部位で外耳道の上壁４０４に向けて音波を放射する発音体ユニットを使用した方式の受話器を以後上方定位受話器と称し図４（ｂ）の様に発音体の方向音波放射軸４０１をイヤーピースの先端が挿入される外耳道部位で外耳道の下壁４０３に向けて音波を放射する発音体ユニットを使用した方式の受話器を以後下方定位受話器と称することとする。
前後音場受話器にこの上方定位受話器と下方定位受話器を構成する２種類の発音体ユニットを加えれば上下前後音場を聞き分けることが可能となる。【００２２】図８に示すイヤーピースはイヤーピース筒状部８０６内に第１音導管８５と第２音導管８６と第３音導管８７と第４音導管８８の４本の音導管を配置した右耳用イヤーピースと該４本の音導管に４個の発音体ユニットを接続した概略図であって第１音導管の音導管音波放射軸を外耳道の上壁へ向け、第２音導管の音導管音波放射軸を外耳道の前頭部側の側壁へ向け、第３音導管の音導管音波放射軸を外耳道の下壁へ向け、第４音導管の音導管音波放射軸を外耳道の後頭部側の側壁へ向けて該４本の音導管を配置した筒状部の構成を有するイヤーピースを示し、このイヤーピースを以後上下前後音イヤーピースと称することとし、第１音導管に上方音用発音体を納めた第１発音体ユニット８４に接続し、第２音導管に前方発音体を収めた第２発音体ユニット８１を接続し第３音導管に下方音用発音体を収めた第３発音体ユニット８３を接続し第４音導管に後方発音体を収めた第４発音体ユニット８２を接続した受話器とすれば上下前後方向からの到来音の方向を識別可能な受話器となる。以後この受話器を上下前後音場受話器と称する。【００２３】またイヤーピース筒状部内の音導管ではなくて発音体ユニットのハウジング音導管を延長して第１音導管あるいは第２音導管あるいは第３音導管あるいは第４音導管の代用としても同様な効果が得られる。【００２４】上下前後音イヤーピースの第４音導管とこれに接続する後音用発音体ユニットを省略して簡素化したイヤーピースを上下前音イヤーピースと称し図２５（ａ）に右耳用の上下前音イヤーピースの概略斜視図を示す。イヤーピース筒状部内に第１音導管２５０１と第２音導管２５０２と第３音導管２５０３の３本の音導管を配置し第１音導管の音導管音波放射軸を外耳道の上壁へ、第２音導管の音導管音波放射軸を外耳道の前頭部側の側へ、第３音導管の音導管音波放射軸を外耳道の下壁へ向けて３本の音導管をイヤーピース筒状部に配置したイヤーピースとし第１音導管に上方音用発音体を納めた発音体ユニット２５０４を接続し第２音導管に前方発音体を納めた発音体ユニット２５０５を接続し第３音導管に下方音用発音体を納めた発音体ユニット２５０６を接続した受話器とすれば上下前方向からの到来音の方向を識別可能な右耳用上下前音受話器となる。（ｂ）は左耳用上下前音受話器を示す。これらの受話器を以後上下前音場受話器と称する。またイヤーピース筒状部内の音導管ではなくてそれぞれの発音体ユニットのハウジング音導管を延長してイヤーピースの第１音導管あるいは第２音導管あるいは第３音導管の代用としても同様な効果が得られる。以後前方発音体を収めた発音体ユニットを前方発音体ユニットと称し、後方発音体を収めた発音体ユニットを後方発音体ユニットと称することとする。【００２５】以下で述べる直接音とは聞きたい音の音波発生源から最短時間で耳に入力される音のことであり間接音音とは音波発生源からの音波が周囲の環境物体で一旦反射した後に直接音より長い時間を経過して耳に入力される音のことである。【００２６】インナー型受話器において１つのイヤーピースの筒状部内にＮ本（Ｎは２以上の整数）の音導管を備えこのイヤーピース内のＮ本の音導管の有する方向音波放射軸の外耳道側壁に対する入射角度をそれぞれ変えてそれぞれの音導管に対応したＮ個の発音体ユニットを接続することによりイヤーピース筒状部内の音導管数と同数の異なる方向からの音源方向情報を鼓膜に入力させることが可能となる。即ちＮ方向の識別可能なＮチャンネル受話器となる。図６にＮ＝３の場合の右耳用前方３チャンネル受話器の一例の概略横断面を示す。６０１は第１チャンネル用発音体ユニットを示し、６０２は第２チャンネル用発音体ユニットと６０３は第３チャンネル用発音体ユニットであり、６０４と６０５と６０６は方向音波放射軸を示し、６０７はイヤーピース傘状部、６１１はＮ１の音導管、６１２はＮ２の音導管、６１３はＮ３の音導管を示す。【００２７】このＮ本の音導管の内の最短の音導管に接続した発音体ユニットを直接音用とし他の発音体ユニットを間接音用とすれば前方定位した高音質な臨場感に富む音が受聴できる。直接音担当の発音体ユニットの音導管放射軸はイヤーピースが外耳道に前頭部側の側壁に向けて音波を放射するようイヤーピース内に配設する。自然な聴音においては聞きたい直接音とその他の無数の間接音が上下左右前後の多数の方向から到来してその音が鼓膜に入力されているのでＮの数を増加させればより自然な聴音に近づけることが可能となる。【００２８】この複数発音体ユニットのうちイヤーピース内の最短の音導管と接続した発音体ユニットを直接音担当の発音体ユニットとし、最短の音導管以外の音導管と接続した発音体ユニットを間接音担当の発音体ユニットとする。間接音担当発音体ユニットは直接音用発音体ユニットを駆動する音声信号を所定の時間遅延させた音声信号で駆動すればより高音質な受話器となる。遅延時間の生成には間接音担当発音体ユニットと接続する音導管の長さを種々の長さとするかまたは遅延時間生成装置付きアンプで所定の遅延時間を生成して間接音用発音体ユニットを駆動すれば良い。以下で述べる遅延処理装置とは電気信号の信号レベルを調節した後に所定時間遅延させる装置のことである。また受話装置とは受話器とこれを駆動するアンプを含めた装置のこととする。【００２９】１例を図９のブロック図で示すとステレオ構成において右あるいは左チャンネルの音声信号を直接音として音声信号１とすると図９（ａ）は間接音用のＮ個の異なる遅延処理装置付きアンプの入力信号を音声信号１とした場合を示し、図９（ｂ）は右チャンネルが直接音の音声信号１とした場合は左チャンネルを音声信号２とし、左チャンネルを音声信号１とした場合は右チャンネルを音声信号２としてＮ個の間接音用の異なる遅延処理装置付きアンプの入力信号を音声信号２とした場合を示す。この様な構成アンプによってより自然な聴音が可能なステレオヘッドホンとなる。人は聴音において環境状況により反射された間接音が時間差を持って左右両耳にも入力しているはずであるからである。Ｎは自然数である。【００３０】前方発音体とは聴音時に前方から到来する音源の聴音用音波放射を担当する発音体のこととし、後方発音体とは聴音時に後方から到来する音源の聴音用音波放射を担当する発音体のこととする。
同様に上方発音体とは聴音時に上方向から到来する音源の聴音用音波放射を担当する発音体のこととし、下方発音体とは聴音時に下方向から到来する音源の聴音用音波放射を担当する発音体のこととする。【００３１】１つの発音体ユニットに複数の音導管を接続して複数の音導管の音波放射軸を形成するか又は図１０に示す様に１つの発音体ユニットに１本の音導管を接続しこれを主音導管１０１と称し、この主音導管を更に複数に分岐し、この分岐した音導管を分枝音導管１０２と称すると分枝音導管も音導管であるため、それぞれの分枝音導管の音波放射軸はそれぞれ独立した１つの音波放射軸としての機能を有することが判明した。１０４は発音体ユニット、１０５はハウジング音導管を示す。図１０で示す様に複数の分枝音導管の方向音波放射軸は交差させた後に標的とする外耳道壁へ音波を放射させるように配設しても良い。【００３２】以後この分枝音導管の音波放射軸を分枝音導管音波放射軸１０３と称し、主音導管と分枝音導管とを含めて多分岐音導管と称することとし、この多分岐音導管をイヤーピース筒状部内に備えたイヤーピースを分枝音導管イヤーピースと称することとする。イヤーピース筒状部内の音導管ではなくてハウジング音導管１０５を延長して多分岐音導管の代用としても同様な効果が得られる。【００３３】分枝音導管の長さを同じ長さとしても明瞭な聴音が出来るが分枝音導管の長さをそれぞれ異なる長さとした場合、分枝音導管のうち最短の分枝音導管は直接音用として分枝音導管音波放射軸をイヤーピースの先端が挿入される外耳道部位で外耳道の前頭部側の側壁に向けて配置させ、その他の分枝音導管音波放射軸を間接音用としてそれぞれ異なる外耳道壁に向けるよう配置すればより自然な音の前方音として聴音が可能となる。該分枝音導管と主音導管を含めて前方音用分枝音導管イヤーピースと称することとする。【００３４】分枝音導管イヤーピースを使用することで１つの発音体ユニットからでも分枝音導管の長さを変えることで１つの直接音と多数方向からの間接音を鼓膜へ入力させることが可能となる。以後複数の分枝音導管を持つ主音導管に接続した発音体ユニットを多音波放射軸発音体ユニットと称する。図７（ａ）に３本の分枝音導管の例の概略図を示す。（ａ）は横断面図で（ｂ）は鼓膜側から見た正面図である。７１は主音導管、７３と７４は７２の直接音用分枝音導管に対して遅延時間を持たせた間接音効果を有する分枝音導管である。従って１つの多音波放射軸発音体ユニットを受話器として使用することであたかも分枝音導管と同数の発音体ユニットで構成された音波放射軸を有する受話器と同様に多方向から到来する多数の音波情報を鼓膜へ入力伝達が可能となる。【００３５】分枝音導管の長さを同じ長さとしても明瞭な聴音が出来るが分枝音導管の長さをそれぞれ異なる長さとした場合、分枝音導管のうち最短の分枝音導管は直接音用として分枝音導管音波放射軸をイヤーピースの先端が挿入される外耳道部位で外耳道の後頭部側の側壁に向けて配置させ、その他の分枝音導管音波放射軸を間接音用としてそれぞれ異なる外耳道壁に向けるよう配置、該分枝音導管とこれに接続した主音導管を含めて後方音用分枝音導管イヤーピースと称することとする。【００３６】またこの分枝音導管のそれぞれの長さを変えることにより分枝音導管を有しない発音体ユニットと比べて多方向から、かつ多数の遅延時間を経て放音する音波放射軸が生成されるためこの多音波放射軸発音体ユニットを使用した受話器とすれば多数の間接音をも含めて聴音できる結果として立体的で立ち上がりの良い高音質な音を受聴出来る効果が生じる。【００３７】以後長さの異なる分枝音導管を持つイヤーピースを遅延分枝音導管付きイヤーピースと称し図３１（ａ）に右耳用で分枝音導管の一部をコイル状としたより長い遅延時間を生成する遅延分枝音導管付きイヤーピースの概略図を示す。３１０１は発音体ユニットとの接続口を示し、３１０３は直接音音波放射口、３１０４は間接音音波放射口を示す。【００３８】イヤーピース内の最短の音導管を第１音導管とし、該第１音導管より長いＮ本（Ｎは自然数）の長さの異なる遅延時間生成用の音導管を有するイヤーピースをＤＮ音導管付きイヤーピース（ＤＮのＤは遅延用を意味しＮは音導管数を示す）と称し最短の音導管を第１音導管と称し直接音用音導管とする。その他の遅延用音導管をＤ管と総称し、１本以上のＤ管を有する場合Ｄ管を識別するために個々の遅延用音導管をＤＮ音導管（Ｎは自然数）とし、例えばＤ１とは１本の遅延用音導管を有していることを示しＤ２とは２本目の遅延用音導管を示している。【００３９】図３１（ｂ）は１本の遅延時間生成用の音導管の一部をコイル状としたＤ１音導管付きイヤーピースを示し、３１０２は第１音導管、３１０５はＤ１音導管で間接音用発音体ユニットとの接続口を示し、３１０３は直接音音波放射口、３１０４はＤ１音導管の音波放射口を示す。
（ａ）、（ｂ）ともに解りやすくするためイヤーピース内の音導管の形状のみを示す。３１００の破線はイヤーピース傘状部を示す。【００４０】図１３（ａ）は外耳道の一部１３４の模式概略図である。発音体ユニットの方向音波放射軸が外耳道壁と交わる点を通る矢状面１３５に対する方向音波放射軸１３７の矢状面に対する入射角を矢状面軸入射角１３１とし、図１３（ｂ）も同様に外耳道１３４の一部の模式概略図であり方向音波放射軸が外耳道壁と交わる点を通る横断面１３６に対する方向音波放射軸１３７の入射角を横断面軸入射角１３２とすると１つのハウジング内に複数の発音体ユニットを収め、複数の発音体ユニットと接続する複数の音導管を有するイヤーピースの先端が外耳道に挿入されている状態で複数の発音体ユニットの方向音波放射軸あるいは多音波放射軸発音体ユニットの分枝音導管音波放射軸をそれぞれ異なる外耳道壁部位へ向けるか、あるいは同じ外耳道壁部位であっても矢状面軸入射角あるいは横断面軸入射角が異なる角度となるようにイヤーピース内に配設することによって多数の方向からの到来音波情報を鼓膜へ伝達させることができる。多音波放射軸発音体あるいは矢状面軸入射角あるいは横断面軸入射角あるいはその両方の異なる複数の発音体ユニットで受話器を構成すればより多方向からの音情報を鼓膜へ入力できる。【００４１】１つのイヤーピース内に第１多分岐音導管と第２多分岐音導管を配設し第１多分岐音導管の最短の分枝音導管の分枝音導管音波放射軸をイヤーピースの先端が挿入される外耳道部位で外耳道の前頭部側の側壁に向けて配置させ第２多分岐音導管の最短の分枝音導管の分枝音導管音波放射軸をイヤーピースの先端が挿入される外耳道部位で外耳道の後頭部側の側壁に向けて配置させ、第１多分岐音導管の主音導管を第１主音導管、第２多分岐音導管の主音導管を第２主音導管と称し、該イヤーピースを前後多分岐音導管イヤーピースと称することとする。前後多分岐音導管イヤーピースの第１主音導管に直接音担当発音体ユニットを接続し第２主音導管に間接音担当発音体ユニットを接続したインナー型受話器とすればより自然な聴音が可能となる。【００４２】前後多分岐音導管イヤーピースはサラウンド再生も可能での第１主音導管に前音用発音体ユニットを接続し、第２主音導管に後音用発音体ユニットを接続すればより自然なサラウンド聴音が可能となる。【００４３】インナー型受話器においてイヤーピース筒状部内の音導管の音波放射端面（図１の１２）から該音導管と接続する発音体ユニットのハウジング音導管までの間、あるいはハウジング音導管内に凸物を配置すればこれを音波拡散器または音波反射器あるいはその両方の機能を持つ音波反射拡散器として機能させることが出来る。図１２（ａ）はハウジング音導管内に備えた音波反射拡散器１２３の概略横断面図であり図１２（ｂ）はイヤーピース筒状部の音導管に備えた音波反射拡散器１２４の概略横断面図を示す。（ｃ）は右耳用の音波反射拡散器付きイヤーピースを鼓膜側から見た図１２（ｂ）の正面図で１２５は音波反射拡散器断端であり１２６は音波放射口で、１２０はイヤーピースの傘状部である。【００４４】この音波拡散器または音波反射器あるいはその両方の機能を持つ音波反射拡散器の形状は、図１２（ａ）で示す様に発音体から放射された音波１２２がこの音波拡散器または音波反射器に反射して標的とする所定の外耳道壁へ一様に反射、拡散して放射される形状であれば良い。拡散された音波は無数の音波放射軸１２１と同等の機能を有しより自然な聴音となる効果が出現する。【００４５】この音波拡散器及び音波反射器の効果は聴音した音が刺激的な音とならず、自然で柔らかい音が聴取可能となる。自然に到来する音は間接音も含めて多数の方向から外耳道壁へ伝達されているはずであり音波拡散器及び音波反射器を配置すれば音波が標的とする外耳道壁へ拡散されて放射されるためより自然な音へ近づけるのに有効である。特に高音において効果が著明である。この音波拡散器または音波反射器はイヤーピース筒状部の音導管の内側面の一部分あるいはハウジング音導管内の一部に突物を構成すれば良い。材質や形状は音波を反射出来ればよい。音導管の音波放射端面から延出した支持片部を形成し該支持片部に音波拡散器または音波反射器をイヤーピース音波放射端面から離して鼓膜よりに配置しても良い。また音波反射拡散器の代わりとして図５（ｃ）のごとく音導管の内腔形状をホーン型形状として音波を標的とする外耳道壁へ拡散されて放射しても良い。５１０はハウジング音導管と接続する内腔に形状を示し、５０９は音波放射口の内腔形状を示す。図５（ｄ）は鼓膜側から見た内腔形状をホーン形状とした前後音場受話器の音波放射口を示し５１４は前方音用の音波放射口、５１５は後方音用の音波放射口を示す。【００４６】航空機の客席で使用されるチューブ式（音導管式）ステレオイヤーホンにおいても頭内定位した不自然な音でしか聴音できない欠点があった。航空機の客席で使用されるチューブ式ステレオイヤーホンにおいても本発明の前方定位受話器の原理を活用して外耳道に挿入するイヤーピース内のチューブの音導管音波放射軸をイヤーピースの先端が挿入される外耳道部位で外耳道の前頭部側の側壁に向けて音波を放射するようイヤーピース筒状部内に音導チューブを配設すれば前方定位した聴音が可能となる。このようにイヤーピース筒状部内に配設された音導チューブを前方定位チューブと称し、これを使用した受話器を前方定位チューブ受話器と称することとする。これを左右１組で使用すれば前方定位するチューブ式のステレオイヤーホンとなる。【００４７】本発明の後方定位受話器の原理を活用して外耳道に挿入するチューブの音導管音波放射軸をイヤーピースの先端が挿入される外耳道部位で外耳道の後頭部側の側壁に向けて音波を放射するようイヤーピース筒状部内に音導チューブを配設すれば後方定位した聴音が可能となる。前方定位チューブと後方定位チューブの両チューブを１つのイヤーピース筒状部内に配したイヤーピースを前後音場チューブイヤーピースと称しこの前後音場チューブイヤーピースを使用した受話器を前後音場チューブ受話器と称する。前後音場チューブ受話器を使用すれば前後音を聞き分けることが出来る。左右一対で使用すればサラウンド再生が可能となる。
またサラウンド再生において前後音イヤーピースを用い前方発音体ユニットからの音を導音する前方音用チューブを前後音イヤーピースの第１音導管と接続し、後方発音体からの音を導音する後方音用チューブを前後音イヤーピースの第２音導管と接続しても良い。【００４８】聴診器への応用も可能でイヤーピースを備える聴診器において聴診器のステート部と該ステート部に接続した音導チューブと、該音導チューブを左耳用音導チューブと右耳用音導チューブとの２本に分岐し、分岐した２本のチューブの先喘部分をそれぞれ本願発明の前方音イヤーピース、あるいは遅延分枝音導管付きイヤーピース図３１（ａ）３１０１に接続すれば前方定位した高音質な聴診が可能な聴診器を構成できる。【００４９】上記聴診器において両耳用として２本に分岐したチューブのうち左耳用音導チューブを更に左前用音導チューブと左後用音導チューブの２本に分岐し同様に右耳用音導チューブを更に右前用音導チューブと右後用音導チューブの２本に分岐し、分岐されたそれぞれの音導チューブの先端部分を左前用音導チューブは左前後音イヤーピースの第１音導管あるいは左のＤ１音導管付きイヤーピース第１音導管と接続し、右前用音導チューブは右前後音イヤーピースの第１音導管あるいは右のＤ１音導管付きイヤーピースの第１音導管と接続し、左後用音導チューブは左前後音イヤーピースの第２音導管あるいは左または右の遅延音導管付きイヤーピースのＤ１音導管と接続し、右後用音導チューブは右前後音イヤーピースの第２音導管あるいは左後用音導チューブが左の遅延音導管付きイヤーピースのＤ１音導管と接続した場合は右の遅延音導管付きイヤーピースのＤ１音導管と接続し、また左後用音導チューブが右の遅延音導管付きイヤーピースのＤ１音導管と接続した場合は左の遅延音導管付きイヤーピースのＤ１音導管と接続すればより明瞭な聴診音が聴取可能となる。【００５０】図３４に示す様にＤ１音導管の代わりにより長い遅延時間を確保するには前後音イヤーピースを使用し、左後用音導チューブ３４０８と右後用音導チューブ４３０９の一部をコイル状としても良い。３４０６は左前用音導チューブ、  ３４０７は右前用音導チューブである。【００５１】ステレオ聴診器についてもチェストピースにおいて振動膜によって閉塞された収音部を形成するキャビティを中央で左右２分割に仕切り、各仕切られた左右２つのキャビティそれぞれから突設した先端から音を放出する筒状の音導管を備えたチェストピースとし、以後このチェストピースをステレオチェストピースと称することとし左キャビティの音導管に左用音導チューブを接続し、左用音導チューブの他端を左の前方音イヤーピースと接続し、右キャビティの音導管に右用音導チューブを接続し、右用音導チューブの他端を右の前方音イヤーピースと接続すれば前方定位したステレオ聴診が可能な聴診器となる。【００５２】上記ステレオ聴診器において左耳用音導チューブを更に左前用音導チューブと左後用音導チューブの２本に分岐し同様に右耳用音導チューブを右前用音導チューブと右後用音導チューブの２本に分岐して分岐されたそれぞれの音導チューブの先端部分を左前用音導チューブは左の前後音イヤーピースの第１音導管あるいは���の遅延音導管付きイヤーピースの第１音導管に接続し右前用音導チューブは右の前後音イヤーピースの第１音導管あるいは右の遅延音導管付きイヤーピースの第１音導管と接続し、左後用音導チューブは左の前後音イヤーピースの第２音導管あるいは左または右の遅延音導管付きイヤーピースのＤ１音導管と接続し右後用音導チューブは右の前後音イヤーピースの第２音導管あるいは左後用音導チューブが左の遅延音導管付きイヤーピースのＤ１音導管に接続している場合は右の遅延音導管付きイヤーピースのＤ１音導管に接続し、左後用音導チューブが右の遅延音導管付きイヤーピースのＤ１音導管に接続している場合は左の遅延音導管付きイヤーピースのＤ１音導管に接続する。【００５３】遅延音導管付きイヤーピースＤ１音導管の代わりにより長い遅延時間を得るには左右の後方音用音導チューブの一部をコイル状とする。図２９に概略外観図を示す。遅延効果を持たせた左方音後用音導チューブは右の前後音イヤーピースの第２音導管に接続し、右後方音用音導チューブは左の前後音イヤーピースの第２音導管に接続すればより前方定位が明確となりかつ左右の音像定位がより明確となる効果が得られる。【００５４】上下前音イヤーピースあるいは上下前後音イヤーピースを活用した聴診器として振動膜によって閉塞された収音部を形成するキャビティを中央から上下左右に４分割する仕切り部材により仕切り、各仕切られた４つのキャビティからそれぞれ突設した先端から音を放出する筒状の音導管を備えたチェストピース全体を４分割チェストピースと称し、図２７（ｂ）は被検生体側から振動膜を見た図で右上から時計周りに第１キャビティの振動膜２７０１、第２キャビティの振動膜２７０２、第３キャビティの振動膜２７０３、第４キャビティの振動膜２７０４と称し、図２７（ｃ）のごとく上記４分割チェストピースのチェストピース中心を軸に右、あるいは左に４５度右回転させても良い。この場合被検生体側から振動膜を見て上から時計周りに第１キャビティ２７０１、第２キャビティ２７０２、第３キャビティ２７０３、第４キャビティ２７０４としてこれを４分割４５チェストピースと称する。【００５５】図３３（ａ）は振動膜の反対側の上から見た４分割４５チェストピースの概略図で３３０１は第１キャビティの音導管で第１音導管、３３０２は第２キャビティの音導管で第２音導管、３３０３は第３キャビティの音導管で第３音導管、３３０４は第４キャビティの音導管で第４音導管と称することとする。図３３（ｂ）は振動膜をはずして左下より見たキャビティを示し３３０５が第１キャビティ、３３０９は第１キャビティの音導管口、３３０６は第２キャビティ、３３０７第３キャビティ、３３０８は第４キャビティ、３３１０は第４キャビティの音導管口、３３１１は仕切り部材である。【００５６】上下前音イヤーピースと４分割４５チェストピースを使用すれば明確な前方定位と上下左右の聴診音の移動の判別が可能となる。４分割４５チェストピースの第１キャビティの音導管に音導チューブを接続しこの音導チューブを２本に分岐させそれぞれを左耳用と右耳用の上下前音イヤーピースの第１音導管に接続し、第２キャビティの音導管と左の上下前音イヤーピースの第２音���管に接続し、第３キャビティの音導管に音導チューブを接続しこの音導チューブを２本に分岐させそれぞれを左耳用と右耳用の上下前音イヤーピースの第３音導管に接続し、第４キャビティの音導管と右の上下前音イヤーピースの第２音導管に接続する。【００５７】図８に示す上下前後音イヤーピースを活用すれば上下と左右の音場の定位がより明確な聴診が可能となるため聴診音の上下左右定位の識別や聴診音の移動方向の識別も可能となる。即ち上下前後音イヤーピースを使用しかつ４分割４５チェストピースを使用した聴診器において第１キャビティの音導管に接続した音導チューブを２つに分岐しそれぞれを左右の上下前後音イヤーピース第１音導管に接続し、第３キャビティの音導管に接続した音導チューブを２つに分岐しそれぞれを左右の上下前後音イヤーピース３音導管に接続し、第４キャビティの音導管に接続した音導チューブは右分枝音導チューブ１と右分枝音導チューブ１と同長かより長い右分枝音導チューブ２の２本に分岐させ、同様に第２キャビティの音導管に接続した音導チューブも左分枝音導チューブ１と左分枝音導チューブ１と同長かより長い左分枝音導チューブ２の２本に分岐させ、それぞれ右分枝音導チューブ１は右の上下前後音イヤーピース第２音導管に接続し、左分枝音導チューブ１は左の上下前後音イヤーピース第２音導管に接続し、右分枝音導チューブ２は左の上下前後音イヤーピース第４音導管に接続し、左分枝音導チューブ２は右の上下前後音イヤーピース第４音導管に接続する。または右分枝音導チューブ２を右の上下前後音イヤーピース第４音導管に接続し、左分枝音導チューブ２は左の上下前後音イヤーピース第４音導管に接続しても良い。【００５８】イヤーピース内に第１音導管と第２音導管の２本の音導管を配置しイヤーピースが外耳道に挿入される部位において第１音導管の音波放射軸は外耳道前頭部側壁に向けてかつ横断面と矢状面と冠状面に対して略４５度で斜め上側面に向け、第２音導管の音波放射軸は外耳道前頭部側壁に向けてかつ横断面と矢状面と冠状面に対して略４５度で斜め下側面に向けて配置したイヤーピースを上下４５イヤーピースと称する。図３５の（ａ）は鼓膜側から見た右耳用の上下４５イヤーピースの正面図で３５０１は第１音導管の音波放射口、３５０２は第２音導管の音波放射口を示し（ｂ）は鼓膜側から見た左耳用の上下４５イヤーピース正面図で３５０３は第１音導管の音波放射口、３５０４は第２音導管の音波放射口を示し、（ｃ）は左耳用の上下４５イヤーピース正面図から見た第１音導管の音波放射軸３５０５と第２音導管の音波放射軸３５０６の方向を示す。
両方向音波放射軸とも横断面、矢状面、冠状面に対して略４５度の角度で第１音導管と第２音導管を配設する。【００５９】図３６に上下４５イヤーピースの第１音導管に第１発音体ユニットを接続し、第２音導管に第２発音体ユニットを接続した上下４５受話器の概略斜視図を示す。（ａ）は右耳用上下４５受話器で３６０１Ｒは上下４５イヤーピースの第１音導管、３６０３Ｒは第１発音体ユニット、３６０２Ｒは上下４５イヤーピースの第２音導管、３６０４Ｒは第２発音体ユニット、（ｂ）は左耳用上下４５受話器で３６０１Ｌは上下４５イヤーピースの第１音導管、３６０３Ｌは第１発音体ユニット、３６０２Ｌは上下４５イヤーピースの第２音導管、３６０４Ｌは第２発音体ユニット、３６００は上下４５イヤーピースの筒状部、３６０５は上下４５イヤーピースの傘状部。【００６０】４分割チェストピースの第１音導管と左の上下４５イヤーピースの第１音導音管とを導音チューブで接続し、４分割チェストピースの第２音導管と左の上下４５イヤーピースの第２音導管とを導音チューブで接続し、４分割チェストピースの第３音導管と右の上下４５イヤーピースの第２音導管とを導音チューブで接続し、４分割チェストピースの第４音導管と右の上下４５イヤーピースの第１音導とを導音チューブで接続すれば上下左右の音場が聴診可能な聴診器を構成でき、その効果は上下左右の聴診音の定位や聴診音の移動の識別が可能となることである。【００６１】電子聴診器用のチェストピースとしては突出した音導管を持たない４分割チェストピースを密閉４分割チェストピースと称し同様に音導管を持たない４分割４５チェストピースを密閉４分割４５チェストピースと称してこれを用いることとする。【００６２】電子聴診器であって聴診器のステート部に配置にされた集音マイクからの電気信号をアンプで増幅して左右の前方定位受話器を駆動すれば前方定位した聴診音が聴取可能となる。【００６３】また電子聴診器であって前後音場受話器を使用し聴診器のステート部に配置にされた集音マイクからの電気信号をアンプで増幅して左右の前方発音体ユニットを駆動し、同時に集音マイクからの出力を所定時間遅延生成装置付きアンプに入力しその出力で前後音場受話器の後方発音体ユニットを駆動すればより明確な前方定位した聴診音が聴取可能となる。【００６４】ステレオ電子聴診器とする場合はチェストピースにおいて振動膜によって閉塞された収音部を形成するキャビティを中央で左右２分割に仕切り、各仕切られた右キャビティ内に右マイクを配置し、左キャビティ内に左マイクを配置して左のマイクからの電気信号を増幅器１で増幅して左の前方定位受話器を駆動し、右のマイクからの電気信号を増幅器２で増幅して右の前方定位受話器を駆動すれば前方定位した高音質な聴診音が聞けるステレオ電子聴診器となる。【００６５】ステレオ電子聴診器であって前後音場受話器を使用し、チェストピースにおいて振動膜によって閉塞された収音部を形成するキャビティを中央で左右２分割に仕切り、各仕切られた左キャビティ内に左用マイクを配置して該左マイクからの電気信号をアンプ１で増幅して左の前方発音体ユニットを駆動し、右キャビティ内に右用マイクを配置し該右マイクからの電気信号をアンプ２で増幅して右の前方定位受話器を駆動し、同時に左用マイクからの電気信号を所定の遅延処理装置付きアンプ１に入力し、右マイクからの電気信号を所定の遅延処理装置付きアンプ２へ入力し、遅延処理装置付きアンプ１の出力を右後方発音体ユニットあるいは左後方発音体ユニットへ出力し、遅延処理装置付きアンプ２の出力を遅延処理装置付きアンプ１が右後方発音体ユニットへ出力している場合は左後方発音体ユニットへ出力し、遅延処理装置付きアンプ１が左後方発音体ユニットへ出力している場合は右後方発音体ユニットへ出力すればより前方定位が明確なステレオ電子聴診器となる。【００６６】密閉４分割チェストピースと上下４５受話器を使用した電子聴診器とすれば更に明確な音場再生により音源定位の優れた高音質な電子聴診器を提供することが出来る。
密閉４分割チェストピースを使用し第１キャビティ内に第１マイク、第２キャビティ内に第２マイク、第３キャビティ内に第３マイク、第４キャビティ内に第４マイクを配置し第１マイクからの電気信号を第１増幅器で増幅して上下４５受話器図３６（ｂ）の発音体ユニット３６０３Ｌを駆動し、第２マイクからの電気信号を第２増幅器で増幅して発音体ユニット３６０４Ｌを駆動し、第３マイクからの電気信号を第３増幅器で増幅して図３６（ａ）の発音体ユニット３６０４Ｒを駆動し、第４マイクからの電気信号を第４増幅器で増幅して図３６（ａ）の発音体ユニット３６０３Ｒを駆動する。【００６７】同様に密閉４分割４５チェストピースと上下前イヤーピースを使用し第１キャビティ内に第１マイク、第２キャビティ内に第２マイク、第３キャビティ内に第３マイク、第４キャビティ内に第４マイクを配置し第１マイクからの電気信号を第１増幅器で増幅して図２５（ａ）の発音体ユニット２５０４及び（ｂ）の発音体ユニット２５１０を駆動し第２マイクからの電気信号を第２増幅器で増幅して図２５（ｂ）の発音体ユニット２５１１を駆動し、第３マイクからの電気信号を第３増幅器で増幅して図２５（ａ）の発音体ユニット２５０６及び（ｂ）の発音体ユニット２５１２を駆動し、第４マイクからの電気信号を第４増幅器で増幅して（右）図２５（ａ）の発音体ユニット２５０５を駆動しても同様な効果がえられる。【００６８】本願発明の上下前後音場受話器を電子聴診器の受話器として使用すれば上下左右の音場が聞ける聴診器となる。【００６９】電子聴診器においても図２８に示した右用上下前後音場受話器（ａ）と左用上下前後音場受話器（ｂ）を使用すればさらに高音質な電子聴診器を提供することが出来る。密閉４分割４５チェストピースにおいて各仕切られた４つのキャビティの中にそれぞれ１個ずつ計４個マイクを配設し被検生体側から振動膜を見て時計まわりに上から第１キャビティに第１マイク、第２キャビティに第２マイク、第３キャビティに第３マイク、第４キャビティに第４マイクを配設する。【００７０】第１マイクからの電気信号を第１増幅器で増幅して発音体駆動装置１により左右の上下前後音場受話器の発音体ユニット２８４Ｒと２８４Ｌを駆動し、第３マイクからの電気信号を第３増幅器で増幅して発音体駆動装置３により左右の上下前後音場受話器の発音体ユニット２８３Ｒと２８３Ｌを駆動し、第２マイクからの電気信号を第２増幅器で増幅して発音体駆動装置２で左の発音体２８１Ｌユニットを駆動し、第４マイクからの電気信号を第４増幅器で増幅して発音体駆動装置４で発音体ユニット２８１Ｒを駆動する。【００７１】また図３７のブロック図のように密閉４分割４５チェストピースと上下前後音場受話器を使用しかつ遅延装置を使用すればより前方定位が明確となる。第１マイクからの電気信号を第１増幅器で増幅して発音体駆動装置１により左右の上下前後音場受話器の第１発音体ユニット（図２８の２８４Ｒと２８４Ｌ）を駆動し、第３マイクからの電気信号を第３増幅器で増幅して発音体駆動装置３により左右の上下前後音場受話器の（図２８の２８３Ｒと２８３Ｌ）を駆動し、第２マイクからの電気信号を第２増幅器で増幅して左発音体駆動装置２で左第２発音体ユニット（図２８の２８１Ｌ）を駆動し、同時に第２増幅器の出力信号を左遅延処理装置にも入力して左遅延処理装置からの出力信号を右発音体駆動装置４に入力して右発音体駆動装置４で右第４発音体ユニット（図２８の２８２Ｒ）を駆動し、第４マイクからの電気信号を第４増幅器で増幅して右発音体駆動装置２にて右第２発音体（図２８の２８１Ｒ）を駆動し、同時に第４増幅器の出力信号を右遅延処理装置にも入力して右遅延処理装置からの出力信号を左発音体駆動装置４で左第４発音体ユニット（図２８の２８２Ｌ）を駆動する。【００７２】更に図３８のブロック図に示す様に第１増幅器の信号を遅延処理装置１に入力し該出力信号を第３増幅器からの信号とともに混合器３で混合して発音体駆動装置３へ入力して左右の上下前後音場受話器の第３発音体ユニットを駆動し、第３増幅器の信号を遅延処理装置３に入力し該出力信号を第１増幅器からの信号とともに混合器１で混合して発音体駆動装置１へ入力して左右の上下前後音場受話器の第１発音体ユニットを駆動することを追加することでより前方定位と上下方向の定位の聴音がより明確となる。【００７３】図３２に上下前後音場受話器を使用した電子聴診器の概略外観図を示す。３２０１Ｌは左の上下前後音場受話器、３２０１Ｒは右の上下前後音場受話器、３２０２は電子聴診器全体を保持する首掛けストラップ、３２０３Ｌは左上下前後音場受話器駆動信号線を埋設した可撓性チューブ、３２０３Ｒは右上下前後音場受話器駆動信号線を埋設した可撓性チューブ、３２０４は電源スイッチ付き音量調節ツマミ、３２０５は遅延時間調節ツマミ  ３２０６は内部に電池、及びマイクからの電気信号を増幅する増幅回路、遅延時間生成増幅器等の電子装置が収納された本体部、３２０７は４本のマイクコードを埋設した可撓性チューブ、３２０９は第１キャビティ３２１０は第２キャビティ、３２１１は第３キャビティ、３２１２は第４キャビティ、３２１８はキャビティ仕切り部材、３２１３は第１マイクに接続した信号線、３２１４は第２マイクに接続した信号線、３２１５は第３マイクに接続した信号線、３２１６は第４マイクに接続した信号線である。【００７４】次に本願受話器の補聴器への応用を述べる。
片耳用補聴器においては１つのマイクで環境音を集音し補聴処理後１つの発音体で音波を生成し環境情報音を鼓膜へ伝達する方式が一般的である。
従来の補聴器では聞きたい音と聞きたくない音とを聞き分けることが困難となる問題点があった。この原因はマイクから集音された環境音情報を前後の音場で聞かせるのではなく１つの発音体で全てを同一方向からの到来音として聴取させているためと考えられる。【００７５】また片耳聴音用補聴器を２個使用し、左右ステレオ再生させて到来音の左右の方向感を改善した補聴器も存在しているが前後音の識別が不可能であり頭内定位の問題も解決されていない。片耳聴音で前後からの到来音の方向が識別聴音可能でかつ聞きたい音だけが聞き取りやすい補聴器は存在していなかった。【００７６】以後で述べる耳甲介の中央とは図１１（ａ）で示す耳珠１１４の最も後頭部よりの稜線を通る冠状面１１１と対輪１１５の最も後頭部よりの稜線を通る冠状面１１３との中間の冠状面１１２が通る耳甲介部位を言う。冠状面とは生物の体を腹側（前）と背側（後）に分割する任意の平面のことである。図１１（ｂ）は耳甲介の中央の冠状面の斜視図を示す。また図２２（ａ）で示す耳珠対対珠対輪稜線面２２４（斜線の部分）とは耳珠２２１の稜線と対珠２２２及び対輪２２３の稜線とで囲まれた面を示す。図２２（ｂ）は外耳道２２５部位での頭部横断面での耳珠対対珠対輪稜線面２２４を示す。【００７７】以後前方向から到来する環境音情報を電気変換するマイクロホンを前方マイク、後方向から到来する環境音情報を電気変換するマイクロホンを後方マイクと単に称する。また図１６で示すマイク受音面１６１の中心からマイク受音面に対して垂直に集音対象音源方向に伸ばした軸をマイク集音軸１６２と称する。【００７８】本願で提供する補聴器は少なくとも前方マイクからの音信号を補聴処理する補聴処理手段１と後方マイクからの音信号を補聴処理する補聴処理手段２と電池を備えて補聴処理手段１と補聴処理手段２の出力信号を音響信号に変換する受話器として本願発明の前後音場受話器を備えた構造の補聴器とする。前方マイクからの到来音は補聴処理手段１を経て前後音場受話器の前方発音体ユニットを駆動して、前方に定位させて聴音させ、後方マイクからの到来音は補聴処理手段２を経て前後音場受話器の後方発音体ユニットを駆動し、後方に定位させて聴音すると前方マイクと後方マイクで捉えた到来音を前後に広がった音場として聞ける。この前後に広がった音場の中から聞きたい音の到来方向に意識を集中させれば聞きたい音だけが聞き取りやすくなる効果が得られる。【００７９】上記で述べた補聴処理手段とはマイクからの音声信号を増幅し発音体を駆動させる手段であって聴音に役立つバンドパスフイルターや雑音抑制、ハウリング抑制処理などをも含めた手段のことである。補聴器の説明図においては解りやすくするため補聴処理手段と電池は省略している。【００８０】耳掛式補聴器への応用においては左装着用の耳掛式補聴器の概略斜視図を図１７（ａ）に示す様に耳輪後方に装着する筐体内７１１２あるいはその上部あるいはその近傍に前方マイクの集音軸１７２を矢状面１７０に対して０度より大きくかつ９０度より小さい範囲内の角度１７４で配設し、後方マイクの集音軸１７３を矢状面に対して９０度より多くかつ１８０度より小さい角度１７５で配置し、前方マイクの出力信号を補聴処理する補聴処理手段１と後方マイクの出力信号を補聴処理する補聴処理手段２と前方発音体ユニットと後方発音体ユニットと電池を該筐体内に備え、補聴処理手段１の出力で前方発音体ユニットを駆動し補聴処理手段２の出力で後方発音体ユニットを駆動し前方発音体ユニット及び後方発音体ユニットにそれぞれ接続した音導管にて音波を筐体より導出し該音導管の先端部にイヤーピースを装着し該イヤーピースの先端が挿入される外耳道において前方発音体ユニットに接続された音導管の音波放射軸１７６を外耳道の前頭部側の外耳道側壁に向けて音波を放射し、後方発音体ユニットに接続された音導管の音波放射軸１７７を外耳道の後頭部側の外耳道側壁に向けて音波を放射するよう配設すれば前後の音場を聞くことが可能となる。また前後音イヤーピースを使用して前方発音体ユニットに接続された音導管を前後音イヤーピースの第１音導管へ接続し、後方発音体ユニットに接続された音導管を前後音イヤーピースの第２音導管に接続しても良い。
図１７（ｂ）も同じ左装着用耳掛式補聴器であり１７８は前方マイク、１７９は後方マイク、１７１０は前方音波放射口、１７１１は後方音波放射口、１７１２は筐体、７１１３は前後音イヤーピースの第１音導管へ接続した音導管、７１１４は前後音イヤーピースの第２音導管へ接続した音導管である。【００８１】上記耳掛式補聴器において筐体内に発音体ユニットを配置せずに前後音場受話器を使用し補聴処理手段１と補聴処理手段２からの出力信号を信号線にて筐体から導出し前方向の環境音出力信号は補聴処理手段１で前後音場受話器の前方発音体ユニットを駆動し、後方向の環境音出力信号は補聴処理手段２で前後音場受話器の後方発音体ユニットを駆動する構成としても良い。【００８２】耳穴式補聴器への応用においては図１８で耳穴式補聴器装着時の外耳道での頭部横断面を示すとケース１８１２内に前方発音体ユニット１８０２と後方発音体ユニット１８０４と電気回路装置である補聴処理手段１と補聴処理手段２と電池を備え、外耳道での右耳装着横断面図１８（ａ）に示す様にケースの一部から耳甲介中央あるいは対輪方向へ延出した支片部１８１を形成し、これに前方マイク１８９のマイク集音軸１８２を矢状面１８０に対して０度より大きくから９０度より小さな角度１８３の範囲内で配設し、後方マイク１８１１の後方マイク集音軸１８５を耳珠対対珠対輪稜線面１８４を通過するよう該支片部に配置しても良いが本図では本体ケースに配置１８１１し、前方マイクの出力信号を補聴処理する補聴処理手段１と後方マイクの出力信号を補聴処理する補聴処理手段２を備え補聴処理手段１の出力信号は前方発音体ユニットを駆動し補聴処理手段２の出力信号は後方発音体ユニットを駆動し、外耳道内に挿入されるケースの先端の音波放射口から前方発音体ユニットの方向音波放射軸１８０１を前頭部側の外耳道側壁に向けて音波を放射するように配設し、後方発音体ユニットの方向音波放射軸１８０３は外耳道の後頭部側の外耳道側壁に向けて音波を放射するように配設すればよい。１８２４は補聴処理手段１、１８２５は補聴処理手段２、１８１４は電池を示す。【００８３】前方マイクのマイク集音軸を図１８（ｂ）１８１０に示す様に耳甲介中央近傍から対輪方向に向けてかつ耳珠対対珠対輪稜線面１８４を通過しないようにケース本体に配置しても良い。
図１９に実際の装着図を示す。１９１は前方マイク、１９２は後方マイク、１９３は支片部である。【００８４】以下で述べる耳珠基底部とは図２３で示す耳珠内側面の斜線領域２３２よりも下部位で耳珠を支えている部位から外耳道口へ連なる部位で図２４斜線領域２３３を示す。２３０は外耳道口、２３１の耳珠である。【００８５】外耳道内で収まるサイズであるディープカナル型補聴器への応用において外耳道での装着時の横断面を図２１に示す。前方マイクと後方マイクと前方発音体ユニットと後方発音体ユニットの位置関係を示し、ケース内に前方発音体ユニット２１０１と後方発音体ユニット２１０２とを備え、前方マイク２１０６は前方マイク集音軸２１０３を図２３の斜線部２３２で示す耳珠内側面または耳甲介中央近傍から対輪までの領域方向に向けてかつ耳珠対対珠対輪稜線面２１００即ち図２２（ａ）及び（ｂ）の２２４を通過しないようにケースに配置し、後方マイク２１０７は後方マイク集音軸２１０４が耳珠対対珠対輪稜線面２１００を通過する方向か、あるいは後方マイク集音軸２１０４を図２４の斜線部２３３で示す耳珠基底部（耳珠を支えている部位）から外耳道口周囲に連なる部位に向けてケースに配置し、前方マイクの出力信号を補聴処理する補聴処理手段１と後方マイクの出力信号を補聴処理する補聴処理手段２と電池をケース内に収め、補聴処理手段１で前方発音体ユニットを駆動し、補聴処理手段２で後方発音体ユニットを駆動し、外耳道挿入部の音波放射口から前方音用方向音波放射軸２１１１を外耳道の前頭部側の側壁に向けて音波を放射し、外耳道挿入部の音波放射口から後方音用方向音波放射軸２１１２を外耳道の後頭部側へ向けて音波を放射するよう配設すればよい。
【発明を実施するための形態】
【００８６】（第１の実施形態）
【００８７】以下図５を参照して本発明を実施するための最良の形態のひとつとしてインナー型の前後音場受話器を説明する。
図５（ｂ）は右耳用インナー型前後受話器の概略横断面図を示し、１つのイヤーピース筒状部５０３内に第１音導管５４と第２音導管５５の２本の音導管を配し第１音導管を前方音用音導管として前方発音体ユニット５６のハウジング音導管５０１に接続し該前方音用音導管の音波放射端面における方向音波放射軸５１をイヤーピースが外耳道に挿入されている状態で外耳道の前頭部側の外耳道壁に向けてイヤーピース内に配設し、第２音導管を後方音用音導管として後方発音体ユニット５７のハウジング音導管５０２に接続し該後方音用音導管の音波放射端面における方向音波放射軸５２をイヤーピースが外耳道に挿入されている状態で外耳道の後頭部側の外耳道壁に向けてイヤーピース筒状部内に配設する。図５（ａ）は右耳用で外耳道へ挿入するイヤーピースを鼓膜側から見た正面図であり５８は前方音用音波放射口、５９は後方音用音波放射口、５３はイヤーピースの傘状部を示す。ハウジング音導管を延長して第１音導管と第２音導管の代用兼用としても良い。
【００８８】管内音導管の内腔の形状が音波放射端面において開くホーン型形状としても良い。図５（ｃ）にホーン型形状の管内音導管の内腔の１例の斜視図を示す。５０９は音波放射端面、５１０は発音体ユニットとの接続端腔を示す。図５（ｄ）は右耳用で管内音導管の内腔形状をホーン型とした場合の鼓膜側から見たイヤーピースの正面図で５１４は前方音用音波放射端面、５１５は後方音用音波放射端面、５１３はイヤーピースの傘状部を示す。
この前後音場受話器を左右一対で使用すればインナー型受話器によるサラウンド再生用ヘッドホンとなる。
【００８９】（第２の実施形態）
図８（ａ）に右耳用の上下前後音場受話器の概略斜視図を示し、図８（ｂ）には解りやすくするため前音導管と後音導管は省略した上下音導管のみの縦断面の概略図を示す。前方発音体である第２発音体ユニット８１と後方発音体である第４発音体ユニット８２と上方音用発音体である第１発音体ユニット８４と下方音用発音体である第３発音体ユニット８３の４個の発音体ユニットで構成し図５で示した前後音場受話器に更に上下に垂直に並べられた上位音導管８５と下位音導管８６の２本の音導管をイヤーピース内に追加し、上位音導管８５を上方音用音導管として上方音用発音体ユニット８４を接続し、上方音用発音体の方向音波放射軸８０６図８（ｂ）はイヤーピースが外耳道に挿入される外耳道の上部壁に向け、追加したもう１本の下位音導管８６を下方音用音導管として下方音用発音体ユニット８３を接続し、下方音用発音体の方向音波放射軸８０７図８（ｂ）はイヤーピースが外耳道に挿入される外耳道の下部壁に向けイヤーピース筒状部内に配置する。図８（ｃ）は鼓膜側から見た右の上下前後音場受話器正面図を示す。８０１は前方音放射口、８０２は後方音放射口、８０３は下方音放射口、８０４は上方音放射口、８０５はイヤーピースの傘状部である。
【００９０】（第３の実施形態）
図７（ａ）は右耳用のイヤーピース筒状部内に３本の分枝音導管を配置した多音波放射軸発音体ユニットを使用した受話器の概略横断面図を示す。主音管７１から分岐した３本の分枝音導管の音波放射軸はそれぞれ矢状面にたいして異なる入射角をなすよう配置する。最短の音導管７２は前方定位に寄与する直接音用でありその方向音波放射軸はイヤーピースの先端が外耳道に挿入されている状態で外耳道の前頭部側の外耳道壁に向けてイヤーピース筒状部内に配設し、その他の音導管は間接音用の音導管としてその音波放射軸を最短の分枝音導管と同側７３と反対側７４の外耳道壁へ向けて配置した例を示す。７０は発音体ユニットである。図７（ｂ）は（ａ）で示したイヤーピースの正面図で３本の分枝音導管の音波放射口を示す。直接音の音波放射口７５、直接音と同側の間接音音波放射口７６、直接音と反対側の後頭部側の間接音音波放射口７７を示す。
【００９１】（第４の実施形態）
図１２に音波反射拡散器を持つ受話器の形態を示す。外耳道内に挿入する音導管（管状部）を有するインナー型受話器においてイヤーピース筒状部内の音導管の音波放射端面（図１の１２）から該音導管と接続する発音体ユニットのハウジング音導管までの間の内腔に音波拡散作用と音波反射作用を持つ表面が滑らかな音波反射拡散器を備えた右耳用の実施形態を図１２に示す。（ａ）と（ｂ）は横断図で（ｃ）は鼓膜側から見た正面図を示す。（ａ）は音波反射拡散器１２３をハウジング音導管内に備えた例を示し、その形状は発音体から放射された音波１２２がこの音波反射拡散器に反射してイヤーピースの先端が外耳道に挿入されている状態で外耳道の前頭部側の外耳道壁に拡散して音波が放射される形状とする。図１２（ｂ）では音波反射拡散器はイヤーピースで構成する部材のイヤーピース筒状部内の音導管の内側面の一部分をなだらかな曲面を持つ突状に盛り上げた構造１２４とした例を示す。図１２（ｃ）はイヤーピース内の音導管内側面に音波反射拡散器を有する（ｂ）の鼓膜側から見た図で１２５は音波反射拡散器断端面、１２６は音波放射口、１２０はイヤーピースの傘状部である。
【００９２】（第５の実施形態）
図１４（ａ）はチューブ式ヘッドホンの概略図であっての右耳挿入用イヤーピースとチューブの概略斜視図を示す。主に航空機の客席で使用されるチューブ式（音導管式）のステレオイヤーホンである。イヤーピース筒状部１４５内のチューブ音導管の音波放射端面でのチューブの音導管音波放射軸をイヤーピース１４０の先端が挿入される外耳道部位で外耳道の前頭部側側壁に向けて音波をイヤーピースの音波放射口からチューブ内に備えた反射拡散器を用いて前頭部側の外耳道壁に向けて放射させる。図１４（ｃ）は反射拡散器１４２を使用した形態の１例である横断面を示す。１４０は傘状部である。図１４（ｂ）は右耳挿入イヤーピースを外耳道口側から見た正面図であり音波放射口１４３と反射拡散器断端面１４２を示す。
【００９３】（第６の実施形態）
このチューブ音導管を左右一対使用すれば前方に頭外定位したチューブ式ステレオイヤーホーンとなる。
サラウンド装置として前後音イヤーピースを使用し図１５に示す様に図１４で示した右耳挿入用イヤーピース筒状部内に前方用チューブ音導管１５１と後方音用チューブ音導管１５２を配設する。後方音用チューブ音導管の音波放射先端部位での音導管音波放射軸をイヤーピースの先端が挿入される外耳道部位で外耳道の後頭部側壁に向けてサラウンドの後方音音波をイヤーピースの音波放射口からチューブ内に備えた反射拡散器を用いて放射させるよう備えたサラウンド装置の形態を示す。
【００９４】図１５は前方音用反射拡散器１５６と後方音用反射拡散器１５７を使用した右耳用のチューブ式前後イヤーホーンの形態を示す。１５図（ａ）に前後音場再生可能なチューブ式ヘッドホンの右耳挿入イヤーピースとチューブの概略斜視図を示す。前方音用チューブ音導管と後方音用チューブ音導管を１つのイヤーピース筒状部内に配置する。これを左右一対備えればサラウンド再生可能なチューブ式のサラウンド受話器となる。図１５（ｂ）は右耳挿入イヤーピースの外耳道口側から見たイヤーピースの正面図であり前方音用音波放射口１５３と後方音用音波放射口１５４であり１５５は前後の反射拡散器の断端面を示す。図１５（ｃ）はイヤーピースの横断面図における前方用反射拡散器１５６、後方用反射拡散器１５７の形状の１例を示す。１５８は前方音用チューブ音導管、１５９は後方音用チューブ音導管である。
【００９５】（第７の実施形態）
図１７（ｂ）に左耳装着用耳掛式補聴器の実施形態の概略斜視図を示す。耳輪後方に装着する筐体７１１２の上部に前方マイク１７８と後方マイク１７９の２つを備え、前方マイクの集音軸を矢状面に対して０度より大きくかつ９０度より小さい範囲内の角度図１７（ａ）１７４で配設し、後方マイクの集音軸を矢状面に対して９０度より多くかつ１８０度より小さい角度図１７（ａ）１７５に配設する。前方マイクの出力信号を補聴処理する補聴処理手段１と後方マイクの出力信号を補聴処理手段２と前方発音体ユニットと後方発音体ユニットと電池を該筐体内に備え、前方マイクの出力信号は補聴処理手段１を経て前方発音体ユニットへ出力し、後方マイクからの出力信号は補聴処理手段２を経て後方発音体ユニットへ出力する。前方発音体ユニットに接続した音導管７１１３及び後方発音体ユニットに接続した音導管７１１４にて音波を導出し該前方発音体ユニットに接続した音導管７１１３を前後音イヤーピースの第１音導管に接続し該後方発音体ユニットに接続した音導管７１１４を前後音イヤーピースの第２音導管に接続する。前方発音体ユニットに接続した音導管の音波放射軸を前方音放射口１７１０から外耳道の前頭部側の外耳道側壁に向けて音波を放射し、後方発音体ユニットに接続された音導管の音波放射軸を後方音放射口１７１１から外耳道の後頭部側へ向けて音波を放射する。
【００９６】（第８の実施形態）
図１８（ａ）、（ｂ）に右耳用耳穴式補聴器の外耳道での横断面図を示す。右耳用耳穴式補聴器の概略装着図を図１９に示す。本体ケース１８１２内に前方発音体ユニットと後方発音体ユニットと前方マイクと前方マイクの出力信号を補聴処理する補聴処理手段１と後方マイクと後方マイクの出力信号を補聴処理する補聴処理手段２と電池１８１４を備え、ケースの一部より耳甲介中央近傍から対輪方向へ延出した管状の支片部１８１を備えてこれに前方向の環境音情報を電気変換する前方マイク１８９を配設し、この前方マイク集音軸図１８（ａ）の１８２を矢状面に対して０度より大きくから９０度より小さな角度１８３の範囲内の角度で配設し、後方向の環境音情報を電気変換する後方マイク１８１１はケース面に配置し後方マイク集音軸図１８（ａ）の１８５は矢状面に対して９０度より大きく１８０度より小さな角度１８０５でかつ後方向用マイク集音軸１８５が耳珠対対珠対輪稜線面１８４（図２２で示す２２４）を通過するよう本体ケースに配設する。前方マイクの出力信号を補聴処理する補聴処理手段１の出力を前方発音体ユニット１８０２を駆動し、後方マイクの出力信号は補聴処理する補聴処理手段２へ入力し補聴処理手段２の出力で後方発音体ユニット１８０４を駆動する。１８２４は補聴処理手段１、１８２５は補聴処理手段２を示し、管状の支片部に配設した前方マイクからの電気コードは支片部管内を通して補聴処理手段１に接続する。
【００９７】図２０で右耳用耳穴式補聴器の鼓膜側から見た正面図を示す。ケース本体２０００と外耳道内に挿入される先端部の外耳道挿入部２００１を示す。外耳道挿入部位において前方音放射口２００２から前方発音体ユニットの方向音波放射軸を外耳道の前頭部側の外耳道側壁に向けて音波を放射し、後方音放射口２００３から、後方発音体ユニットの方向音波放射軸を外耳道の後頭部側へ向けて音波を放射するよう音導管発音体を配設する。
【００９８】（第９の実施形態）
耳穴式補聴器において図１８（ｂ）は前方マイク１８９をケースの一部より耳甲介中央近傍から対輪方向へ延出した支片部に配置せずにケース面に配設し、前方マイクのマイク集音軸１８１０を耳甲介中央近傍から対輪方向に向けてかつ耳珠対対珠対輪稜線面１８４を通過しないようにケースに配置した場合の形態を示す。
【００９９】（第１０の実施形態）
図２１に右耳用のディープカナル型補聴器の外耳道装着時の概略横断面図に示す。ケース内に前方発音体ユニット２１０１と後方発音体ユニット２１０２と前方マイク２１０６の出力信号を補聴処理する補聴処理手段１と後方マイク２１０７の出力信号を補聴処理する補聴処理手段２と電池を備え、前方マイク集音軸２１０３を耳甲介の中央から対輪方向に向けかつ耳珠対対珠対輪稜線面を通過しないように配置し、後方マイク集音軸２１０４は耳珠対対珠対輪稜線面を通過する図２１（ａ）かあるいは後方マイク集音軸２１０４図２１（ｂ）が耳珠対対珠対輪稜線面を通過せずに図２４の２３３の斜線領域で示す耳珠基底部（耳珠を支えている部位）から外耳道口に連なる部位に向けて本体ケースに配置図し２１（ｂ）、前方マイク２１０６の出力信号を補聴処理手段１で補聴処理して前方発音体ユニット２１０１を駆動し後方マイク２１０７の出力信号を補聴処理手段２で補聴処理して後方発音体ユニット２１０２を駆動し外耳道挿入部の音波放射口から前方発音体ユニットの方向音波放射軸２１１１を外耳道の前頭部側の側壁に向けて音波を放射し、外耳道挿入部の音波放射口から後方発音体ユニットの方向音波放射軸２１１２を外耳道の後頭部側の側壁へ向けて音波を放射するよう発音体ユニットを配設する。２１１３は電池を含む補聴処理手段１と補聴処理手段２の配置を示す。
【０１００】（第１１の実施形態）
図２９にステレオ聴診器の概略斜視図を示す。
チェストピースにおいて振動膜によって閉塞された収音部を形成するキャビティを中央で仕切り部材２９００により左キャビティ２９０２と右キャビティ２９０３の２分割に仕切り、各仕切られたそれぞれ２つのキャビティから突設した先端から音を放出する筒状の音導管を備え、左キャビティの音導管２９０４に左用音導チューブ２９０５を接続し、右キャビティの音導管２９０６に右用音導チューブ２９０７を接続し、更に左用音導チューブを左第１音導チューブ２９０８と左第２音導チューブ２９０９の２本に分岐し、同様に右耳用音導チューブを右第１音導チューブ２９１０と右第２音導チューブ２９１１の２本に分岐して分岐されたそれぞれの音導チューブの先端部分を左第１音導チューブは左の前後音イヤーピース２９１２の第１音導管２９１４と接続し右第１音導チューブは右の前後音イヤーピース２９１３の第１音導管２９１５と接続し、左第２音導チューブは右の前後音イヤーピースの第２音導管２９１７とに接続し右第２音導チューブは左の前後音イヤーピースの第２音導管２９１６と接続する。左第２音導チューブを左第１音導チューブより長くするため一部をコイルの形状とし、同様に右第２音導チューブを右第１音導チューブより長くするため一部をコイルの形状としている。
【０１０１】（第１２の実施形態）
図３０に上下左右聴診器の概略斜視図を示す。
上下前後音イヤーピースを使用しかつ４分割４５チェストピースを使用し第１キャビティ３０７１の音導管３０６１に接続した音導チューブ３０４１を左上方音分枝音導チューブ３０３１と右上方音分枝音導チューブ３０２１の２つに分岐させ左上方音分枝音導チューブは左上下前後音イヤーピースの第１音導管３０１１と接続し、右上方音分枝音導チューブは右上下前後音イヤーピースの第１音導管３００１と接続し、第３キャビティ３０７３の音導管３０６３に接続した音導チューブ３０４３を左下方音分枝音導チューブ３０３３と右下方音分枝音導チューブ３０２３の２つに分岐させ左下方音分枝音導チューブは左上下前後音イヤーピースの第３音導管３０１３と接続し、右下方音分枝音導チューブは右上下前後音イヤーピースの第３音導管３００３と接続し、第４キャビティ３０７７の音導管３０６７に接続した音導チューブ３０５７は右分枝音導チューブ１の３０２２と右分枝音導チューブ２の３０３４の２本に分岐させ、同様に第２キャビティ３０７６の音導管３０６６に接続した音導チューブ３０５６も左分枝音導チューブ１の３０３２と左分枝音導チューブ２の３０２４の２本に分岐させ、それぞれ右分枝音導チューブ１は右の上下前後音イヤーピース第２音導管に接続し、左分枝音導チューブ１は左の上下前後音イヤーピース第２音導管に接続し、右分枝音導チューブ２は左の上下前後音イヤーピース第４音導管に接続し、左分枝音導チューブ２は右の上下前後音イヤーピース第４音導管に接続する。
更に右分枝音導チューブ２を右分枝音導チューブ１より長く、左分枝音導チューブ２を左分枝音導チューブ１よりも長くするため右分枝音導チューブ２と左分枝音導チューブ２一部をコイル形状として音の遅延効果を持たせている。
【発明の効果】
【０１０２】以上説明したように、本発明の前後音イヤーピースとこれを使用した受話器とすれば片耳聴音であっても前後にわたる音場が聞けるため前後音の到来方向を識別することが出来き、かつ頭外定位した自然な音で聞ける。上下前後音イヤーピース及びこれを使用した受話器とすれば上下前後音の到来方向が識別可能となる。更に補聴器の構成要素の１つである受話器として本発明の前後音場受話器を使用すれば聞きたい音の到来方向に意識を集中することで聞きたい音のみが聞き取れやすい補聴器となる。
【０１０３】聴診器への応用については収音部と音導管とイヤーピースの基本要素から構成されているがこのイヤーピースに前方定位イヤーピースあるいは前後音イヤーピースを使用することで頭外定位した高音質な聴診が得られ更に上下前音イヤーピースあるいは上下前後音イヤーピースと４分割チェストピースあるいは４分割４５チェストピースの使用により上下左右からの聴診音の方向と移動が識別可能となった。
【図面の簡単な説明】
【０１０４】
【図１】（ａ）音波放射軸と（ｂ）音波放射断面  （ｃ）本発明の一部のインナー型受話器横断面図の一例
【図２】外耳道面での横断面図  （ａ）外耳道中心軸  （ｂ）イヤーピースの中心軸
【図３】（ａ）前方定位受話器  （ｂ）後方定位受話器
【図４】（ａ）上方定位受話器  （ｂ）下方定位受話器
【図５】右耳用前後音場受話器  （ａ）鼓膜側から見た正面図  （ｂ）前後音場受話器の横断面  （ｃ）ホーン形をした音導管内腔形状の概略図  （ｄ）は（ｃ）のホーン形状の音導管音波放射口を鼓膜側から見た正面図  （ｅ）右の前後音場受話器の外耳道での装着断面図
【図６】右耳用多チャンネル受話器
【図７】右耳用多音波放射軸発音体の３分枝音導管例の概略横断面図（ａ）と正面図（ｂ）
【図８】上下前後音場受話器  （ａ）右耳用の上下前後音場受話器の概略斜視図  （ｂ）上下音導管の縦断面の概略図  （ｃ）鼓膜側から見た右耳用の上下前後音場受話器正面図
【図９】遅延時間処理装置付き駆動アンプ
【図１０】主音導管と分枝音導管
【図１１】（ａ）頭頂部から見た耳甲介中央部を通る冠状面  （ｂ）耳甲介中央部を通る冠状面の斜視図
【図１２】音波拡散器および音波反射器
【図１３】（ａ）矢状面軸入射角  （ｂ）横断面軸入射角
【図１４】右耳用チューブ式ヘッドホン
【図１５】右耳用チューブ式サラウンドヘッドホン
【図１６】マイク集音軸
【図１７】耳掛式補聴器
【図１８】外耳道に装着した耳穴式補聴器横断面図
【図１９】右耳用耳穴式補聴器の概略装着図
【図２０】右耳用のディープカナル型（ＣＩＣ）補聴器の鼓膜側から見た正面図
【図２１】右耳用のディープカナル型（ＣＩＣ）補聴器外耳道装着時の概略横断面図
【図２２】耳珠対対珠対輪稜線面
【図２３】耳珠内側面
【図２４】耳珠基部
【図２５】上下前音イヤーピース
【図２６】上下前音イヤーピース縦断面
【図２７】４分割チェストピース
【図２８】電子聴診器上下前後音イヤーピース
【図２９】ステレオ聴診器
【図３０】上下左右聴診器
【図３１】遅延分枝音導管付きイヤーピースとＤ１音導管付きイヤーピース
【図３２】電子聴診器概略外観図
【図３３】４分割チェストピースと音導管
【図３４】コイル状遅延音導管を用いた聴診器
【図３５】上下４５イヤーピース
【図３６】上下４５受話器
【図３７】電子聴診器ブロック図左右遅延装置付き
【図３８】電子聴診器ブロック図上下左右遅延装置付き
【図１】
2013017150.tif 000003
【図２】
2013017150.tif 000004
【図３】
2013017150.tif 000005
【図４】
2013017150.tif 000006
【図５ａ】
2013017150.tif 000007
【図５ｂ】
2013017150.tif 000008
【図５ｃ】
2013017150.tif 000009
【図５ｄ】
2013017150.tif 000010
【図５ｅ】
2013017150.tif 000011
【図６】
2013017150.tif 000012
【図７】
2013017150.tif 000013
【図８】
2013017150.tif 000014
【図９】
2013017150.tif 000015
【図１０】
2013017150.tif 000016
【図１１】
2013017150.tif 000017
【図１２】
2013017150.tif 000018
【図１３】
2013017150.tif 000019
【図１４】
2013017150.tif 000020
【図１５】
2013017150.tif 000021
【図１６】
2013017150.tif 000022
【図１７】
2013017150.tif 000023
【図１８】
2013017150.tif 000024
【図１９】
2013017150.tif 000025
【図２０】
2013017150.tif 000026
【図２１】
2013017150.tif 000027
【図２２】
2013017150.tif 000028
【図２３】
2013017150.tif 000029
【図２４】
2013017150.tif 000030
【図２５】
2013017150.tif 000031
【図２６】
2013017150.tif 000032
【図２７】
2013017150.tif 000033
【図２８】
2013017150.tif 000034
【図２９】
2013017150.tif 000035
【図３０】
2013017150.tif 000036
【図３１】
2013017150.tif 000037
【図３２】
2013017150.tif 000038
【図３３】
2013017150.tif 000039
【図３４】
2013017150.tif 000040
【図３５】
2013017150.tif 000041
【図３６】
2013017150.tif 000042
【図３７】
2013017150.tif 000043
【図３８】
2013017150.tif 000044
【手続補正書】
【提出日】平成23年11月18日(2011.11.18)
【手続補正１】
【補正対象書類名】特許請求の範囲
【補正対象項目名】全文
【補正方法】変更
【補正の内容】
【特許請求の範囲】
【請求項１】
外耳道に挿入して使用されるイヤーピースを備えたカナル型受話器において、
前記イヤーピースは略円筒状であって、その内部に前記受話器内の発音体ユニットから放射される音波を前記外耳道内に放出する音導管を含むとともに、
該音導管は、前記カナル型受話器の前記イヤーピースが前記外耳道内の所定の位置に装着された状態において、前記音波の方向音波放射軸が前記外耳道の壁（以下「外耳道壁」という。）の所定の位置に向くように構成されていることを特徴とするカナル型受話器。
【請求項２】
前記発音体ユニットのハウジングの前面に突設した先端から音を放出する略筒状のハウジング音導管を前記イヤーピース内の音導管としたことを特徴とする請求項１に記載のカナル型受話器。
【請求項３】
前記音導管の方向音波放射軸が、前記外耳道内の前頭部側の側壁に向くように構成されていることを特徴とする請求項１又は２に記載のカナル型受話器。
【請求項４】
さらに、前記イヤーピース内に備えた第２の音導管と、該第２の音導管に音波を放射する第２の発音体ユニットとを備え、該第２の音導管の方向音波放射軸が前記外耳道内の後頭部側の側壁に向くように構成されていることを特徴とする請求項３に記載のカナル型受話器。
【請求項５】
請求項１に記載の音導管を複数本有するイヤーピースと、前記各音導管にそれぞれ接続された複数の発音体ユニットを備えたカナル型受話器であって、
前記各音導管の方向音波放射軸が前記外耳道内においてそれぞれ異なる向きなるように構成されていることを特徴とするカナル型受話器。
【請求項６】
前記音導管のうちの最短の音導管と、該音導管に接続された発音体ユニットとから成る音導管発音体を直接音用とし、前記最短の音導管の方向音波放射軸が前記外耳道内の前頭部側の側壁に向くように構成するとともに、前記直接音用の音導管発音体以外の音導管発音体をすべて間接音用とし、該間接音用の音導管発音体の方向音波放射軸を前頭部側の側壁以外のそれぞれ異なる外耳道壁部位へ向けたことを特徴とする請求項５に記載のカナル型受話器。
【請求項７】
請求項１に記載のカナル型受話器に使用されるイヤーピースであって、
前記イヤーピースは略円筒状であって、その内部に音導管を備えるとともに、
前記音導管は、前記イヤーピースが前記外耳道内の所定の位置に装着された状態において、前記音波の方向音波放射軸が前記外耳道壁の所定の位置に向くように構成されていることを特徴とするイヤーピース。
【請求項８】
前記音導管の方向音波放射軸が、前記外耳道内の前頭部側の側壁に向くように構成されていることを特徴とする請求項７に記載のイヤーピース。
【請求項９】
さらに第２の音導管を備え、該第２の音導管の方向音波放射軸が前記外耳道内の後頭部側の側壁に向くように構成されていることを特徴とする請求項８に記載のイヤーピース。
【請求項１０】
さらに第２及び第３の音導管を備え、該第２の音導管の方向音波放射軸が前記外耳道内の上方の側壁に向き、前記第３の音導管の方向音波放射軸が前記外耳道内の下方の側壁に向くように構成されていることを特徴とする請求項８に記載のイヤーピース。
【請求項１１】
さらに第３及び第４の音導管を備え、該第３の音導管の方向音波放射軸が前記外耳道内の上方の側壁に向き、前記第４の音導管の方向音波放射軸が前記外耳道内の下方の側壁に向くように構成されていることを特徴とする請求項９に記載のイヤーピース。
【請求項１２】
前記音導管をＮ本（Ｎは２以上の自然数）備え、前記音導管のうち最短の長さの音導管の方向音波放射軸が前記外耳道内の前頭部側の側壁に向くように構成されていることを特徴とする請求項７に記載のイヤーピース。
【請求項１３】
前記音導管のうち前記発音体ユニットのハウジング音導管に接続される部分を主音導管とし、前記主音導管を除いた部分を複数の分枝音導管に分岐した多分岐音導管とし、前記多分岐音導管の全ての分枝音導管の方向音波放射軸が前記外耳道壁の所定の位置に向くように構成されていることを特徴とする請求項７に記載のイヤーピース。
【請求項１４】
前記多分岐音導管に含まれる分枝音導管のうち最短の分枝音導管の方向音波放射軸が前記外耳道内の前頭部側の側壁に向くように構成されていることを特徴とする請求項１３に記載のイヤーピース。
【請求項１５】
前記多分岐音導管に含まれる分枝音導管のうち最短の分枝音導管を除く音導管の一部又は全部の方向音波放射軸が前記外耳道内の後頭部側の側壁に向くように構成されていることを特徴とする請求項１４に記載のイヤーピース。
【請求項１６】
前記音導管の音波放射口近傍の内側面の一部に、前記音波を拡散又は反射させる機能を持つ音波反射拡散器を備えたことを特徴とする請求項７に記載のイヤーピース。
【請求項１７】
前記音導管を、イヤーピース先端の音波放射口に向かって次第に径が広がるホーン形状としたことを特徴とする請求項７に記載のイヤーピース。
【請求項１８】
前記音導管の音波放射口の管状部の一部を延出させて支片部を形成し、該支片部を前記音波を拡散又は反射させる機能を持つ音波反射拡散器としたことを特徴とする請求項７に記載のイヤーピース。
【請求項１９】
請求項１３の多分岐音導管の主音導管に発音体ユニットを接続して成る多音波放射軸発音体ユニットを備えたことを特徴とするカナル型受話器。
【請求項２０】
前記多分岐音導管に含まれる分枝音導管のうち最短の分枝音導管の方向音波放射軸が前記外耳道内の前頭部側の側壁に向くように構成されていることを特徴とする請求項１９に記載のカナル型受話器。
【請求項２１】
さらに第２の多音波放射軸発音体ユニットを備え、該第２の多音波放射軸発音体ユニットの多分岐音導管に含まれる分枝音導管のうち最短の分枝音導管の方向音波放射軸が前記外耳道内の後頭部側の側壁に向くように構成されていることを特徴とする請求項２０に記載のカナル型受話器。
【請求項２２】
チェストピース部と該チェストピース部に接続した音導チューブと、該音導チューブを左耳用音導チューブと右耳用音導チューブとの２本に分岐し、該分岐した２本の音導チューブの先端部分にそれぞれ接続されたイヤーピースを備えた聴診器において、
前記イヤーピースが請求項７又は８に記載のイヤーピースであることを特徴とする聴診器。
【請求項２３】
振動膜によって閉塞された収音部を形成するキャビティを中央で左右２分割に仕切る仕切り壁と、該仕切られたそれぞれ２つのキャビティから突設した先端から音を放出する筒状の音導管とを備えたチェストピースと、該チェストピース部の前記左右の音導管に接続された左右の音導チューブと、該左右の各音導チューブの先端部分にそれぞれ接続された左耳用及び右耳用のイヤーピースを備えたステレオ聴診器において、
前記イヤーピースが請求項７、８、１４及び１５のいずれかに記載のイヤーピースであることを特徴とするステレオ聴診器。
【請求項２４】
振動膜によって閉塞された収音部を形成するキャビティを中央で左右２分割に仕切る仕切り壁と、該仕切られたそれぞれ２つのキャビティから突設した先端から音を放出する筒状の音導管とを備えたチェストピースと、該チェストピース部の前記左右の音導管に接続された左右の音導チューブと、該左右の各音導チューブの先端部分にそれぞれ接続された左耳用及び右耳用のイヤーピースを備えたステレオ聴診器において、
前記左右のイヤーピースは、請求項９に記載のイヤーピースであって、
前記左の音導チューブは更に左前用音導チューブと左後用音導チューブに分岐され、かつ、前記右の音導チューブは更に右前用音導チューブと右後用音導チューブに分岐されるとともに、
前記左前用音導チューブが、前記左耳用のイヤーピースの音導管のうち、その方向音波放射軸が前記外耳道内の前頭部側の側壁に向いている音導管に接続され、前記左後用音導チューブが、前記右耳用のイヤーピースの音導管のうち、その方向音波放射軸が前記外耳道内の後頭部側の側壁に向いている音導管に接続され、さらに、
前記右前用音導チューブが、前記右耳用のイヤーピースの音導管のうち、その方向音波放射軸が前記外耳道内の前頭部側の側壁に向いている音導管に接続され、前記右後用音導チューブが、前記左耳用のイヤーピースの音導管のうち、その方向音波放射軸が前記外耳道内の後頭部側の側壁に向いている音導管に接続されることを特徴とするステレオ聴診器。
【請求項２５】
振動膜によって閉塞された収音部を形成するキャビティを中央で左右２分割に仕切る仕切り壁と、該仕切られたそれぞれ２つのキャビティから突設した先端から音を放出する筒状の音導管とを備えたチェストピースと、該チェストピース部の前記左右の音導管に接続された左右の音導チューブと、該左右の各音導チューブにそれぞれ接続される左耳用及び右耳用のイヤーピースを備えたステレオ聴診器において、
前記左右のイヤーピースは、請求項１２（Ｎ＝２の場合）に記載のイヤーピースであって、
前記左の音導チューブは更に左前用音導チューブと左後用音導チューブに分岐され、かつ、前記右の音導チューブは更に右前用音導チューブと右後用音導チューブに分岐されるとともに、
前記左前用音導チューブが、前記左耳用のイヤーピースの音導管のうちの短い方の音導管に接続され、かつ、前記右前用音導チューブが、前記右耳用のイヤーピースの音導管のうちの短い方の音導管に接続され、さらに、前記左後用音導チューブが、前記右耳用のイヤーピースの音導管のうち長い方の音導管に接続され、かつ、前記右後用音導チューブが、前記左耳用のイヤーピースの音導管のうちの長い方の音導管に接続されることを特徴とするステレオ聴診器。
【請求項２６】
振動膜によって閉塞された収音部を形成するキャビティを中央で左右２分割に仕切る仕切り壁と、該仕切られたそれぞれ２つのキャビティから突設した先端から音を放出する筒状の音導管とを備えたチェストピースと、該チェストピース部の前記左右の音導管に接続された左右の音導チューブと、該左右の各音導チューブにそれぞれ接続される左耳用及び右耳用のイヤーピースを備えたステレオ聴診器において、
前記左右のイヤーピースは、請求項１２（Ｎ＝２の場合）に記載のイヤーピースであって、
前記左の音導チューブは更に左前用音導チューブと左後用音導チューブに分岐され、かつ、前記右の音導チューブは更に右前用音導チューブと右後用音導チューブに分岐されるとともに、
前記左前用音導チューブが、前記左耳用のイヤーピースの音導管のうちの短い方の音導管に接続され、かつ、前記右前用音導チューブが、前記右耳用のイヤーピースの音導管のうちの短い方の音導管に接続され、さらに、前記左後用音導チューブが、前記左耳用のイヤーピースの音導管のうち長い方の音導管に接続され、かつ、前記右後用音導チューブが、前記右耳用のイヤーピースの音導管のうちの長い方の音導管に接続されることを特徴とするステレオ聴診器。
【請求項２７】
振動膜によって閉塞された収音部を形成するキャビティを上下左右（振動膜の側から見た場合に、時計回りに上、右、下、左の順に並んでいるものとする。以下同じ）に４分割に仕切る仕切り壁と、該仕切られた上下左右の４つの各キャビティから突設した先端から音を放出する筒状の４本の音導管とを備えたチェストピースと、該チェストピース部の前記上下左右の各音導管に接続された４本の音導チューブと、該各音導チューブにそれぞれ接続される左耳用及び右耳用のイヤーピースを備えたステレオ聴診器において、
前記左右のイヤーピースは、請求項１０に記載のイヤーピースであって、
前記上のキャビティの音導チューブは２本に分岐されてそれぞれ前記左右のイヤーピースの第２の音導管に接続され、前記下のキャビティの音導チューブは２本に分岐されてそれぞれ前記左右のイヤーピースの第３の音導管に接続されるとともに、
前記左のキャビティの音導チューブは前記左用のイヤーピースの第１の音導管に接続され、前記右のキャビティの音導チューブは前記右用のイヤーピースの第１の音導管に接続されることを特徴とするステレオ聴診器。
【請求項２８】
振動膜によって閉塞された収音部を形成するキャビティを上下左右に４分割に仕切る仕切り壁と、該仕切られた上下左右の４つの各キャビティから突設した先端から音を放出する筒状の４本の音導管とを備えたチェストピースと、該チェストピース部の前記上下左右の各音導管に接続された４本の音導チューブと、該各音導チューブにそれぞれ接続される左耳用及び右耳用のイヤーピースを備えたステレオ聴診器において、
前記左右のイヤーピースは、請求項１１に記載のイヤーピースであって、
前記上のキャビティの音導チューブは２本に分岐されてそれぞれ前記左右のイヤーピースの第３の音導管に接続され、かつ、前記下のキャビティの音導チューブは２本に分岐されてそれぞれ前記左右のイヤーピースの第４の音導管に接続されるとともに、
前記右のキャビティの音導チューブは２本に分岐され、長くない方の分枝チューブは前記右用のイヤーピースの第１の音導管に接続され、他方の分枝チューブは前記左用の第２の音導管に接続され、さらに、
前記左のキャビティの音導チューブは２本に分岐され、長くない方の分枝チューブは前記左用のイヤーピースの第１の音導管に接続され、他方の分枝チューブは前記右用の第２の音導管に接続されることを特徴とするステレオ聴診器。
【請求項２９】
前記右のキャビティの音導チューブは２本に分岐され、長くない方の分枝チューブは前記右用のイヤーピースの第１の音導管に接続され、他方の分枝チューブは前記右用の第２の音導管に接続され、さらに、
前記左のキャビティの音導チューブは２本に分岐され、長くない方の分枝チューブは前記左用のイヤーピースの第１の音導管に接続され、他方の分枝チューブは前記左用の第２の音導管に接続されることを特徴とする請求項２８に記載のステレオ聴診器。
【請求項３０】
内部に収音マイクを備えたチェストピース部と、
該収音マイクからの電気信号を増幅する増幅器、電池及び電源スイッチを少なくとも備える本体部と、
前記増幅された電気信号により駆動され前記電気信号を音波に変換する発音体ユニットを備えた左右の一対のカナル型受話器とを備え、前記チェストピース部と前記本体部の間、前記本体部と前記カナル型受話器の間がそれぞれ信号線によって接続されて成る電子聴診器において、
前記カナル型受話器が、請求項1乃至３のいずれかに記載のカナル型受話器であることを特徴とする電子聴診器。
【請求項３１】
内部に収音マイクを備えたチェストピース部と、
該収音マイクからの電気信号を増幅する増幅器、該増幅された電気信号を所定時間遅延させる遅延処理装置、電池及び電源スイッチを少なくとも備える本体部と、
前記増幅された電気信号により駆動され、前記電気信号を音波に変換する発音体ユニットを備えた左右の一対のカナル型受話器とを備え、前記チェストピース部と前記本体部の間、前記本体部と前記カナル型受話器の間がそれぞれ信号線によって接続されて成る電子聴診器において、
前記カナル型受話器が、請求項４に記載のカナル型受話器であって、
前記左右のカナル型受話器の第１の発音体ユニットが、前記増幅され、かつ遅延処理がされていない電気信号によって駆動され、
前記左右のカナル型受話器の第２の発音体ユニットが、前記増幅され、かつ遅延処理がなされた電気信号によって駆動されることを特徴とする電子聴診器。
【請求項３２】
振動膜によって閉塞された収音部を形成するキャビティを中央で左右２分割に仕切り、各仕切られた左右のキャビティ内にそれぞれ収音マイクが配設されたチェストピース部と、
前記左右の各収音マイクからの電気信号を増幅する増幅器、電池及び電源スイッチを少なくとも備える本体部と、
前記増幅された電気信号により駆動され、前記電気信号を音波に変換する発音体ユニットを備えた左右の一対のカナル型受話器とを備え、前記チェストピース部と前記本体部の間、前記本体部と前記カナル型受話器の間がそれぞれ信号線によって接続されて成るステレオ電子聴診器において、
前記カナル型受話器が請求項３に記載のカナル型受話器であって、
前記右の収音マイクからの電気信号によって前記右用のカナル型受話器の発音体ユニットが駆動され、前記左の収音マイクからの電気信号によって前記左用のカナル型受話器の発音体ユニットが駆動されることを特徴とするステレオ電子聴診器。
【請求項３３】
振動膜によって閉塞された収音部を形成するキャビティを中央で左右２分割に仕切り、各仕切られた左右のキャビティ内にそれぞれ収音マイクが配設されたチェストピース部と、
該収音マイクからの電気信号を増幅する増幅器、該増幅された電気信号を所定時間遅延させる遅延処理装置、電池及び電源スイッチを少なくとも備える本体部と、
前記増幅された電気信号により駆動され、前記電気信号を音波に変換する発音体ユニットを備えた左右の一対のカナル型受話器とを備え、前記チェストピース部と前記本体部の間、前記本体部と前記カナル型受話器の間がそれぞれ信号線によって接続されて成るステレオ電子聴診器において、
前記カナル型受話器が、請求項４に記載のカナル型受話器であって、
前記左用のカナル型受話器の第１の発音体ユニットが、前記増幅され、かつ遅延処理がされていない前記左の収音マイクからの電気信号によって駆動され、
前記右用のカナル型受話器の第１の発音体ユニットが、前記増幅され、かつ遅延処理がされていない前記右の収音マイクからの電気信号によって駆動され、
前記左用のカナル型受話器の第２の発音体ユニットが、前記増幅され、かつ遅延処理がなされた前記右又は左の収音マイクからの電気信号によって駆動され、
前記右用のカナル型受話器の第２の発音体ユニットが、前記増幅され、かつ遅延処理がなされた前記左又は右の収音マイクからの電気信号によって駆動されることを特徴とするステレオ電子聴診器。
【請求項３４】
振動膜によって閉塞された収音部を形成するキャビティを上下左右に４分割に仕切る仕切り壁と、該仕切られた上下左右の４つの各キャビティ内にそれぞれ収音マイクが配設されたチェストピース部と、
前記各収音マイクからの電気信号を増幅する増幅器、電池及び電源スイッチを少なくとも備える本体部と、
前記増幅された電気信号により駆動され、前記電気信号を音波に変換する発音体ユニットを備えた左右の一対のカナル型受話器とを備え、前記チェストピース部と前記本体部の間、前記本体部と前記カナル型受話器の間がそれぞれ信号線によって接続されて成るステレオ電子聴診器において、
前記各カナル型受話器が、請求項５に記載のカナル型受話器（発音体ユニットが２個の場合）であって、かつ、外耳道内に装着された状態で前記第１の音導管の方向音波放射軸が外耳道の前頭部側壁に向けてかつ横断面と矢状面と冠状面に対して略４５度で斜め上側面に向き、前記第２の音導管の方向音波放射軸が外耳道の前頭部側壁に向けてかつ横断面と矢状面と冠状面に対して略４５度で斜め下側面に向くように構成され、
前記左用のカナル型受話器の第１の発音体ユニットが、前記上側のキャビティの収音マイクからの電気信号によって駆動され、
前記左用のカナル型受話器の第２の発音体ユニットが、前記左側のキャビティの収音マイクからの電気信号によって駆動され、
前記右用のカナル型受話器の第１の発音体ユニットが、前記下側のキャビティの収音マイクからの電気信号によって駆動され、
前記右用のカナル型受話器の第２の発音体ユニットが、前記右側のキャビティの収音マイクからの電気信号によって駆動されることを特徴とするステレオ電子聴診器。
【請求項３５】
振動膜によって閉塞された収音部を形成するキャビティを上下左右に４分割に仕切る仕切り壁と、該仕切られた上下左右の４つの各キャビティ内にそれぞれ収音マイクが配設されたチェストピース部と、
前記各収音マイクからの電気信号を増幅する増幅器、電池及び電源スイッチを少なくとも備える本体部と、
前記増幅された電気信号により駆動され、前記電気信号を音波に変換する発音体ユニットを備えた左右の一対のカナル型受話器とを備え、前記チェストピース部と前記本体部の間、前記本体部と前記カナル型受話器の間がそれぞれ信号線によって接続されて成るステレオ電子聴診器において、
前記各カナル型受話器が、請求項１０に記載のイヤーピースの各音導管にそれぞれ発音体ユニットが接続されて成るカナル型受話器であって、
前記左用のカナル型受話器の第１の発音体ユニットが、前記左側のキャビティの収音マイクからの電気信号によって駆動され、
前記右用のカナル型受話器の第１の発音体ユニットが、前記右側のキャビティの収音マイクからの電気信号によって駆動され、
前記左用及び右用のカナル型受話器の第２の発音体ユニットが、前記上側のキャビティの収音マイクからの電気信号によってそれぞれ駆動され、
前記左用及び右用のカナル型受話器の第３の発音体ユニットが、前記下側のキャビティの収音マイクからの電気信号によってそれぞれ駆動されることを特徴とするステレオ電子聴診器。
【請求項３６】
振動膜によって閉塞された収音部を形成するキャビティを上下左右に４分割に仕切る仕切り壁と、該仕切られた上下左右の４つの各キャビティ内にそれぞれ収音マイクが配設されたチェストピース部と、
前記各収音マイクからの電気信号を増幅する増幅器、該増幅された電気信号を所定時間遅延させる遅延処理装置、電池及び電源スイッチを少なくとも備える本体部と、
前記増幅された電気信号により駆動され、前記電気信号を音波に変換する発音体ユニットを備えた左右の一対のカナル型受話器とを備え、前記チェストピース部と前記本体部の間、前記本体部と前記カナル型受話器の間がそれぞれ信号線によって接続されて成るステレオ電子聴診器において、
前記各カナル型受話器が、請求項１１に記載のイヤーピースの各音導管にそれぞれ発音体ユニットが接続されて成るカナル型受話器であって、
前記左用のカナル型受話器の第１の発音体ユニットが、前記増幅され、かつ遅延処理がされていない前記左の収音マイクからの電気信号によって駆動され、
前記右用のカナル型受話器の第１の発音体ユニットが、前記増幅され、かつ遅延処理がされていない前記右の収音マイクからの電気信号によって駆動され、
前記左用のカナル型受話器の第２の発音体ユニットが、前記増幅され、かつ遅延処理がなされた前記右の収音マイクからの電気信号によって駆動され、
前記右用のカナル型受話器の第２の発音体ユニットが、前記増幅され、かつ遅延処理がなされた前記左の収音マイクからの電気信号によって駆動され、
前記左用及び右用のカナル型受話器の第３の発音体ユニットが、前記増幅され、かつ遅延処理がされていない前記上の収音マイクからの電気信号によって駆動され、
前記左用及び右用のカナル型受話器の第４の発音体ユニットが、前記増幅され、かつ遅延処理がされていない前記下の収音マイクからの電気信号によって駆動されることを特徴とするステレオ電子聴診器。
【請求項３７】
使用者の前方からの音を集音する前方マイク及び後方からの音を集音する後方マイクと、
前記各マイクからの音声信号を少なくとも増幅し出力する補聴処理手段と、
前記補聴処理手段の出力信号によって駆動され、前記音声信号を音波に変換する発音体ユニットを有する受話器とを備え、該受話器のイヤーピースを外耳道に挿入して使用する補聴器であって、
前記受話器が請求項４に記載のカナル型受話器であり、
前記カナル型受話器の第１発音体ユニットが、前記補聴処理された前記前方マイクからの音声信号によって駆動され、
前記カナル型受話器の第２発音体ユニットが、前記補聴処理された前記後方マイクからの音声信号によって駆動されることを特徴とする補聴器。
【請求項３８】
イヤーピースを外耳道に挿入し、筐体を耳輪後方に装着して使用する耳掛式補聴器であって、
前記筐体内あるいはその上部あるいはその近傍に、集音軸を矢状面に対して０度より大きくかつ９０度より小さな角度で配設した前方マイクと、集音軸を矢状面に対して９０度より多くかつ１８０度より小さい角度で配設した後方マイクとを備え、さらに、
前記筐体内に、前記前方マイクの出力信号を補聴処理する補聴処理手段１と、前記後方マイクの出力信号を補聴処理する補聴処理手段２と、前記補聴処理された前方マイクの出力信号を音波に変換する前方発音体ユニットと、前記補聴処理された後方マイクの出力信号を音波に変換する後方発音体ユニットとを備え、
前記イヤーピースが請求項９に記載のイヤーピースであり、
前記前方発音体ユニットを前記イヤーピースの第１の音導管とを音導チューブ１で接続し、前記後方発音体ユニットを前記イヤーピースの第２の音導管とを音導チューブ２接続したことを特徴とする耳掛式補聴器。
【請求項３９】
受話器のイヤーピースを外耳道に挿入し、筐体を耳輪後方に装着して使用する耳掛式補聴器であって、
前記筐体内あるいはその上部あるいはその近傍に、集音軸を矢状面に対して０度より大きくかつ９０度より小さな角度で配設した前方マイクと、集音軸を矢状面に対して９０度より多くかつ１８０度より小さい角度で配設した後方マイクとを備え、さらに、
前記筐体内に、前記前方マイクの出力信号を補聴処理する補聴処理手段１と、前記後方マイクの出力信号を補聴処理する補聴処理手段２と備え、
前記受話器が請求項４に記載のカナル型受話器であり、
前記補聴処理手段１と前記カナル型受話器の第１の発音体ユニットとを信号線で接続して、前記補聴処理手段１の出力信号で前記第１の発音体ユニットを駆動し、
前記補聴処理手段２と前記カナル型受話器の第２の発音体ユニットとを信号線で接続して、前記補聴処理手段２の出力信号で前記第２の発音体ユニットを駆動することを特徴とする耳掛式補聴器。
【請求項４０】
耳穴式補聴器であって、前方発音体ユニットと後方発音体ユニットとをケース内に備え、ケースより耳甲介中央から対輪方向へ延出した支片部を形成し、該支片部に前方マイクのマイク集音軸を矢状面に対して０度より大きく９０度より小さい範囲内の角度で配設し、後方マイクの集音軸を矢状面に対して９０度より大きく１８０度より小さい範囲内の角度で配設し、かつ耳珠対対珠対輪稜線面を通過するよう該支片部に配置するかあるいは本体ケースに配置し、前方マイクの出力信号を補聴処理する補聴処理手段１と後方マイクの出力信号を補聴処理する補聴処理手段２と電池とを備え、補聴処理手段１の出力信号で前方発音体ユニットを駆動し、補聴処理手段２の出力信号で後方発音体ユニットを駆動し、外耳道内に挿入されるケースの先端の音波放射口から前方発音体ユニットの方向音波放射軸を外耳道側壁の前頭部側に向けて音波を放射するように配設し、後方発音体ユニットの方向音波放射軸は外耳道の外耳道側壁の後頭部側に向けて音波を放射するように配設した耳穴式補聴器。
【請求項４１】
耳穴式補聴器であって、前方発音体ユニットと後方発音体ユニットとをケース内に備え、前方マイクのマイク集音軸を耳甲介中央近傍から対輪方向に向けてかつ耳珠対対珠対輪稜線面を通過しないようにケース本体に配置し、後方マイクはマイクの集音軸が矢状面に対して９０度より大きく１８０度より小さい角度でかつ耳珠対対珠対輪稜線面を通過するようケースに配置し、前方マイクの出力信号を補聴処理する補聴処理手段１と後方マイクの出力信号を補聴処理する補聴処理手段２と電池とをケース内に備え、補聴処理手段１の出力信号で前方発音体ユニットを駆動し、補聴処理手段２の出力信号で後方発音体ユニットを駆動し、外耳道内に挿入されるケースの先端の音波放射口から前方発音体ユニットの方向音波放射軸を前頭部側の外耳道側壁に向けて音波を放射するように配設し、後方発音体ユニットの方向音波放射軸は外耳道の後頭部側の外耳道側壁に向けて音波を放射するように配設した耳穴式補聴器。
【請求項４２】
ディープカナル型補聴器であって、前方発音体ユニットと後方発音体ユニットとをケース内に備え、前方マイクは前方マイク集音軸を耳珠内側面または耳甲介中央近傍から対輪までの耳甲介の領域方向に向けてかつ耳珠対対珠対輪稜線面を通過しないようにケースに配置し、後方マイタは後方マイクの集音軸を矢状面に対して９０度より大きく１８０度より小さい範囲内の角度でかつ耳珠対対珠対輪稜線面を通過する方向に配置するか、あるいは後方マイク集音軸を耳珠基底部から外耳道口周囲に連なる部位に向けてケースに配置し、前方マイクの出力信号を補聴処理する補聴処理手段１と後方マイクの出力信号を補聴処理する補聴処理手段２と電池とを備え、補聴処理手段１の出力信号で前方発音体ユニットを駆動し、補聴処理手段２の出力信号で後方発音体ユニットを駆動し、外耳道内に挿入されるケースの先端の音波放射口から前方発音体ユニットの方向音波放射軸を前頭部側の外耳道側壁に向けて音波を放射するように配設し、後方発音体ユニットの方向音波放射軸は外耳道の後頭部側の外耳道側壁に向けて音波を放射するように配設したディープカナル型補聴器。
【手続補正２】
【補正対象書類名】明細書
【補正対象項目名】全文
【補正方法】変更
【補正の内容】
【発明の詳細な説明】
【技術分野】
【０００１】
本発明はカナル型受話器のイヤーピース及びそれを利用したカナル型受話器に関し、例えばイヤホン、ヘッドホン、サラウンドヘッドホン、ノイズキャンセリングヘッドホン、携帯型ゲーム機用受話器、３Ｄゲーム機用受話器、３Ｄテレビ用受話器、移動通信機器、航空機シミュレータや戦闘機の戦闘シミュレータ、補聴器、電子聴診器を含む聴診器、航空機内で使用する音響機器、携帯型音響機器などに好適なものである。
【背景技術】
【０００２】
受話器は音を聴くための多くの聴音機器に使用されている。耳に被すようにつくられた覆いの中に受話器を組み込んだものがヘッドホンであり、受話器を耳甲介に挿入して使用するイントラコンカ型（インナーイヤー型ともいう。）や、受話器のイヤーピースを外耳道に直接差し込んで使用するカナル型（カナルとは外耳道を意味する。）と呼ばれるものも知られている。イントラコンカ型やカナル型のように、耳に差し込んで使用するタイプの受話器を総称してインナー型受話器という。これらは携帯電話などの電話機器、マイクから収音した音情報を電気的に増幅した後に受話器によって鼓膜に伝える補聴器などにも使用されている。受話器はスピーカーなどの発音体をハウジングに収め、耳介や外耳道口や外耳道内へ発音体の音波を放射して使用する。カナル型受話器使用においては、イヤーピースが必要となる。ヘッドホンにおいては耳介機能を活用した文献が散見されている。
【先行技術文献】
【特許文献】
【０００３】
【特許文献１】特開２０１０−２８７９２７
【特許文献２】特開２０１０−２６８０３８
【特許文献３】特開２００６−２２２９６２
【特許文献４】特開２００５−１１７５９４
【特許文献５】特開２００６−２４６４１５
【発明の概要】
【発明が解決しようとする課題】
【０００４】
従来のカナル型受話器での片耳聴音（片方の耳だけで聞く聴音、単耳聴音とも言う）は不明瞭かつ不自然であり、ヘッドホンやイヤホン、イヤホン使用の電話（携帯電話も含む）、ことに補聴器においては不自然な聴音のため使用困難な人も存在している。両耳聴音においても音が頭の中で鳴ってしまう頭内定位の問題がいまだ解決されたとは言えない。また上方向からの音と下方向からの音の識別可能な受話器も提供されていない。
【０００５】
頭内定位問題の解決のため、特許文献３と特許文献４が開示されている。
また従来の補聴器は、片耳聴音に関しては聞きたい音と聞きたくない音を聞き分けることが困難となる問題点があった。
本願の目的は、片耳聴音のみでも前後に亘る音場を再生可能とするカナル型受話器を使用することで前後音の識別を可能とし、かつ明瞭で自然な聴音ができ、また、両耳聴音においては、頭内定位問題を解決したカナル型受話器、片耳聴音のみでも前後音の識別、上下前後にわたる音場が再生可能な受話器と、該受話器を利用した聴診器や聞きたい音だけが聞きやすい補聴器を提供することにある。
【課題を解決するための手段】
【０００６】
本発明のカナル型受話器に使用する発音体とは、スピーカーまたはその他の電気音響変換素子、または聴診器においてはチェストピースの振動膜あるいはドーム型の閉塞された収音部を形成するキャビティから突設した先端から音を放出する略筒状の音導管に接続した音導チューブの他端の音波放射口をもチェストピース型発音体としてこれをも含むこととする。
【０００７】
発音体を収めたハウジングに設けられた音波放射用の略筒状の音導管をハウジング音導管と称し、ハウジング音導管を有するハウジングに収めた発音体を発音体ユニットと称することとする。以下で述べるイヤーピースとは、このハウジング音導管に嵌合する管あるいは音導管を埋設した筒状部を有するイヤーピースのことであり、筒状部の一端側に連結し筒状部の外側にそれを覆うように傘状に延在する傘状部を有しても良い。特に指定のない場合は、本願イヤーピースや受話器の横断面図は全て上から見た横断面図であり、正面図とは鼓膜側から見た正面図を示す。
【０００８】
音波放射軸について図１（ａ）で発音体としてスピーカーを用いた例で示すと、音電気信号を音波に変換する発音体１０の中心と発生音波の進行方向での音波の中心とを結ぶ軸を音波放射軸１１と称し、矢印は音波の進む方向を示す。また発音体ユニット１４に音導管を接続する場合、発音体と接続する音導管の他端の音波を放射する音導管の断面を音波放射断面１２と称し、１つの音導管を１つの発音体ユニットに接続した複合体を以後音導管発音体と称する。図１（ｂ）の１３は音導管を曲げた場合の音導管発音体の音波放射軸を示し、音波放射断面の中心から音波放射断面に対して垂直な軸となる。（ｂ）は解りやすくするため、ハウジング音導管と接続した管状部外周のイヤーピースの傘状部部位を除去した図である。１４は発音体ユニット、１７はハウジング音導管と接続した音導管、１９はハウジング音導管を示す。
【０００９】
図１（ｃ）は本願発明の一部であるカナル型受話器の一例の概略横断面図である。カナル型受話器において、ハウジング音導管１５と嵌合接続する（以後単に接続という。）イヤーピース筒状部内の音導管１６を備えるカナル型受話器においては、ハウジング音導管１５とイヤーピース筒状部内の音導管１６、あるいはハウジング音導管１５に接続された音導管１６は機能として同じであるため、以後これらを共に管内音導管と総称することとする。管内音導管の音波放射断面１２の中心から発生音波の進行方向での音波の中心とを結ぶ軸を音導管音波放射軸と称し図１（ｃ）において１８で示す。
矢印は音波の進む方向を示す。以後音波放射軸と音導管音波放射軸との両方は共に音波放射方向を示すため、この両方を方向音波放射軸と総称することとする。
【００１０】
図２は外耳道面での頭部横断面図を示す。図２（ａ）はイヤーピースの先端が挿入される外耳道部位２３の外耳道の中心軸２１あるいは従来のカナル型受話器２６の外耳道に挿入するイヤーピースの中心軸２２（ｂ）を示し、２４は耳珠、２５は耳介である。
本願発明の中心事項はカナル型受話器が外耳道に挿入されている部位での外耳道の中心軸と、このカナル型受話器の発音体ユニットの方向音波放射軸とが平行とならないように図３（ａ）の３０１、図３（ｂ）の３０２で示す発音体ユニットの方向音波放射軸を外耳道管の一部に向けて音波を放射する構造とする。３０６は管内音導管である。
【００１１】
発音体ユニットの方向音波放射軸を外耳道壁の一部に向けて音波を放射すると、放射された外耳道壁の部位の違いによって鼓膜への音波の伝達の仕方に違いが生じ、この違いが音情報の１つである音の到来方向の情報となることが判明した。即ち、外耳道壁の異なる部位ヘ方向音波放射軸を向けて音波を放射すると、異なる方向からの到来音波として知覚することができ、その結果として、音質の向上も達成されていることが判明した。これは新たな外耳道機能の発見である。音波を一旦外耳道壁に反射させると音波が効率よく鼓膜へ到達され音質の向上が生じたと思われる。
【００１２】
図３は外耳道における頭部横断面図である。（ａ）に示す様にカナル型受話器においてイヤーピースの先端が外耳道に挿入されている状態で発音体ユニットの方向音波放射軸３０１を外耳道の前頭部側の側壁３０３に向けて音波を放射すると前方音として、図３（ｂ）に示す様に発音体ユニットの方向音波放射軸３０２を外耳道の後頭部側の側壁３０４に向けて音波を放射すると後方音として、それぞれ知覚できる。図３の３０５は外耳道中心軸である。図４は頭部の外耳道部での縦断面図であり、（ａ）の様に方向音波放射軸４０２を外耳道の上面壁４０４に向けて音波を放射すると上方向からの音として、図４（ｂ）の様に方向音波放射軸４０１を外耳道の下面壁４０３に向けて音波を放射すると下方向からの音として、それぞれ知覚されることが判明した。４０５と４０６は管内音導管、４００は耳介を示す。ここで言う外耳道の前頭部側の側壁とは外耳道の鼻側の側壁のことであり、外耳道の後頭部側の側壁とは外耳道の後頭部側の側壁のことである。
【００１３】
従って、発音体ユニットの方向音波放射軸を所定の外耳道壁部位へ向けて音波を放射させるように管内音導管を配設したイヤーピースを使用したカナル型受話器の構造であれば、所望の方向から到来した音として聴取できるカナル型受話器が提供可能となる。従って、外耳道に音導管を挿入して音波を鼓膜へ伝達する聴音装置において、管内音導管の方向音波放射軸を所定の外耳道壁に向けて音波を放射すれば、所望の方向から到来した音として聴取できる聴音装置や受話器を提供できる。
【００１４】
このように、発音体ユニットの方向音波放射軸を外耳道壁の一部に放射することにより到来音の方向が認知され、かつ頭外定位し、しかも立ち上がりの良い高音質な聴音が可能となる効果が得られ、更に頭内定位よりも前方定位させる方が広い空間の音場で聴けるため定位分解能が高まる効果も得られる。
【００１５】
イヤーピース内の音導管の方向音波放射軸がイヤーピースの先端が挿入される外耳道部位で外耳道の前頭部側の側壁に向けて音波を放射するようイヤーピース内に音導管を配設したイヤーピースを前方音イヤーピースと称することとする。
【００１６】
前方音イヤーピースに発音体ユニットを接続した受話器を、以後前方定位受話器と称し、これを左右一組使用すれば前方定位したステレオ用カナル型受話器となる。イヤーピース内の音導管ではなくてハウジング音導管を延長して前方音イヤーピース内の音導管の代用としても同様な効果が得られる。またイヤーピース内の音導管の方向音波放射軸をイヤーピースの先端が挿入される外耳道部位で外耳道の後頭部側壁に向けて音波を放射するようイヤーピース内の音導管を配設したイヤーピースを後方音イヤーピースと称し、後方音イヤーピースに発音体ユニットを接続した受話器を以後は後方定位受話器と称する。前方定位受話器と後方定位受話器とを備えた受話器とすれば前後の音場が再生可能となる。
【００１７】
イヤーピースを使用する受話器において、イヤーピース内に第１音導管と第２音導管の２本の音導管を備え、第１音導管の方向音波放射軸をイヤーピースの先端が挿入される外耳道部位で外耳道の前頭部側の側壁に向けて音波を放射するようイヤーピース内に配設し、第２音導管の方向音波放射軸をイヤーピースの先端が挿入される外耳道部位で外耳道の後頭部側の側壁に向けて音波を放射するようイヤーピース内に配設したイヤーピースを前後音イヤーピースと称し、第１発音体を収めた発音体ユニットを第１発音体ユニットとし、第１発音体ユニットのハウジング音導管と第１音導管を接続し、第２発音体を収めた発音体ユニットを第２発音体ユニットとし、第２発音体ユニットのハウジング音導管と第２音導管を接続し、これらを組み合わせた受話器とすれば、前後の識別が可能な前後の音場再生受話器となる。これを以後、前後音場受話器と称する。この場合、第１発音体ユニットは前方音担当発音体ユニットであり、第２発音体ユニットは後方音担当発音体ユニットとなる。以後前方音担当発音体ユニットを前方発音体ユニットと称し、後方音担当発音体ユニットを後方発音体ユニットと称することとする。
【００１８】
上記イヤーピース内の第１音導管と第２音導管の代わりに、発音体ユニットのハウジング音導管を延長してイヤーピース内の第１音導管あるいは第２音導管の代用としても同様な効果が得られる。イヤーピース内の第２音導管を第１音導管より長くし、第２音導管に接続した発音体ユニットからの音波を遅延させて鼓膜へ到達させれば、第２音導管から放射される音波で間接音効果が得られ、前方定位がより明確となり分解能が向上する。
例えば第２音導管の一部をコイル状として管路を長くするのも遅延時間を確保するのに有効である。
【００１９】
この前後音場受話器を使用すれば、片側の耳のみ受話器を使用して音を聞く片耳聴音においても前後の音場が再生可能な受話器となる。図５（ａ）は右耳用の前後音場受話器の正面図であり、５８は前方音の音波放射口、５９は後方音の音波放射口を示す。図５（ｂ）は右耳用の前後音場受話器の横断面図である。５４は前方音用管内音導管、５５は後方音用管内音導管、５６は前方発音体ユニット、５７は後方発音体ユニットである。図５（ｅ）は前後音場受話器の外耳道における装着横断面図である。５０６は外耳道中心軸、５０７は耳珠、５０８は対輪、５０４は前方音用管内音導管、５０５は後方音用管内音導管である。
【００２０】
この前後にわたる音場を再生できる前後音場受話器を左右一対備えれば、サラウンド再生が可能なカナル型受話器となる。
【００２１】
図４の外耳道での縦断面で示す様に、図４（ａ）の発音体の方向音波放射軸４０２をイヤーピースの先端が挿入される外耳道部位で外耳道の上壁４０４に向けて音波を放射する発音体ユニットを使用した方式の受話器を、以後は上方定位受話器と称し、図４（ｂ）の様に発音体の方向音波放射軸４０１をイヤーピースの先端が挿入される外耳道部位で外耳道の下壁４０３に向けて音波を放射する発音体ユニットを使用した方式の受話器を以後は下方定位受話器と称することとする。
前後音場受話器に、この上方定位受話器と下方定位受話器を構成する２種類の発音体ユニットを加えれば、上下前後音場を聞き分けることが可能となる。
【００２２】
図８（ａ）に示すイヤーピースは、イヤーピース筒状部８０６内に第１音導管８５と第２音導管８６と第３音導管８７と第４音導管８８の４本の音導管を配置した右耳用イヤーピースと、該４本の音導管に４個の発音体ユニット（８１〜８４）を接続した概略図であって、第１音導管の音導管音波放射軸を外耳道の上壁へ向け、第２音導管の音導管音波放射軸を外耳道の前頭部側の側壁へ向け、第３音導管の音導管音波放射軸を外耳道の下壁へ向け、第４音導管の音導管音波放射軸を外耳道の後頭部側の側壁へ向けて該４本の音導管を配置した筒状部の構成を有するイヤーピースを示し、このイヤーピースを以後上下前後音イヤーピースと称することとし、第１音導管を上方音用発音体を収めた第１発音体ユニット８４に接続し、第２音導管を前方発音体を収めた第２発音体ユニット８１に接続し、第３音導管を下方音用発音体を収めた第３発音体ユニット８３に接続し、第４音導管を後方発音体を収めた第４発音体ユニット８２に接続した受話器とすれば、上下前後方向からの到来音の方向を識別可能な受話器となる。以後この受話器を上下前後音場受話器と称する。
【００２３】
またイヤーピース筒状部内の管内音導管の代わりに発音体ユニットのハウジング音導管を延長して第１音導管あるいは第２音導管あるいは第３音導管あるいは第４音導管の代用としても同様な効果が得られる。
【００２４】
上下前後音イヤーピースの第４音導管とこれに接続する後音用発音体ユニットを省略して簡素化したイヤーピースを上下前音イヤーピースと称し、図２５（ａ）に右耳用の上下前音イヤーピースの概略斜視図を示す。イヤーピース筒状部内に第１音導管２５０１と第２音導管２５０２と第３音導管２５０３の３本の音導管を配置し、第１音導管の音導管音波放射軸を外耳道の上面壁へ、第２音導管の音導管音波放射軸を外耳道の前頭部側の側壁へ、第３音導管の音導管音波放射軸を外耳道の下面壁へ向けて３本の音導管をイヤーピース筒状部に配置したイヤーピースとし、第１音導管を上方音用発音体を収めた発音体ユニット２５０４に接続し、第２音導管を前方発音体を収めた発音体ユニット２５０５に接続し、第３音導管を下方音用発音体を収めた発音体ユニット２５０６に接続した受話器とすれば、上下前方向からの到来音の方向を識別可能な右耳用上下前音受話器となる。（ｂ）は左耳用上下前音受話器を示す。これらの受話器を以後、上下前音場受話器と称する。またイヤーピース筒状部内の音導管の代わりにそれぞれの発音体ユニットのハウジング音導管を延長してイヤーピースの第１音導管あるいは第２音導管あるいは第３音導管の代用としても同様な効果が得られる。上述のとおり、前方発音体を収めた発音体ユニットは前方発音体ユニットであり、後方発音体を収めた発音体ユニットは後方発音体ユニットである。
【００２５】
以下で述べる直接音とは、聞きたい音の音波発生源から最短時間で耳に入力される音のことであり、間接音とは、音波発生源からの音波が周囲の環境物体で一旦反射した後に直接音より遅れて耳に入力される音のことである。
【００２６】
カナル型受話器において、１つのイヤーピースの筒状部内にＮ本（Ｎは２以上の整数）の音導管を備え、このイヤーピース内のＮ本の音導管の有する方向音波放射軸の外耳道側壁に対する入射角度をそれぞれ変えて、それぞれの音導管に対応したＮ個の発音体ユニットを接続することにより、イヤーピース筒状部内の音導管数と同数の異なる方向からの音源方向情報を鼓膜に入力させることが可能となる。即ちＮ方向の識別可能なＮチャンネル受話器となる。図６にＮ＝３の場合の右耳用前方３チャンネル受話器の一例の概略横断面を示す。６０１は第１チャンネル用発音体ユニットを示し、６０２は第２チャンネル用発音体ユニット、６０３は第３チャンネル用発音体ユニットであり、６０４と６０５と６０６は方向音波放射軸を示し、６０７はイヤーピース傘状部、６１１は第１チャンネルの音導管、６１２は第２チャンネルの音導管、６１３は第３チャンネルの音導管を示す。
【００２７】
このＮ本の音導管のうちの最短の音導管に接続した発音体ユニットを直接音用とし、他の発音体ユニットを間接音用とすれば、前方定位した高音質な臨場感に富む音が受聴できる。直接音用の発音体ユニットの音導管音波放射軸は、イヤーピースが外耳道の前頭部側の側壁に向けて音波を放射するようにイヤーピース内に配設する。自然な聴音においては、聞きたい直接音とその他の無数の間接音が上下左右前後の多数の方向から到来してその音が鼓膜に入力されているので、Ｎの数を増加させればより自然な聴音に近づけることが可能となる。
【００２８】
この複数の発音体ユニットのうち、イヤーピース内の最短の音導管と接続した発音体ユニットを直接音用の発音体ユニットとし、最短の音導管以外の音導管と接続した発音体ユニットを間接音担当の発音体ユニットとする。間接音用発音体ユニットを直接音用発音体ユニットを駆動する音声信号を所定の時間遅延させた音声信号で駆動すれば、より高音質な受話器となる。音声信号を遅延させるには、間接音用発音体ユニットと接続する音導管の長さを種々の長さとするか、または遅延時間生成装置付きアンプで所定の遅延時間を生成して間接音用発音体ユニットを駆動すれば良い。以下で述べる遅延処理装置とは電気信号の信号レベルを調節した後に所定時間遅延させる装置のことである。また受話装置とは、受話器とこれを駆動するアンプを含めた装置のこととする。
【００２９】
遅延処理装置の一例を図９のブロック図で示すと、ステレオ構成において右あるいは左チャンネルの音声信号を直接音として音声信号１とすると、図９（ａ）は間接音用のＮ個の異なる遅延処理装置付きアンプの入力信号を音声信号１とした場合を示し、図９（ｂ）を右チャンネルが直接音の音声信号１とした場合は左チャンネルを音声信号２とし、左チャンネルを音声信号１とした場合は右チャンネルを音声信号２としてＮ個の間接音用の異なる遅延処理装置付きアンプの入力信号を音声信号２とした場合を示す。この様な構成アンプによって、より自然な聴音が可能なステレオヘッドホンとなる。人は聴音において環境状況により反射された間接音が時間差を持って左右両耳にも入力しているはずであるからである。Ｎは自然数である。
【００３０】
上述のとおり、前方発音体とは聴音時に前方から到来する音源の聴音用音波放射を担当する発音体であり、後方発音体とは聴音時に後方から到来する音源の聴音用音波放射を担当する発音体のことである。
同様に、上方発音体とは聴音時に上方向から到来する音源の聴音用音波放射を担当する発音体のことであり、下方発音体とは聴音時に下方向から到来する音源の聴音用音波放射を担当する発音体のことである。
【００３１】
１つの発音体ユニットに複数の音導管を接続して複数の音導管の音波放射軸を形成するか、又は図１０に示す様に１つの発音体ユニットに１本の音導管を接続し、これを主音導管１０１と称し、この主音導管を更に複数に分岐し、この分岐した音導管を分枝音導管１０２と称すると、分枝音導管も音導管であるため、それぞれの分枝音導管の音波放射軸はそれぞれ独立した１つの音波放射軸としての機能を有することが判明した。１０４は発音体ユニット、１０５はハウジング音導管を示す。図１０で示す様に複数の分枝音導管１０２の方向音波放射軸１０３は交差させた後に標的とする外耳道壁へ音波を放射させるように配設しても良い。
【００３２】
以後、この分枝音導管の音波放射軸１０３を分枝音導管音波放射軸と称し、主音導管と分枝音導管とを含めて多分岐音導管と称することとし、この多分岐音導管をイヤーピース筒状部内に備えたイヤーピースを分枝音導管イヤーピースと称することとする。イヤーピース筒状部内の管内音導管の代わりに、ハウジング音導管１０５を延長して多分岐音導管の代用としても同様な効果が得られる。
【００３３】
分枝音導管イヤーピースを使用することで、１つの発音体ユニットからでも分枝音導管の長さを変えることで１つの直接音と多数方向からの間接音を鼓膜へ入力させることが可能となる。以後複数の分枝音導管を持つ主音導管に接続した発音体ユニットを多音波放射軸発音体ユニットと称する。図７に３本の分枝音導管を備えたイヤーピースの例の概略図を示す。（ａ）は横断面図で（ｂ）は鼓膜側から見た正面図である。７１は主音導管、７３と７４は７２の直接音用分枝音導管に対して遅延時間を持たせた間接音効果を有する分枝音導管である。従って、１つの多音波放射軸発音体ユニットを受話器として使用することで、あたかも分枝音導管と同数の発音体ユニットで構成された音波放射軸を有する受話器と同様に、多方向から到来する多数の音波情報を鼓膜へ入力伝達することが可能となる。
【００３４】
分枝音導管の長さをそれぞれ異なる長さとした場合、分枝音導管のうち最短の分枝音導管を直接音用として分枝音導管音波放射軸をイヤーピースの先端が挿入される外耳道部位で外耳道の前頭部側の側壁に向けて配置させ、その他の分枝音導管音波放射軸を間接音用としてそれぞれ異なる外耳道壁に向けるよう配置し、該分枝音導管とこれに接続した主音導管を含めて前方音用分枝音導管イヤーピースと称し、その逆に、直接音用として分枝音導管音波放射軸をイヤーピースの先端が挿入される外耳道部位で外耳道の後頭部側の側壁に向けて配置させたものを後方音用分枝音導管イヤーピースと称することとする。
【００３５】
また、この分枝音導管のそれぞれの長さを変えることにより分枝音導管を有しない発音体ユニットと比べて多方向から、かつ多数の遅延時間を経て放音する音波放射軸が生成されるため、この多音波放射軸発音体ユニットを使用した受話器とすれば多数の間接音をも含めて聴音できる結果として、立体的で立ち上がりの良い高音質な音を受聴出来る効果が生じる。
【００３６】
以後、長さの異なる分枝音導管を持つイヤーピースを遅延分枝音導管付きイヤーピースと称し、図３１（ａ）に右耳用で分枝音導管の一部をコイル状としたより長い遅延時間を生成する遅延分枝音導管付きイヤーピースの概略図を示す。３１０１は発音体ユニットとの接続口を示し、３１０３は直接音音波放射口、３１０４は間接音音波放射口を示す。
【００３７】
イヤーピース内の最短の音導管を第１音導管とし、該第１音導管より長いＮ本（Ｎは自然数）の長さの異なる遅延時間生成用の音導管を有するイヤーピースをＤＮ音導管付きイヤーピース（ＤＮのＤは遅延用を意味しＮは音導管数を示す）と称し、最短の音導管を直接音用音導管とする。その他の遅延用音導管をＤ管と総称し、１本以上のＤ管を有する場合Ｄ管を識別するために個々の遅延用音導管をＤＮ音導管（Ｎは自然数）とし、例えばＤ１音導管とは１本目の遅延用音導管を示し、Ｄ２音導管とは２本目の遅延用音導管を示している。
【００３８】
図３１（ｂ）は１本の遅延時間生成用の音導管の一部をコイル状としたＤ１音導管付きイヤーピースを示し、３１０２は第１音導管、３１０５はＤ１音導管で間接音用発音体ユニットとの接続口を示し、３１０３は直接音音波放射口、３１０４はＤ１音導管の音波放射口を示す。（ａ）、（ｂ）ともに解りやすくするためイヤーピース内の音導管の形状のみを示す。３１００の破線はイヤーピース傘状部を示す。
【００３９】
図１３（ａ）は外耳道の一部１３４の模式概略図である。発音体ユニットの方向音波放射軸が外耳道壁と交わる点を通る矢状面１３５に対する方向音波放射軸１３７の矢状面に対する入射角１３１を矢状面軸入射角とし、図１３（ｂ）も同様に外耳道１３４の一部の模式概略図であり、方向音波放射軸が外耳道壁と交わる点を通る横断面１３６に対する方向音波放射軸１３７の入射角１３２を横断面軸入射角とすると、１つのハウジング内に複数の発音体ユニットを収め、複数の発音体ユニットと接続する複数の音導管を有するイヤーピースの先端が外耳道に挿入されている状態で複数の発音体ユニットの方向音波放射軸あるいは多音波放射軸発音体ユニットの分枝音導管音波放射軸をそれぞれ異なる外耳道壁部位ヘ向けるか、あるいは同じ外耳道壁部位であっても矢状面軸入射角あるいは横断面軸入射角が異なる角度となるようにイヤーピース内に配設することによって、多数の方向からの到来音波情報を鼓膜へ伝達させることができる。多音波放射軸発音体あるいは矢状面軸入射角あるいは横断面軸入射角あるいはその両方の異なる複数の発音体ユニットで受話器を構成すればより多方向からの音情報を鼓膜へ入力できる。
【００４０】
１つのイヤーピース内に第１多分岐音導管と第２多分岐音導管を配設し、第１多分岐音導管の最短の分枝音導管の分枝音導管音波放射軸をイヤーピースの先端が挿入される外耳道部位で外耳道の前頭部側の側壁に向けて配置させ、第２多分岐音導管の最短の分枝音導管の分枝音導管音波放射軸を、イヤーピースの先端が挿入される外耳道部位で外耳道の後頭部側の側壁に向けて配置させ、第１多分岐音導管の主音導管を第１主音導管、第２多分岐音導管の主音導管を第２主音導管と称し、該イヤーピースを前後多分岐音導管イヤーピースと称することとする。前後多分岐音導管イヤーピースの第１主音導管に直接音用発音体ユニットを接続し、第２主音導管に間接音用発音体ユニットを接続したカナル型受話器とすればより自然な聴音が可能となる。
【００４１】
前後多分岐音導管イヤーピースはサラウンド再生も可能であり、第１主音導管に前音用発音体ユニットを接続し、第２主音導管に後音用発音体ユニットを接続すればより自然なサラウンド聴音が可能となる。
【００４２】
カナル型受話器において、イヤーピース筒状部内の音導管の音波放射端面（図１の１２）から該音導管と接続する発音体ユニットのハウジング音導管までの間、あるいはハウジング音導管内に凸物を配置すれば、これを音波拡散器または音波反射器あるいはその両方の機能を持つ音波反射拡散器として機能させることが出来る。図１２（ａ）はハウジング音導管内に備えた音波反射拡散器１２３の概略横断面図であり、図１２（ｂ）はイヤーピース筒状部の管内音導管に備えた音波反射拡散器１２４の概略横断面図を示す。（ｃ）は右耳用の音波反射拡散器付きイヤーピースを鼓膜側から見た図１２（ｂ）の正面図で、１２５は音波反射拡散器断端であり、１２６は音波放射口で、１２０はイヤーピースの傘状部である。
【００４３】
この音波拡散器または音波反射器あるいはその両方の機能を持つ音波反射拡散器の形状は、図１２（ａ）で示す様に発音体から放射された音波１２２がこの音波拡散器または音波反射器に反射して標的とする所定の外耳道壁ヘ一様に反射、拡散して放射される形状であれば良い。拡散された音波は無数の音波放射軸１２１と同等の機能を有し、より自然な聴音となる効果を奏する。
【００４４】
この音波拡散器及び音波反射器の効果は、聴音した音が刺激的な音とならず、自然で柔らかい音が聴取可能となる。自然に到来する音は間接音も含めて多数の方向から外耳道壁へ伝達されているはずであり、音波拡散器及び音波反射器を配置すれば音波が標的とする外耳道壁へ拡散されて放射されるため、より自然な音へ近づけるのに有効である。特に高音において効果が著明である。この音波拡散器または音波反射器は、例えば、イヤーピース筒状部の音導管の内側面の一部分あるいはハウジング音導管内の一部に突物を設けることにより実現できる。材質や形状は音波を反射出来るものであればよい。音導管の音波放射端面から延出した支持片部を形成し、該支持片部に音波拡散器または音波反射器をイヤーピース音波放射端面から離して鼓膜寄りに配置してもよい。また、音波反射拡散器の代わりとして、図５（ｃ）のごとく音導管の内腔形状をホーン型形状として音波を標的とする外耳道壁へ拡散されて放射しても良い。５１０はハウジング音導管と接続する内腔形状を示し、５０９は音波放射口の内腔形状を示す。図５（ｄ）は鼓膜側から見た内腔形状をホーン形状とした前後音場受話器の音波放射口を示し、５１４は前方音用の音波放射口、５１５は後方音用の音波放射口を示す。
【００４５】
航空機の客席で使用されるチューブ式（音導管式）ステレオイヤーホンにおいても頭内定位した不自然な音でしか聴音できない欠点があった。航空機の客席で使用されるチューブ式ステレオイヤーホンにおいても、本発明の前方定位受話器の原理を活用して外耳道に挿入するイヤーピース内のチューブの音導管音波放射軸をイヤーピースの先端が挿入される外耳道部位で外耳道の前頭部側の側壁に向けて音波を放射するようにイヤーピース筒状部内に音導チューブを配設すれば、前方定位した聴音が可能となる。このように、イヤーピース筒状部内に配設された音導チューブを前方定位チューブと称し、これを使用した受話器を前方定位チューブ受話器と称することとする。これを左右１組で使用すれば前方定位するチューブ式のステレオイヤーホンとなる。
【００４６】
本発明の後方定位受話器の原理を活用して外耳道に挿入するチューブの音導管音波放射軸をイヤーピースの先端が挿入される外耳道部位で外耳道の後頭部側の側壁に向けて音波を放射するようイヤーピース筒状部内に音導チューブを配設すれば、後方定位した聴音が可能となる。前方定位チューブと後方定位チューブの両チューブを１つのイヤーピース筒状部内に配したイヤーピースを前後音場チューブイヤーピースと称し、この前後音場チューブイヤーピースを使用した受話器を前後音場チューブ受話器と称する。前後音場チューブ受話器を使用すれば前後音を聞き分けることが出来る。左右一対で使用すればサラウンド再生が可能となる。
また、サラウンド再生において前後音イヤーピースを用い前方発音体ユニットからの音を導音する前方音用チューブを前後音イヤーピースの第１音導管と接続し、後方発音体からの音を導音する後方音用チューブを前後音イヤーピースの第２音導管と接続しても良い。
【００４７】
聴診器への応用も可能で、イヤーピースを備える聴診器において聴診器のチェストピース部と該チェストピース部に接続した音導チューブと、該音導チューブを左耳用音導チューブと右耳用音導チューブとの２本に分岐し、分岐した２本のチューブの先端部分をそれぞれ本願発明の前方音イヤーピース、あるいは遅延分枝音導管付きイヤーピース３１０１（図３１（ａ））に接続すれば前方定位した高音質な聴診が可能な聴診器を構成できる。
【００４８】
上記聴診器において、両耳用として２本に分岐したチューブのうち左耳用音導チューブを更に左前用音導チューブと左後用音導チューブの２本に分岐し、同様に右耳用音導チューブを更に右前用音導チューブと右後用音導チューブの２本に分岐し、分岐されたそれぞれの音導チューブの先端部分を、左前用音導チューブは左の前後音イヤーピース（図５（ｂ））の第１音導管あるいは左のＤ１音導管付きイヤーピース（図３１（ｂ））の第１音導管と接続し、右前用音導チューブは右の前後音イヤーピースの第１音導管あるいは右のＤ１音導管付きイヤーピースの第１音導管と接続し、左後用音導チューブは左の前後音イヤーピースの第２音導管あるいは左または右の遅延音導管付きイヤーピースのＤ１音導管と接続し、右後用音導チューブは右の前後音イヤーピースの第２音導管あるいは左後用音導チューブが左の遅延音導管付きイヤーピースのＤ１音導管と接続した場合は右の遅延音導管付きイヤーピースのＤ１音導管と接続し、また左後用音導チューブが右の遅延音導管付きイヤーピースのＤ１音導管と接続した場合は左の遅延音導管付きイヤーピースのＤ１音導管と接続すれば、より明瞭な聴診音が聴取可能となる。
【００４９】
図３４に示す様に、Ｄ１音導管の代わりに、より長い遅延時間を確保するには前後音イヤーピースを使用し、左後用音導チューブ３４０８と右後用音導チューブ４３０９の一部をコイル状としても良い。３４０６は左前用音導チューブ、３４０７は右前用音導チューブである。
【００５０】
ステレオ聴診器についても、チェストピースにおいて振動膜によって閉塞された収音部を形成するキャビティを中央で左右２分割に仕切り、各仕切られた左右２つのキャビティそれぞれから突設した先端から音を放出する筒状の音導管を備えたチェストピースとし、以後このチェストピースをステレオチェストピースと称することとし、左キャビティの音導管に左用音導チューブを接続し、左用音導チューブの他端を左の前方音イヤーピースと接続し、右キャビティの音導管に右用音導チューブを接続し、右用音導チューブの他端を右の前方音イヤーピースと接続すれば、前方定位したステレオ聴診が可能な聴診器となる。
【００５１】
上記ステレオ聴診器において、左耳用音導チューブを更に左前用音導チューブと左後用音導チューブの２本に分岐し、同様に右耳用音導チューブを右前用音導チューブと右後用音導チューブの２本に分岐して、分岐されたそれぞれの音導チューブの先端部分を、左前用音導チューブは左の前後音イヤーピースの第１音導管あるいは左の遅延音導管付きイヤーピースの第１音導管に接続し、右前用音導チューブは右の前後音イヤーピースの第１音導管あるいは右の遅延音導管付きイヤーピースの第１音導管と接続し、左後用音導チューブは左の前後音イヤーピースの第２音導管あるいは左または右の遅延音導管付きイヤーピースのＤ１音導管と接続し、右後用音導チューブは右の前後音イヤーピースの第２音導管あるいは左後用音導チューブが左の遅延音導管付きイヤーピースのＤ１音導管に接続している場合は右の遅延音導管付きイヤーピースのＤ１音導管に接続し、左後用音導チューブが右の遅延音導管付きイヤーピースのＤ１音導管に接続している場合は左の遅延音導管付きイヤーピースのＤ１音導管に接続する。
【００５２】
遅延音導管付きイヤーピースＤ１音導管の代わりに、より長い遅延時間を得るには、左右の後方音用音導チューブの一部をコイル状とする。図２９に概略外観図を示す。遅延効果を持たせた左後方音用音導チューブは右の前後音イヤーピースの第２音導管に接続し、右後方音用音導チューブは左の前後音イヤーピースの第２音導管に接続すれば、より前方定位が明確となり、かつ左右の音像定位がより明確となる効果が得られる。
【００５３】
上下前音イヤーピースあるいは上下前後音イヤーピースを活用した聴診器として、振動膜によって閉塞された収音部を形成するキャビティを中央から上下左右に４分割する仕切り部材により仕切り、各仕切られた４つのキャビティからそれぞれ突設した先端から音を放出する筒状の音導管を備えたチェストピース全体を４分割チェストピースと称し、図２７（ｂ）は被検生体側から振動膜を見た図で、右上から時計周りに第１キャビティの振動膜２７０１、第２キャビティの振動膜２７０２、第３キャビティの振動膜２７０３、第４キャビティの振動膜２７０４と称し、図２７（ｃ）のごとく上記４分割チェストピースのチェストピース中心を軸に右、あるいは左に４５度右回転させても良い。この場合被検生体側から振動膜を見て上から時計周りに第１キャビティ２７０１、第２キャビティ２７０２、第３キャビティ２７０３、第４キャビティ２７０４として、これを４分割４５チェストピースと称する。
【００５４】
図３３（ａ）は振動膜の反対側の上から見た４分割４５チェストピースの概略図で、３３０１は第１キャビティの音導管で第１音導管、３３０２は第２キャビティの音導管で第２音導管、３３０３は第３キャビティの音導管で第３音導管、３３０４は第４キャビティの音導管で第４音導管と称することとする。図３３（ｂ）は振動膜をはずして左下より見たキャビティを示し、３３０５が第１キャビティ、３３０９は第１キャビティの音導管口、３３０６は第２キャビティ、３３０７は第３キャビティ、３３０８は第４キャビティ、３３１０は第４キャビティの音導管口、３３１１は仕切り部材である。
【００５５】
上下前音イヤーピースと４分割４５チェストピースを使用すれば、明確な前方定位と上下左右の聴診音の移動の判別が可能となる。４分割４５チェストピースの第１キャビティの音導管に音導チューブを接続し、この音導チューブを２本に分岐させそれぞれを左耳用と右耳用の上下前音イヤーピースの第１音導管に接続し、第２キャビティの音導管を左の上下前音イヤーピースの第２音導管に接続し、第３キャビティの音導管に音導チューブを接続し、この音導チューブを２本に分岐させそれぞれを左耳用と右耳用の上下前音イヤーピースの第３音導管に接続し、第４キャビティの音導管を右の上下前音イヤーピースの第２音導管に接続する。
【００５６】
図８に示す上下前後音イヤーピースを活用すれば、上下と左右の音場の定位がより明確な聴診が可能となるため、聴診音の上下左右定位の識別や聴診音の移動方向の識別も可能となる。即ち上下前後音イヤーピースを使用し、かつ４分割４５チェストピースを使用した聴診器において、第１キャビティの音導管に接続した音導チューブを２つに分岐し、それぞれを左右の上下前後音イヤーピース第１音導管に接続し、第３キャビティの音導管に接続した音導チューブを２つに分岐し、それぞれを左右の上下前後音イヤーピース３音導管に接続し、第４キャビティの音導管に接続した音導チューブは右分枝音導チューブ１と右分枝音導チューブ１と同長かより長い右分枝音導チューブ２の２本に分岐させ、同様に第２キャビティの音導管に接続した音導チューブも左分枝音導チューブ１と左分枝音導チューブ１と同長かより長い左分枝音導チューブ２の２本に分岐させ、それぞれ右分枝音導チューブ１は右の上下前後音イヤーピース第２音導管に接続し、左分枝音導チューブ１は左の上下前後音イヤーピース第２音導管に接続し、右分枝音導チューブ２は左の上下前後音イヤーピース第４音導管に接続し、左分枝音導チューブ２は右の上下前後音イヤーピース第４音導管に接続する。または右分枝音導チューブ２を右の上下前後音イヤーピース第４音導管に接続し、左分枝音導チューブ２は左の上下前後音イヤーピース第４音導管に接続しても良い。
【００５７】
イヤーピース内に第１音導管と第２音導管の２本の音導管を配置し、イヤーピースが外耳道に挿入される部位において第１音導管の音波放射軸は外耳道前頭部側壁に向けてかつ横断面と矢状面と冠状面に対して略４５度で斜め上側面に向け、第２音導管の音波放射軸は外耳道前頭部側壁に向けてかつ横断面と矢状面と冠状面に対して略４５度で斜め下側面に向けて配置したイヤーピースを上下４５イヤーピースと称する。図３５の（ａ）は鼓膜側から見た右耳用の上下４５イヤーピースの正面図で、３５０１は第１音導管の音波放射口、３５０２は第２音導管の音波放射口を示し、（ｂ）は鼓膜側から見た左耳用の上下４５イヤーピース正面図で、３５０３は第１音導管の音波放射口、３５０４は第２音導管の音波放射口を示し、（ｃ）は左耳用の上下４５イヤーピース正面図から見た第１音導管の音波放射軸３５０５と第２音導管の音波放射軸３５０６の方向を示す。両方向音波放射軸とも横断面、矢状面、冠状面に対して略４５度の角度で第１音導管と第２音導管を配設する。
【００５８】
図３６に、上下４５イヤーピースの第１音導管に第１発音体ユニットを接続し、第２音導管に第２発音体ユニットを接続した上下４５受話器の概略斜視図を示す。（ａ）は右耳用上下４５受話器で、３６０１Ｒは上下４５イヤーピースの第１音導管、３６０３Ｒは第１発音体ユニット、３６０２Ｒは上下４５イヤーピースの第２音導管、３６０４Ｒは第２発音体ユニット、（ｂ）は左耳用上下４５受話器で、３６０１Ｌは上下４５イヤーピースの第１音導管、３６０３Ｌは第１発音体ユニット、３６０２Ｌは上下４５イヤーピースの第２音導管、３６０４Ｌは第２発音体ユニット、３６００は上下４５イヤーピースの筒状部、３６０５は上下４５イヤーピースの傘状部である。
【００５９】
４分割チェストピースの第１音導管と左の上下４５イヤーピースの第１音導管とを導音チューブで接続し、４分割チェストピースの第２音導管と左の上下４５イヤーピースの第２音導管とを導音チューブで接続し、４分割チェストピースの第３音導管と右の上下４５イヤーピースの第２音導管とを導音チューブで接続し、４分割チェストピースの第４音導管と右の上下４５イヤーピースの第１音導とを導音チューブで接続すれば、上下左右の音場が聴診可能な聴診器を構成でき、その効果は上下左右の聴診音の定位や聴診音の移動の識別が可能となることである。
【００６０】
電子聴診器用のチェストピースとしては、突出した音導管を持たない４分割チェストピースを密閉４分割チェストピースと称し、同様に音導管を持たない４分割４５チェストピースを密閉４分割４５チェストピースと称してこれを用いることとする。
【００６１】
電子聴診器であって、聴診器のチェストピース部に配置にされた収音マイクからの電気信号を増幅器で増幅して左右の前方定位受話器を駆動すれば、前方定位した聴診音が聴取可能となる。
【００６２】
また、電子聴診器であって、前後音場受話器を使用し聴診器のチェストピース部に配置にされた収音マイクからの電気信号を増幅器で増幅して左右の前方発音体ユニットを駆動し、同時に収音マイクからの出力を所定時間遅延生成装置付き増幅器に入力し、その出力で前後音場受話器の後方発音体ユニットを駆動すれば、より明確な前方定位した聴診音が聴取可能となる。
【００６３】
ステレオ電子聴診器とする場合は、チェストピースにおいて振動膜によって閉塞された収音部を形成するキャビティを中央で左右２分割に仕切り、各仕切られた右キャビティ内に右マイクを配置し、左キャビティ内に左マイクを配置して、左のマイクからの電気信号を増幅器１で増幅して左の前方定位受話器を駆動し、右のマイクからの電気信号を増幅器２で増幅して右の前方定位受話器を駆動すれば、前方定位した高音質な聴診音が聞けるステレオ電子聴診器となる。
【００６４】
ステレオ電子聴診器であって、前後音場受話器を使用し、チェストピースにおいて振動膜によって閉塞された収音部を形成するキャビティを中央で左右２分割に仕切り、各仕切られた左キャビティ内に左用マイクを配置して該左マイクからの電気信号を増幅器１で増幅して左の前方発音体ユニットを駆動し、右キャビティ内に右用マイクを配置し該右マイクからの電気信号を増幅器２で増幅して右の前方定位受話器を駆動し、同時に左用マイクからの電気信号を所定の遅延処理装置付き増幅器１に入力し、右マイクからの電気信号を所定の遅延処理装置付き増幅器２へ入力し、遅延処理装置付き増幅器１の出力を右後方発音体ユニットあるいは左後方発音体ユニットヘ出力し、遅延処理装置付き増幅器２の出力を遅延処理装置付き増幅器１が右後方発音体ユニットヘ出力している場合は左後方発音体ユニットヘ出力し、遅延処理装置付き増幅器１が左後方発音体ユニットヘ出力している場合は右後方発音体ユニットヘ出力すれば、より前方定位が明確なステレオ電子聴診器となる。
【００６５】
密閉４分割チェストピースと上下４５受話器とを使用した電子聴診器とすれば、更に明確な音場再生により音源定位の優れた高音質な電子聴診器を提供することが出来る。
密閉４分割チェストピースを使用し、第１キャビティ内に第１マイク、第２キャビティ内に第２マイク、第３キャビティ内に第３マイク、第４キャビティ内に第４マイクを配置し、第１マイクからの電気信号を第１増幅器で増幅して図３６（ｂ）の上下４５受話器の発音体ユニット３６０３Ｌを駆動し、第２マイクからの電気信号を第２増幅器で増幅して発音体ユニット３６０４Ｌを駆動し、第３マイクからの電気信号を第３増幅器で増幅して図３６（ａ）の発音体ユニット３６０４Ｒを駆動し、第４マイクからの電気信号を第４増幅器で増幅して図３６（ａ）の発音体ユニット３６０３Ｒを駆動する。
【００６６】
同様に、密閉４分割４５チェストピースと上下前イヤーピースを使用し、第１キャビティ内に第１マイク、第２キャビティ内に第２マイク、第３キャビティ内に第３マイク、第４キャビティ内に第４マイクを配置し、第１マイクからの電気信号を第１増幅器で増幅して、図２５（ａ）の発音体ユニット２５０４及び（ｂ）の発音体ユニット２５１０を駆動し、第２マイクからの電気信号を第２増幅器で増幅して図２５（ｂ）の発音体ユニット２５１１を駆動し、第３マイクからの電気信号を第３増幅器で増幅して図２５（ａ）の発音体ユニット２５０６及び（ｂ）の発音体ユニット２５１２を駆動し、第４マイクからの電気信号を第４増幅器で増幅して図２５（ａ）の発音体ユニット２５０５を駆動しても同様な効果がえられる。
【００６７】
本願発明の上下前後音場受話器を電子聴診器の受話器として使用すれば、上下左右の音場が聞ける聴診器となる。
【００６８】
電子聴診器においても、図２８に示した右用上下前後音場受話器（ａ）と、左用上下前後音場受話器（ｂ）を使用すればさらに高音質な電子聴診器を提供することが出来る。密閉４分割４５チェストピースにおいて各仕切られた４つのキャビティの中にそれぞれ１個ずつ計４個マイクを配設し被検生体側から振動膜を見て時計まわりに上から第１キャビティに第１マイク、第２キャビティに第２マイク、第３キャビティに第３マイク、第４キャビティに第４マイクを配設する。
【００６９】
第１マイクからの電気信号を第１増幅器で増幅して発音体駆動装置１により左右の上下前後音場受話器の発音体ユニット２８４Ｒと２８４Ｌを駆動し、第３マイクからの電気信号を第３増幅器で増幅して発音体駆動装置３により左右の上下前後音場受話器の発音体ユニット２８３Ｒと２８３Ｌを駆動し、第２マイクからの電気信号を第２増幅器で増幅して発音体駆動装置２で左の発音体２８１Ｌユニットを駆動し、第４マイクからの電気信号を第４増幅器で増幅して発音体駆動装置４で右の発音体ユニット２８１Ｒを駆動する。
【００７０】
また、図３７のブロック図のように、密閉４分割４５チェストピースと上下前後音場受話器を使用しかつ遅延装置を使用すれば、より前方定位が明確となる。第１マイクからの電気信号を第１増幅器で増幅して発音体駆動装置１により左右の上下前後音場受話器の第１発音体ユニット（図２８の２８４Ｒと２８４Ｌ）を駆動し、第３マイクからの電気信号を第３増幅器で増幅して発音体駆動装置３により左右の上下前後音場受話器の（図２８の２８３Ｒと２８３Ｌ）を駆動し、第２マイクからの電気信号を第２増幅器で増幅して左発音体駆動装置２で左第２発音体ユニット（図２８の２８１Ｌ）を駆動し、同時に第２増幅器の出力信号を左遅延処理装置にも入力して左遅延処理装置からの出力信号を右発音体駆動装置４に入力して右発音体駆動装置４で右第４発音体ユニット（図２８の２８２Ｒ）を駆動し、第４マイクからの電気信号を第４増幅器で増幅して右発音体駆動装置２にて右第２発音体（図２８の２８１Ｒ）を駆動し、同時に第４増幅器の出力信号を右遅延処理装置にも入力して右遅延処理装置からの出力信号を左発音体駆動装置４で左第４発音体ユニット（図２８の２８２Ｌ）を駆動する。
【００７１】
更に、図３８のブロック図に示す様に、第１増幅器の信号を遅延処理装置１に入力し該出力信号を第３増幅器からの信号とともに混合器３で混合して発音体駆動装置３へ入力して左右の上下前後音場受話器の第３発音体ユニットを駆動し、第３増幅器の信号を遅延処理装置３に入力し該出力信号を第１増幅器からの信号とともに混合器１で混合して発音体駆動装置１へ入力して左右の上下前後音場受話器の第１発音体ユニットを駆動することを追加することで、より前方定位と上下方向の定位の聴音がより明確となる。
【００７２】
図３２に上下前後音場受話器を使用した電子聴診器の概略外観図を示す。３２０１Ｌは左の上下前後音場受話器、３２０１Ｒは右の上下前後音場受話器、３２０２は電子聴診器全体を保持する首掛けストラップ、３２０３Ｌは左上下前後音場受話器駆動信号線を埋設した可撓性チューブ、３２０３Ｒは右上下前後音場受話器駆動信号線を埋設した可撓性チューブ、３２０４は電源スイッチ付き音量調節ツマミ、３２０５は遅延時間調節ツマミ、３２０６は内部に電池、マイクからの電気信号を増幅する増幅回路及び遅延時間生成増幅器等の電子装置が収納された本体部、３２０７は４本のマイクコードを埋設した可撓性チューブ、３２０９は第１キャビティ、３２１０は第２キャビティ、３２１１は第３キャビティ、３２１２は第４キャビティ、３２１８はキャビティ仕切り部材、３２１３は第１マイクに接続した信号線、３２１４は第２マイクに接続した信号線、３２１５は第３マイクに接続した信号線、３２１６は第４マイクに接続した信号線である。
【００７３】
次に、本願受話器の補聴器への応用を述べる。片耳用補聴器においては、１つのマイクで環境音を集音し、補聴処理後に１つの発音体で音波を生成し環境情報音を鼓膜へ伝達する方式が一般的である。
従来の補聴器では聞きたい音と聞きたくない音とを聞き分けることが困難となる問題点があった。この原因はマイクから集音された環境音情報を前後の音場で聞かせるのではなく１つの発音体で全てを同一方向からの到来音として聴取させているためと考えられる。
【００７４】
また、片耳聴音用補聴器を２個使用し、左右ステレオ再生させて到来音の左右の方向感を改善した補聴器も存在しているが、前後音の識別が不可能であり、頭内定位の問題も解決されていない。片耳聴音で前後からの到来音の方向が識別聴音可能で、かつ、聞きたい音だけが聞き取りやすい補聴器は存在していなかった。
【００７５】
以後で述べる耳甲介の中央とは、図１１（ａ）で示す耳珠１１４の最も後頭部よりの稜線を通る冠状面１１１と、対輪１１５の最も後頭部よりの稜線を通る冠状面１１３との中間の冠状面１１２が通る耳甲介部位を言う。冠状面とは、生物の体を腹側（前）と背側（後）に分割する任意の平面のことである。図１１（ｂ）は耳甲介の中央の冠状面の斜視図を示す。また、図２２（ａ）で示す耳珠対対珠対輪稜線面２２４（斜線の部分）とは、耳珠２２１の稜線と対珠２２２及び対輪２２３の稜線とで囲まれた面を示す。図２２（ｂ）は外耳道２２５部位での頭部横断面での耳珠対対珠対輪稜線面２２４を示す。
【００７６】
以後、前方向から到来する環境音情報を電気変換するマイクロホンを前方マイク、後方向から到来する環境音情報を電気変換するマイクロホンを後方マイクと単に称する。また図１６で示すマイク受音面１６１の中心からマイク受音面に対して垂直に集音対象音源方向に伸ばした軸をマイク集音軸１６２と称する。
【００７７】
本願で提供する補聴器は、少なくとも前方マイクからの音信号を補聴処理する補聴処理手段１と、後方マイクからの音信号を補聴処理する補聴処理手段２と、電池を備えて、補聴処理手段１と補聴処理手段２の出力信号を音響信号に変換する受話器として本願発明の前後音場受話器を備えた構造の補聴器とする。前方マイクからの到来音は補聴処理手段１を経て前後音場受話器の前方発音体ユニットを駆動して、前方に定位させて聴音させ、後方マイクからの到来音は補聴処理手段２を経て前後音場受話器の後方発音体ユニットを駆動し、後方に定位させて聴音すると前方マイクと後方マイクで捉えた到来音を前後に広がった音場として聞ける。この前後に広がった音場の中から聞きたい音の到来方向に意識を集中させれば聞きたい音だけが聞き取りやすくなる効果が得られる。
【００７８】
上記で述べた補聴処理手段とは、マイクからの音声信号を増幅し発音体を駆動させる手段であって、聴音に役立つバンドパスフィルタや雑音抑制、ハウリング抑制処理などをも含めた手段のことである。補聴器の説明図においては解りやすくするため補聴処理手段と電池は省略している。
【００７９】
耳掛式補聴器への応用においては、左装着用の耳掛式補聴器の概略斜視図を図１７（ａ）に示す様に、耳輪後方に装着する筐体内７１１２あるいはその上部あるいはその近傍に前方マイクの集音軸１７２を矢状面１７０に対して０度より大きくかつ９０度より小さい範囲内の角度１７４で配設し、後方マイクの集音軸１７３を矢状面に対して９０度より大きくかつ１８０度より小さい角度１７５で配置し、前方マイクの出力信号を補聴処理する補聴処理手段１と後方マイクの出力信号を補聴処理する補聴処理手段２と前方発音体ユニットと後方発音体ユニットと電池を該筐体内に備え、補聴処理手段１の出力で前方発音体ユニットを駆動し、補聴処理手段２の出力で後方発音体ユニットを駆動し、前方発音体ユニット及び後方発音体ユニットにそれぞれ接続した音導管にて音波を筐体より導出し、該音導管の先端部にイヤーピースを装着し、該イヤーピースの先端が挿入される外耳道において前方発音体ユニットに接続された音導管の音波放射軸１７６を外耳道の前頭部側の外耳道側壁に向けて音波を放射し、後方発音体ユニットに接続された音導管の音波放射軸１７７を外耳道の後頭部側の外耳道側壁に向けて音波を放射するよう配設すれば、前後の音場を聞くことが可能となる。また前後音イヤーピースを使用して前方発音体ユニットに接続された音導管を前後音イヤーピースの第１音導管へ接続し、後方発音体ユニットに接続された音導管を前後音イヤーピースの第２音導管に接続しても良い。
図１７（ｂ）も同じ左装着用耳掛式補聴器であり１７８は前方マイク、１７９は後方マイク、１７１０は前方音波放射口、１７１１は後方音波放射口、１７１２は筐体、７１１３は前後音イヤーピースの第１音導管へ接続した音導管、７１１４は前後音イヤーピースの第２音導管へ接続した音導管である。
【００８０】
上記耳掛式補聴器において、筐体内に発音体ユニットを配置せずに、前後音場受話器を使用し補聴処理手段１と補聴処理手段２からの出力信号を信号線にて筐体から導出し、前方向の環境音出力信号は補聴処理手段１で前後音場受話器の前方発音体ユニットを駆動し、後方向の環境音出力信号は補聴処理手段２で前後音場受話器の後方発音体ユニットを駆動する構成としても良い。
【００８１】
耳穴式補聴器への応用においては、図１８で耳穴式補聴器装着時の外耳道での頭部横断面を示すと、ケース１８１２内に前方発音体ユニット１８０２と後方発音体ユニット１８０４と電気回路装置である補聴処理手段１と補聴処理手段２と電池を備え、外耳道での右耳装着横断面図１８（ａ）に示す様に、ケースの一部から耳甲介中央あるいは対輪方向へ延出した支片部１８１を形成し、これに前方マイク１８９のマイク集音軸１８２を矢状面１８０に対して０度より大きくから９０度より小さな角度１８３の範囲内で配設し、後方マイク１８１１の後方マイク集音軸１８５を耳珠対対珠対輪稜線面１８４を通過するよう該支片部に配置しても良いが、本図では本体ケース１８１２に配置し、前方マイクの出力信号を補聴処理する補聴処理手段１と後方マイクの出力信号を補聴処理する補聴処理手段２を備え、補聴処理手段１の出力信号は前方発音体ユニットを駆動し補聴処理手段２の出力信号は後方発音体ユニットを駆動し、外耳道内に挿入されるケースの先端の音波放射口から前方発音体ユニットの方向音波放射軸１８０１を前頭部側の外耳道側壁に向けて音波を放射するように配設し、後方発音体ユニットの方向音波放射軸１８０３は外耳道の後頭部側の外耳道側壁に向けて音波を放射するように配設すればよい。１８２４は補聴処理手段１、１８２５は補聴処理手段２、１８１４は電池を示す。
【００８２】
前方マイクのマイク集音軸を図１８（ｂ）の１８１０に示す様に耳甲介中央近傍から対輪方向に向けてかつ耳珠対対珠対輪稜線面１８４を通過しないようにケース本体に配置しても良い。図１９に実際の装着図を示す。１９１は前方マイク、１９２は後方マイク、１９３は支片部である。
【００８３】
以下で述べる耳珠基底部とは、図２３で示す耳珠内側面の斜線領域２３２よりも下部位で耳珠を支えている部位から外耳道口へ連なる部位で、図２４の斜線領域２３３を示す。２３０は外耳道口、２３１は耳珠である。
【００８４】
外耳道内で収まるサイズであるディープカナル型補聴器への応用において、外耳道での装着時の横断面を図２１に示す。前方マイクと後方マイクと前方発音体ユニットと後方発音体ユニットの位置関係を示し、ケース内に前方発音体ユニット２１０１と後方発音体ユニット２１０２とを備え、前方マイク２１０６は前方マイク集音軸２１０３を図２３の斜線部２３２で示す耳珠内側面または耳甲介中央近傍から対輪までの領域方向に向けてかつ耳珠対対珠対輪稜線面２１００、即ち図２２（ａ）及び（ｂ）の２２４を通過しないようにケースに配置し、後方マイク２１０７は後方マイク集音軸２１０４が耳珠対対珠対輪稜線面２１００を通過する方向か、あるいは後方マイク集音軸２１０４を図２４の斜線部２３３で示す耳珠基底部（耳珠を支えている部位）から外耳道口周囲に連なる部位に向けてケースに配置し、前方マイクの出力信号を補聴処理する補聴処理手段１と後方マイクの出力信号を補聴処理する補聴処理手段２と電池をケース内に収め、補聴処理手段１で前方発音体ユニットを駆動し、補聴処理手段２で後方発音体ユニットを駆動し、外耳道挿入部の音波放射口から前方音用方向音波放射軸２１１１を外耳道の前頭部側の側壁に向けて音波を放射し、外耳道挿入部の音波放射口から後方音用方向音波放射軸２１１２を外耳道の後頭部側へ向けて音波を放射するよう配設すればよい。
【発明の効果】
【００８５】
以上説明したように、本発明の前後音イヤーピースとこれを使用した受話器とすれば、片耳聴音であっても前後にわたる音場が聞けるため、前後音の到来方向を識別することが出来、かつ、広がりを持った自然な音で聞ける。上下前後音イヤーピース及びこれを使用した受話器とすれば上下前後音の到来方向が識別可能となる。更に補聴器の構成要素の１つである受話器として本発明の前後音場受話器を使用すれば、聞きたい音の到来方向に意識を集中することで聞きたい音のみが聞き取れやすい補聴器となる。
【００８６】
聴診器への応用については、収音部と音導管とイヤーピースの基本要素から構成されているが、このイヤーピースに前方定位イヤーピースあるいは前後音イヤーピースを使用することで広がりのある高音質な聴診音が得られ、更に上下前音イヤーピースあるいは上下前後音イヤーピースと４分割チェストピースの使用により上下左右からの聴診音の方向と移動が識別可能となる。
【図面の簡単な説明】
【００８７】
【図１】（a）音波放射軸と（b）音波放射断面（ｃ）本発明の一部のカナル型受話器横断面図の一例を示す図である。
【図２】外耳道面での横断面図であり、（ａ）外耳道中心軸（ｂ）イヤーピースの中心軸を示す図である。
【図３】（a）前方定位受話器（b）後方定位受話器を示す図である。
【図４】（a）上方定位受話器（b）下方定位受話器を示す図である。
【図５】右耳用前後音場受話器の、（a）鼓膜側から見た正面図、（b）横断面、であり、（ｃ）はホーン形をした音導管内腔形状の概略図、（d）は（ｃ）のホーン形状の音導管音波放射口を鼓膜側から見た正面図、（e）は右の前後音場受話器の外耳道での装着断面図を示す。
【図６】右耳用多チャンネル受話器の一例を示す図である。
【図７】右耳用多音波放射軸発音体の、３分枝音導管例の概略横断面図（a）と正面図（b）を示す図である。
【図８】右耳用上下前後音場受話器の（a）概略斜視図、（b）上下音導管の縦断面の概略図、（ｃ）鼓膜側から見た正面図を示す図である。
【図９】遅延時間処理装置付き駆動アンプを用いた信号処理のブロック図である。
【図１０】主音導管と分枝音導管の関係を示す図である。
【図１１】（a）は頭頂部から見た耳甲介中央部を通る冠状面を説明するための図であり、（b）は耳甲介中央部を通る冠状面の斜視図である。
【図１２】音波拡散器又は音波反射器の実施例を示す図である。
【図１３】（a）矢状面軸入射角  （b）横断面軸入射角を説明するための図である。
【図１４】右耳用チューブ式ヘッドホンの実施例を示す図である。
【図１５】右耳用チューブ式サラウンドヘッドホンの実施例を示す図である。
【図１６】マイク集音軸を説明するための図である。
【図１７】耳掛式補聴器の実施例を示す図である。
【図１８】外耳道に装着した耳穴式補聴器の横断面を示す図である。
【図１９】右耳用耳穴式補聴器の概略装着図である。
【図２０】右耳用のディープカナル型（ＣＩＣ）補聴器の鼓膜側から見た正面図である。
【図２１】右耳用のディープカナル型（ＣＩＣ）補聴器外耳道装着時の概略横断面図である。
【図２２】耳珠対対珠対輪稜線面を説明するための図である。
【図２３】耳珠内側面を説明するための図である
【図２４】耳珠基部を説明するための図である
【図２５】上下前音イヤーピースの実施例を示す図である。
【図２６】上下前音イヤーピース縦断面を示す図である。
【図２７】４分割チェストピースの実施例を示す図である。
【図２８】電子聴診器用の上下前後音イヤーピースの実施例を示す図である。
【図２９】ステレオ聴診器の実施例を示す図である。
【図３０】４分割チェストピースを用いた上下左右聴診器の実施例を示す図である。
【図３１】（ａ）遅延分枝音導管付きイヤーピースと、（ｂ）Ｄ１音導管付きイヤーピースの実施例を示す図である。
【図３２】電子聴診器の概略外観図である。
【図３３】４分割チェストピースと音導管を示す図である。
【図３４】コイル状遅延音導管を用いた聴診器の実施例を示す図である。
【図３５】上下４５イヤーピースを説明するための図である。
【図３６】上下４５受話器の斜視図である。
【図３７】電子聴診器ブロック図の実施例を示す図である。
【図３８】電子聴診器ブロック図の他の実施例を示す図である。
【発明を実施するための形態】
【００８８】
（第１の実施形態）
以下、図５を参照して本発明を実施するための形態のひとつとして、カナル型の前後音場受話器を説明する。
図５（ｂ）は右耳用カナル型前後受話器の概略横断面図を示し、１つのイヤーピース筒状部５０３内に第１音導管５４と第２音導管５５の２本の音導管を配し、第１音導管を前方音用音導管として前方発音体ユニット５６のハウジング音導管５０１に接続し、該前方音用音導管の音波放射端面における方向音波放射軸５１をイヤーピースが外耳道に挿入されている状態で外耳道の前頭部側の外耳道壁に向けてイヤーピース内に配設し、第２音導管を後方音用音導管として後方発音体ユニット５７のハウジング音導管５０２に接続し、該後方音用音導管の音波放射端面における方向音波放射軸５２をイヤーピースが外耳道に挿入されている状態で外耳道の後頭部側の外耳道壁に向けてイヤーピース筒状部内に配設する。図５（ａ）は、右耳用で外耳道へ挿入するイヤーピースを鼓膜側から見た正面図であり、５８は前方音用音波放射口、５９は後方音用音波放射口、５３はイヤーピースの傘状部を示す。ハウジング音導管を延長して第１音導管と第２音導管の代用としても良い。
【００８９】
管内音導管の内腔の形状が音波放射端面において開くホーン型形状としても良い。図５（ｃ）にホーン型形状の管内音導管の内腔の一例の斜視図を示す。５０９は音波放射端面、５１０は発音体ユニットとの接続端腔を示す。図５（ｄ）は右耳用で管内音導管の内腔形状をホーン型とした場合の鼓膜側から見たイヤーピースの正面図で、５１４は前方音用音波放射端面、５１５は後方音用音波放射端面、５１３はイヤーピースの傘状部を示す。
この前後音場受話器を左右一対で使用すれば、カナル型受話器によるサラウンド再生用ヘッドホンとなる。
【００９０】
（第２の実施形態）
図８（ａ）に右耳用の上下前後音場受話器の概略斜視図を示し、図８（ｂ）には解りやすくするため前音導管と後音導管は省略した上下音導管のみの縦断面の概略図を示す。前方発音体である第２発音体ユニット８１と後方発音体である第４発音体ユニット８２と上方音用発音体である第１発音体ユニット８４と下方音用発音体である第３発音体ユニット８３の４個の発音体ユニットで構成し、図５で示した前後音場受話器に更に上下に垂直に並べられた上位音導管８５と下位音導管８６の２本の音導管をイヤーピース内に追加し、上位音導管８５を上方音用音導管として上方音用発音体ユニット８４を接続し、上方音用発音体の方向音波放射軸８０６はイヤーピースが外耳道に挿入される外耳道の上部壁に向け、追加したもう１本の下位音導管８７を下方音用音導管として下方音用発音体ユニット８３を接続し、下方音用発音体の方向音波放射軸８０７はイヤーピースが外耳道に挿入される外耳道の下部壁に向けイヤーピース筒状部内に配置する。図８（ｃ）は鼓膜側から見た右の上下前後音場受話器正面図を示す。８０１は前方音放射口、８０２は後方音放射口、８０３は下方音放射口、８０４は上方音放射口、８０５はイヤーピースの傘状部である。
【００９１】
（第３の実施形態）
図７（ａ）は、右耳用のイヤーピース筒状部内に３本の分枝音導管を配置した多音波放射軸発音体ユニットを使用した受話器の概略横断面図を示す。主音導管７１から分岐した３本の分枝音導管の音波放射軸はそれぞれ矢状面に対して異なる入射角をなすよう配置する。最短の音導管７２は前方定位に寄与する直接音用であり、その方向音波放射軸はイヤーピースの先端が外耳道に挿入されている状態で外耳道の前頭部側の外耳道壁に向けてイヤーピース筒状部内に配設し、その他の音導管は間接音用の音導管としてその音波放射軸を最短の分枝音導管と同側７３と反対側７４の外耳道壁へ向けて配置した例を示す。７０は発音体ユニットである。図７（ｂ）は（ａ）で示したイヤーピースの正面図で３本の分枝音導管の音波放射口を示す。直接音の音波放射口７５、直接音と同側の間接音音波放射口７６、直接音と反対側の後頭部側の間接音音波放射口７７を示す。
【００９２】
（第４の実施形態）
図１２に音波反射拡散器を持つ受話器の形態を示す。外耳道内に挿入する音導管（管状部）を有するカナル型受話器において、イヤーピース筒状部内の音導管の音波放射端面（図１の１２）から該音導管と接続する発音体ユニットのハウジング音導管までの間の内腔に音波拡散作用と音波反射作用を持つ表面が滑らかな音波反射拡散器を備えた右耳用の実施形態を図１２に示す。（ａ）と（ｂ）は横断図で（ｃ）は鼓膜側から見た正面図を示す。（ａ）は音波反射拡散器１２３をハウジング音導管内に備えた例を示し、その形状は発音体から放射された音波１２２がこの音波反射拡散器に反射してイヤーピースの先端が外耳道に挿入されている状態で外耳道の前頭部側の外耳道壁に拡散して音波が放射される形状とする。図１２（ｂ）では音波反射拡散器はイヤーピースで構成する部材のイヤーピース筒状部内の音導管の内側面の一部分をなだらかな曲面を持つ凸状に盛り上げた構造１２４とした例を示す。図１２（ｃ）はイヤーピース内の音導管内側面に音波反射拡散器を有する（ｂ）の鼓膜側から見た図で、１２５は音波反射拡散器断端面、１２６は音波放射口、１２０はイヤーピースの傘状部である。
【００９３】
（第５の実施形態）
図１４（ａ）はチューブ式ヘッドホンの概略図であって、右耳挿入用イヤーピースとチューブの概略斜視図を示す。主に航空機の客席で使用されるチューブ式（音導管式）のステレオイヤーホンである。イヤーピース筒状部１４５内のチューブ音導管の音波放射端面でのチューブの音導管音波放射軸をイヤーピース１４０の先端が挿入される外耳道部位で外耳道の前頭部側側壁に向けて音波をイヤーピースの音波放射口からチューブ内に備えた反射拡散器を用いて前頭部側の外耳道壁に向けて放射させる。図１４（ｃ）は反射拡散器１４２を使用した形態の一例である横断面を示す。１４０は傘状部である。図１４（ｂ）は右耳挿入イヤーピースを外耳道口側から見た正面図であり、音波放射口１４３と反射拡散器断端面１４２を示す。
【００９４】
（第６の実施形態）
このチューブ音導管を左右一対使用すれば前方定位したチューブ式ステレオイヤーホーンとなる。サラウンド装置として前後音イヤーピースを使用し、図１５に示す様に図１４で示した右耳挿入用イヤーピース筒状部内に前方用チューブ音導管１５１と後方音用チューブ音導管１５２を配設する。後方音用チューブ音導管の音波放射先端部位での音導管音波放射軸をイヤーピースの先端が挿入される外耳道部位で外耳道の後頭部側壁に向けてサラウンドの後方音音波をイヤーピースの音波放射口からチューブ内に備えた反射拡散器を用いて放射させるよう備えたサラウンド装置の形態を示す。
【００９５】
図１５は前方音用反射拡散器１５６と後方音用反射拡散器１５７を使用した右耳用のチューブ式前後イヤーホーンの形態を示す。１５図（ａ）に前後音場再生可能なチューブ式ヘッドホンの右耳挿入イヤーピースとチューブの概略斜視図を示す。前方音用チューブ音導管と後方音用チューブ音導管を１つのイヤーピース筒状部内に配置する。これを左右一対備えればサラウンド再生可能なチューブ式のサラウンド受話器となる。図１５（ｂ）は右耳挿入イヤーピースの外耳道口側から見たイヤーピースの正面図であり、前方音用音波放射口１５３と後方音用音波放射口１５４であり、１５５は前後の反射拡散器の断端面を示す。図１５（ｃ）はイヤーピースの横断面図における前方用反射拡散器１５６、後方用反射拡散器１５７の形状の一例を示す。１５８は前方音用チューブ音導管、１５９は後方音用チューブ音導管である。
【００９６】
（第７の実施形態）
図１７（ｂ）に左耳装着用耳掛式補聴器の実施形態の概略斜視図を示す。耳輪後方に装着する筐体７１１２の上部に前方マイク１７８と後方マイク１７９の２つを備え、前方マイクの集音軸を矢状面に対して０度より大きくかつ９０度より小さい範囲内の角度１７４で配設し、後方マイクの集音軸を矢状面に対して９０度より大きくかつ１８０度より小さい角度１７５に配設する。前方マイクの出力信号を補聴処理する補聴処理手段１と後方マイクの出力信号を補聴処理する補聴処理手段２と前方発音体ユニットと後方発音体ユニットと電池を該筐体内に備え、前方マイクの出力信号は補聴処理手段１を経て前方発音体ユニットヘ出力し、後方マイクからの出力信号は補聴処理手段２を経て後方発音体ユニットヘ出力される。前方発音体ユニットに接続した音導管７１１３及び後方発音体ユニットに接続した音導管７１１４にて音波を導出し、該前方発音体ユニットに接続した音導管７１１３を前後音イヤーピースの第１音導管に接続し、該後方発音体ユニットに接続した音導管７１１４を前後音イヤーピースの第２音導管に接続する。前方発音体ユニットに接続した音導管の音波放射軸を前方音放射口１７１０から外耳道の前頭部側の外耳道側壁に向けて音波を放射し、後方発音体ユニットに接続された音導管の音波放射軸を後方音放射口１７１１から外耳道の後頭部側へ向けて音波を放射する。
【００９７】
（第８の実施形態）
図１８（ａ）、（ｂ）に右耳用耳穴式補聴器の外耳道での横断面図を示す。右耳用耳穴式補聴器の概略装着図を図１９に示す。本体ケース１８１２内に前方発音体ユニット１８０２と後方発音体ユニット１８０４と前方マイク１８９と前方マイクの出力信号を補聴処理する補聴処理手段１と後方マイク１８１１と後方マイクの出力信号を補聴処理する補聴処理手段２と電池１８１４を備え、ケースの一部より耳甲介中央近傍から対輪方向へ延出した管状の支片部１８１を備えてこれに前方向の環境音情報を電気変換する前方マイク１８９を配設し、この前方マイク集音軸１８２を矢状面に対して０度より大きく９０度より小さな角度１８３の範囲内の角度で配設し、後方向の環境音情報を電気変換する後方マイク１８１１はケース面に配置し後方マイク集音軸１８５は矢状面に対して９０度より大きく１８０度より小さな角度１８０５で、かつ後方向用マイク集音軸１８５が耳珠対対珠対輪稜線面１８４（図２２で示す２２４）を通過するよう本体ケースに配設する。前方マイクの出力信号を補聴処理する補聴処理手段１の出力で前方発音体ユニット１８０２を駆動し、後方マイクの出力信号は補聴処理する補聴処理手段２へ入力し補聴処理手段２の出力で後方発音体ユニット１８０４を駆動する。１８２４は補聴処理手段１、１８２５は補聴処理手段２を示し、管状の支片部に配設した前方マイクからの電気コードは支片部管内を通して補聴処理手段１に接続する。
【００９８】
図２０に右耳用耳穴式補聴器の鼓膜側から見た正面図を示す。ケース本体２０００と外耳道内に挿入される先端部の外耳道挿入部２００１を示す。外耳道挿入部位において前方音放射口２００２から前方発音体ユニットの方向音波放射軸を外耳道の前頭部側の外耳道側壁に向けて音波を放射し、後方音放射口２００３から、後方発音体ユニットの方向音波放射軸を外耳道の後頭部側へ向けて音波を放射するよう音導管発音体を配設する。
【００９９】
（第９の実施形態）
耳穴式補聴器において、図１８（ｂ）は前方マイク１８９をケースの一部より耳甲介中央近傍から対輪方向へ延出した支片部に配置せずにケース面に配設し、前方マイクのマイク集音軸１８１０を耳甲介中央近傍から対輪方向に向けてかつ耳珠対対珠対輪稜線面１８４を通過しないようにケースに配置した場合の形態を示す。
【０１００】
（第１０の実施形態）
図２１に右耳用のディープカナル型（Completely In the Cana1、以下ＣＩＣという。）補聴器の外耳道装着時の概略横断面図を示す。ケース内に前方発音体ユニット２１０１と後方発音体ユニット２１０２と前方マイク２１０６の出力信号を補聴処理する補聴処理手段１と後方マイク２１０７の出力信号を補聴処理する補聴処理手段２と電池を備え、前方マイク集音軸２１０３を耳甲介の中央から対輪方向に向けかつ耳珠対対珠対輪稜線面を通過しないように配置し、後方マイク集音軸２１０４は耳珠対対珠対輪稜線面を通過するかあるいは耳珠対対珠対輪稜線面を通過せずに図２４の２３３の斜線領域で示す耳珠基底部（耳珠を支えている部位）から外耳道口に連なる部位に向けて本体ケースに配置し（図２１（b））、前方マイク２１０６の出力信号を補聴処理手段1で補聴処理して前方発音体ユニット２１０１を駆動し、後方マイク２１０７の出力信号を補聴処理手段２で補聴処理して後方発音体ユニット２１０２を駆動し外耳道挿入部の音波放射口から前方発音体ユニットの方向音波放射軸２１１１を外耳道の前頭部側の側壁に向けて音波を放射し、外耳道挿入部の音波放射口から後方発音体ユニットの方向音波放射軸２１１２を外耳道の後頭部側の側壁へ向けて音波を放射するよう発音体ユニットを配設する。２１１３は電池を含む補聴処理手段１と補聴処理手段２の配置を示す。
【０１０１】
（第１１の実施形態）
図２９にステレオ聴診器の概略斜視図を示す。チェストピースにおいて、振動膜によって閉塞された収音部を形成するキャビティを、中央で仕切り部材２９００により左キャビティ２９０２と右キャビティ２９０３の２分割に仕切り、各仕切られたそれぞれ２つのキャビティから突設した先端から音を放出する筒状の音導管を備え、左キャビティの音導管２９０４に左用音導チューブ２９０５を接続し、右キャビティの音導管２９０６に右用音導チューブ２９０７を接続し、更に左用音導チューブ２９０５を左第１音導チューブ２９０８と左第２音導チューブ２９０９の２本に分岐し、同様に右耳用音導チューブ２９０７を右第１音導チューブ２９１０と右第２音導チューブ２９１１の２本に分岐して、分岐されたそれぞれの音導チューブの先端部分を、左第１音導チューブ２９０８は左の前後音イヤーピース２９１２の第１音導管２９１４と接続し、右第１音導チューブ２９１０は右の前後音イヤーピース２９１３の第１音導管２９１５と接続し、左第２音導チューブ２９０９は右の前後音イヤーピースの第２音導管２９１７とに接続し、右第２音導チューブ２９１１は左の前後音イヤーピースの第２音導管２９１６と接続する。左第２音導チューブを左第１音導チューブ２９０８より長くするため一部をコイルの形状とし、同様に右第２音導チューブ２９１１を右第１音導チューブ２９１０より長くするため一部をコイルの形状としている。
【０１０２】
（第１２の実施形態）
図３０に上下左右聴診器の概略斜視図を示す。上下前後音イヤーピースを使用し、かつ４分割４５チェストピースを使用し、第１キャビティ３０７１の音導管３０６１に接続した音導チューブ３０４１を左上方音分枝音導チューブ３０３１と右上方音分枝音導チューブ３０２１の２つに分岐させ、左上方音分枝音導チューブ３０３１は左の上下前後音イヤーピースの第１音導管３０１１と接続し、右上方音分枝音導チューブ３０２１は右の上下前後音イヤーピースの第１音導管３００１と接続し、第３キャビティ３０７３の音導管３０６３に接続した音導チューブ３０４３を左下方音分枝音導チューブ３０３３と右下方音分枝音導チューブ３０２３の２つに分岐させ、左下方音分枝音導チューブ３０３３は左の上下前後音イヤーピースの第３音導管３０１３と接続し、右下方音分枝音導チューブ３０２３は右の上下前後音イヤーピースの第３音導管３００３と接続し、第４キャビティ３０７７の音導管３０６７に接続した音導チューブ３０５７は右分枝音導チューブ１の３０２２と右分枝音導チューブ２の３０３４の２本に分岐させ、同様に第２キャビティ３０７６の音導管３０６６に接続した音導チューブ３０５６も左分枝音導チューブ１の３０３２と左分枝音導チューブ２の３０２４の２本に分岐させ、それぞれ右分枝音導チューブ１は右の上下前後音イヤーピースの第２音導管に接続し、左分枝音導チューブ１は左の上下前後音イヤーピースの第２音導管に接続し、右分枝音導チューブ２は左の上下前後音イヤーピースの第４音導管３０１４に接続し、左分枝音導チューブ２は右の上下前後音イヤーピースの第４音導管３００４に接続する。
更に右分枝音導チューブ２を右分枝音導チューブ１より長く、左分枝音導チューブ２を左分枝音導チューブ１よりも長くするため、右分枝音導チューブ２と左分枝音導チューブ２の一部をコイル形状として音の遅延効果を持たせている。
【手続補正書】
【提出日】平成23年12月12日(2011.12.12)
【手続補正１】
【補正対象書類名】特許請求の範囲
【補正対象項目名】全文
【補正方法】変更
【補正の内容】
【特許請求の範囲】
【請求項１】
外耳道に挿入して使用されるイヤーピースを備えたカナル型受話器において、
前記イヤーピースは、
略円筒状であって、その内部に前記受話器内の発音体ユニットから放射される音波を前記外耳道内に放出する音導管を含む筒状部を有するとともに、
該音導管を、前記イヤーピースの前記筒状部が前記外耳道内の所定の位置に装着された状態において、前記音波の方向音波放射軸が前記外耳道の壁（以下「外耳道壁」という。）の所定の位置に向くように構成することにより、
前記音導管から放射された音波を、前記外耳道壁の一部に反射させて鼓膜へ到達させることを特徴とするカナル型受話器。
【請求項２】
前記発音体ユニットのハウジングの前面に突設した先端から音を放出する略筒状のハウジング音導管を前記イヤーピース内の音導管としたことを特徴とする請求項１に記載のカナル型受話器。
【請求項３】
前記音導管の方向音波放射軸が、前記外耳道内の前頭部側の側壁に向くように構成されていることを特徴とする請求項１又は２に記載のカナル型受話器。
【請求項４】
さらに、前記イヤーピース内に備えた第２の音導管と、該第２の音導管に音波を放射する第２の発音体ユニットとを備え、該第２の音導管の方向音波放射軸が前記外耳道内の後頭部側の側壁に向くように構成されていることを特徴とする請求項３に記載のカナル型受話器。
【請求項５】
請求項１に記載の音導管を複数本有するイヤーピースと、前記各音導管にそれぞれ接続された複数の発音体ユニットを備えたカナル型受話器であって、
前記各音導管の方向音波放射軸が前記外耳道内においてそれぞれ異なる向きなるように構成されていることを特徴とするカナル型受話器。
【請求項６】
前記音導管のうちの最短の音導管と、該音導管に接続された発音体ユニットとから成る音導管発音体を直接音用とし、前記最短の音導管の方向音波放射軸が前記外耳道内の前頭部側の側壁に向くように構成するとともに、前記直接音用の音導管発音体以外の音導管発音体をすべて間接音用とし、該間接音用の音導管発音体の方向音波放射軸を前頭部側の側壁以外のそれぞれ異なる外耳道壁部位へ向けたことを特徴とする請求項５に記載のカナル型受話器。
【請求項７】
カナル型受話器に使用されるイヤーピースであって、該イヤーピースは、
略円筒状であって、その内部に音導管を備えた筒状部を有するとともに、
前記音導管は、前記筒状部が前記外耳道内の所定の位置に装着された状態において、前記音波の方向音波放射軸が前記外耳道壁の所定の位置に向くように構成されることにより、前記音導管から放射された音波を、前記外耳道壁の一部に反射させて鼓膜へ到達させることを特徴とする請求項１に記載のカナル型受話器に使用されるイヤーピース。
【請求項８】
前記音導管の方向音波放射軸が、前記外耳道内の前頭部側の側壁に向くように構成されていることを特徴とする請求項７に記載のイヤーピース。
【請求項９】
さらに第２の音導管を備え、該第２の音導管の方向音波放射軸が前記外耳道内の後頭部側の側壁に向くように構成されていることを特徴とする請求項８に記載のイヤーピース。
【請求項１０】
さらに第２及び第３の音導管を備え、該第２の音導管の方向音波放射軸が前記外耳道内の上方の側壁に向き、前記第３の音導管の方向音波放射軸が前記外耳道内の下方の側壁に向くように構成されていることを特徴とする請求項８に記載のイヤーピース。
【請求項１１】
さらに第３及び第４の音導管を備え、該第３の音導管の方向音波放射軸が前記外耳道内の上方の側壁に向き、前記第４の音導管の方向音波放射軸が前記外耳道内の下方の側壁に向くように構成されていることを特徴とする請求項９に記載のイヤーピース。
【請求項１２】
前記音導管をＮ本（Ｎは２以上の自然数）備え、前記音導管のうち最短の長さの音導管の方向音波放射軸が前記外耳道内の前頭部側の側壁に向くように構成されていることを特徴とする請求項７に記載のイヤーピース。
【請求項１３】
前記音導管のうち前記発音体ユニットのハウジング音導管に接続される部分を主音導管とし、前記主音導管を除いた部分を複数の分枝音導管に分岐した多分岐音導管とし、前記多分岐音導管の全ての分枝音導管の方向音波放射軸が前記外耳道壁の所定の位置に向くように構成されていることを特徴とする請求項７に記載のイヤーピース。
【請求項１４】
前記多分岐音導管に含まれる分枝音導管のうち最短の分枝音導管の方向音波放射軸が前記外耳道内の前頭部側の側壁に向くように構成されていることを特徴とする請求項１３に記載のイヤーピース。
【請求項１５】
前記多分岐音導管に含まれる分枝音導管のうち最短の分枝音導管を除く音導管の一部又は全部の方向音波放射軸が前記外耳道内の後頭部側の側壁に向くように構成されていることを特徴とする請求項１４に記載のイヤーピース。
【請求項１６】
前記音導管の音波放射口近傍の内側面の一部に、前記音波を拡散又は反射させる機能を持つ音波反射拡散器を備えたことを特徴とする請求項７に記載のイヤーピース。
【請求項１７】
前記音導管を、イヤーピース先端の音波放射口に向かって次第に径が広がるホーン形状としたことを特徴とする請求項７に記載のイヤーピース。
【請求項１８】
前記音導管の音波放射口の管状部の一部を延出させて支片部を形成し、該支片部を前記音波を拡散又は反射させる機能を持つ音波反射拡散器としたことを特徴とする請求項７に記載のイヤーピース。
【請求項１９】
請求項１３の多分岐音導管の主音導管に発音体ユニットを接続して成る多音波放射軸発音体ユニットを備えたことを特徴とするカナル型受話器。
【請求項２０】
前記多分岐音導管に含まれる分枝音導管のうち最短の分枝音導管の方向音波放射軸が前記外耳道内の前頭部側の側壁に向くように構成されていることを特徴とする請求項１９に記載のカナル型受話器。
【請求項２１】
さらに第２の多音波放射軸発音体ユニットを備え、該第２の多音波放射軸発音体ユニットの多分岐音導管に含まれる分枝音導管のうち最短の分枝音導管の方向音波放射軸が前記外耳道内の後頭部側の側壁に向くように構成されていることを特徴とする請求項２０に記載のカナル型受話器。
【請求項２２】
チェストピース部と該チェストピース部に接続した音導チューブと、該音導チューブを左耳用音導チューブと右耳用音導チューブとの２本に分岐し、該分岐した２本の音導チューブの先端部分にそれぞれ接続されたイヤーピースを備えた聴診器において、
前記イヤーピースが請求項７又は８に記載のイヤーピースであることを特徴とする聴診器。
【請求項２３】
振動膜によって閉塞された収音部を形成するキャビティを中央で左右２分割に仕切る仕切り壁と、該仕切られたそれぞれ２つのキャビティから突設した先端から音を放出する筒状の音導管とを備えたチェストピースと、該チェストピース部の前記左右の音導管に接続された左右の音導チューブと、該左右の各音導チューブの先端部分にそれぞれ接続された左耳用及び右耳用のイヤーピースを備えたステレオ聴診器において、
前記イヤーピースが請求項７、８、１４及び１５のいずれかに記載のイヤーピースであることを特徴とするステレオ聴診器。
【請求項２４】
振動膜によって閉塞された収音部を形成するキャビティを中央で左右２分割に仕切る仕切り壁と、該仕切られたそれぞれ２つのキャビティから突設した先端から音を放出する筒状の音導管とを備えたチェストピースと、該チェストピース部の前記左右の音導管に接続された左右の音導チューブと、該左右の各音導チューブの先端部分にそれぞれ接続された左耳用及び右耳用のイヤーピースを備えたステレオ聴診器において、
前記左右のイヤーピースは、請求項９に記載のイヤーピースであって、
前記左の音導チューブは更に左前用音導チューブと左後用音導チューブに分岐され、かつ、前記右の音導チューブは更に右前用音導チューブと右後用音導チューブに分岐されるとともに、
前記左前用音導チューブが、前記左耳用のイヤーピースの音導管のうち、その方向音波放射軸が前記外耳道内の前頭部側の側壁に向いている音導管に接続され、前記左後用音導チューブが、前記右耳用のイヤーピースの音導管のうち、その方向音波放射軸が前記外耳道内の後頭部側の側壁に向いている音導管に接続され、さらに、
前記右前用音導チューブが、前記右耳用のイヤーピースの音導管のうち、その方向音波放射軸が前記外耳道内の前頭部側の側壁に向いている音導管に接続され、前記右後用音導チューブが、前記左耳用のイヤーピースの音導管のうち、その方向音波放射軸が前記外耳道内の後頭部側の側壁に向いている音導管に接続されることを特徴とするステレオ聴診器。
【請求項２５】
振動膜によって閉塞された収音部を形成するキャビティを中央で左右２分割に仕切る仕切り壁と、該仕切られたそれぞれ２つのキャビティから突設した先端から音を放出する筒状の音導管とを備えたチェストピースと、該チェストピース部の前記左右の音導管に接続された左右の音導チューブと、該左右の各音導チューブにそれぞれ接続される左耳用及び右耳用のイヤーピースを備えたステレオ聴診器において、
前記左右のイヤーピースは、請求項１２（Ｎ＝２の場合）に記載のイヤーピースであって、
前記左の音導チューブは更に左前用音導チューブと左後用音導チューブに分岐され、かつ、前記右の音導チューブは更に右前用音導チューブと右後用音導チューブに分岐されるとともに、
前記左前用音導チューブが、前記左耳用のイヤーピースの音導管のうちの短い方の音導管に接続され、かつ、前記右前用音導チューブが、前記右耳用のイヤーピースの音導管のうちの短い方の音導管に接続され、さらに、前記左後用音導チューブが、前記右耳用のイヤーピースの音導管のうち長い方の音導管に接続され、かつ、前記右後用音導チューブが、前記左耳用のイヤーピースの音導管のうちの長い方の音導管に接続されることを特徴とするステレオ聴診器。
【請求項２６】
振動膜によって閉塞された収音部を形成するキャビティを中央で左右２分割に仕切る仕切り壁と、該仕切られたそれぞれ２つのキャビティから突設した先端から音を放出する筒状の音導管とを備えたチェストピースと、該チェストピース部の前記左右の音導管に接続された左右の音導チューブと、該左右の各音導チューブにそれぞれ接続される左耳用及び右耳用のイヤーピースを備えたステレオ聴診器において、
前記左右のイヤーピースは、請求項１２（Ｎ＝２の場合）に記載のイヤーピースであって、
前記左の音導チューブは更に左前用音導チューブと左後用音導チューブに分岐され、かつ、前記右の音導チューブは更に右前用音導チューブと右後用音導チューブに分岐されるとともに、
前記左前用音導チューブが、前記左耳用のイヤーピースの音導管のうちの短い方の音導管に接続され、かつ、前記右前用音導チューブが、前記右耳用のイヤーピースの音導管のうちの短い方の音導管に接続され、さらに、前記左後用音導チューブが、前記左耳用のイヤーピースの音導管のうち長い方の音導管に接続され、かつ、前記右後用音導チューブが、前記右耳用のイヤーピースの音導管のうちの長い方の音導管に接続されることを特徴とするステレオ聴診器。
【請求項２７】
振動膜によって閉塞された収音部を形成するキャビティを上下左右（振動膜の側から見た場合に、時計回りに上、右、下、左の順に並んでいるものとする。以下同じ）に４分割に仕切る仕切り壁と、該仕切られた上下左右の４つの各キャビティから突設した先端から音を放出する筒状の４本の音導管とを備えたチェストピースと、該チェストピース部の前記上下左右の各音導管に接続された４本の音導チューブと、該各音導チューブにそれぞれ接続される左耳用及び右耳用のイヤーピースを備えたステレオ聴診器において、
前記左右のイヤーピースは、請求項１０に記載のイヤーピースであって、
前記上のキャビティの音導チューブは２本に分岐されてそれぞれ前記左右のイヤーピースの第２の音導管に接続され、前記下のキャビティの音導チューブは２本に分岐されてそれぞれ前記左右のイヤーピースの第３の音導管に接続されるとともに、
前記左のキャビティの音導チューブは前記左用のイヤーピースの第１の音導管に接続され、前記右のキャビティの音導チューブは前記右用のイヤーピースの第１の音導管に接続されることを特徴とするステレオ聴診器。
【請求項２８】
振動膜によって閉塞された収音部を形成するキャビティを上下左右に４分割に仕切る仕切り壁と、該仕切られた上下左右の４つの各キャビティから突設した先端から音を放出する筒状の４本の音導管とを備えたチェストピースと、該チェストピース部の前記上下左右の各音導管に接続された４本の音導チューブと、該各音導チューブにそれぞれ接続される左耳用及び右耳用のイヤーピースを備えたステレオ聴診器において、
前記左右のイヤーピースは、請求項１１に記載のイヤーピースであって、
前記上のキャビティの音導チューブは２本に分岐されてそれぞれ前記左右のイヤーピースの第３の音導管に接続され、かつ、前記下のキャビティの音導チューブは２本に分岐されてそれぞれ前記左右のイヤーピースの第４の音導管に接続されるとともに、
前記右のキャビティの音導チューブは２本に分岐され、長くない方の分枝チューブは前記右用のイヤーピースの第１の音導管に接続され、他方の分枝チューブは前記左用の第２の音導管に接続され、さらに、
前記左のキャビティの音導チューブは２本に分岐され、長くない方の分枝チューブは前記左用のイヤーピースの第１の音導管に接続され、他方の分枝チューブは前記右用の第２の音導管に接続されることを特徴とするステレオ聴診器。
【請求項２９】
前記右のキャビティの音導チューブは２本に分岐され、長くない方の分枝チューブは前記右用のイヤーピースの第１の音導管に接続され、他方の分枝チューブは前記右用の第２の音導管に接続され、さらに、
前記左のキャビティの音導チューブは２本に分岐され、長くない方の分枝チューブは前記左用のイヤーピースの第１の音導管に接続され、他方の分枝チューブは前記左用の第２の音導管に接続されることを特徴とする請求項２８に記載のステレオ聴診器。
【請求項３０】
内部に収音マイクを備えたチェストピース部と、
該収音マイクからの電気信号を増幅する増幅器、電池及び電源スイッチを少なくとも備える本体部と、
前記増幅された電気信号により駆動され前記電気信号を音波に変換する発音体ユニットを備えた左右の一対のカナル型受話器とを備え、前記チェストピース部と前記本体部の間、前記本体部と前記カナル型受話器の間がそれぞれ信号線によって接続されて成る電子聴診器において、
前記カナル型受話器が、請求項1乃至３のいずれかに記載のカナル型受話器であることを特徴とする電子聴診器。
【請求項３１】
内部に収音マイクを備えたチェストピース部と、
該収音マイクからの電気信号を増幅する増幅器、該増幅された電気信号を所定時間遅延させる遅延処理装置、電池及び電源スイッチを少なくとも備える本体部と、
前記増幅された電気信号により駆動され、前記電気信号を音波に変換する発音体ユニットを備えた左右の一対のカナル型受話器とを備え、前記チェストピース部と前記本体部の間、前記本体部と前記カナル型受話器の間がそれぞれ信号線によって接続されて成る電子聴診器において、
前記カナル型受話器が、請求項４に記載のカナル型受話器であって、
前記左右のカナル型受話器の第１の発音体ユニットが、前記増幅され、かつ遅延処理がされていない電気信号によって駆動され、
前記左右のカナル型受話器の第２の発音体ユニットが、前記増幅され、かつ遅延処理がなされた電気信号によって駆動されることを特徴とする電子聴診器。
【請求項３２】
振動膜によって閉塞された収音部を形成するキャビティを中央で左右２分割に仕切り、各仕切られた左右のキャビティ内にそれぞれ収音マイクが配設されたチェストピース部と、
前記左右の各収音マイクからの電気信号を増幅する増幅器、電池及び電源スイッチを少なくとも備える本体部と、
前記増幅された電気信号により駆動され、前記電気信号を音波に変換する発音体ユニットを備えた左右の一対のカナル型受話器とを備え、前記チェストピース部と前記本体部の間、前記本体部と前記カナル型受話器の間がそれぞれ信号線によって接続されて成るステレオ電子聴診器において、
前記カナル型受話器が請求項３に記載のカナル型受話器であって、
前記右の収音マイクからの電気信号によって前記右用のカナル型受話器の発音体ユニットが駆動され、前記左の収音マイクからの電気信号によって前記左用のカナル型受話器の発音体ユニットが駆動されることを特徴とするステレオ電子聴診器。
【請求項３３】
振動膜によって閉塞された収音部を形成するキャビティを中央で左右２分割に仕切り、各仕切られた左右のキャビティ内にそれぞれ収音マイクが配設されたチェストピース部と、
該収音マイクからの電気信号を増幅する増幅器、該増幅された電気信号を所定時間遅延させる遅延処理装置、電池及び電源スイッチを少なくとも備える本体部と、
前記増幅された電気信号により駆動され、前記電気信号を音波に変換する発音体ユニットを備えた左右の一対のカナル型受話器とを備え、前記チェストピース部と前記本体部の間、前記本体部と前記カナル型受話器の間がそれぞれ信号線によって接続されて成るステレオ電子聴診器において、
前記カナル型受話器が、請求項４に記載のカナル型受話器であって、
前記左用のカナル型受話器の第１の発音体ユニットが、前記増幅され、かつ遅延処理がされていない前記左の収音マイクからの電気信号によって駆動され、
前記右用のカナル型受話器の第１の発音体ユニットが、前記増幅され、かつ遅延処理がされていない前記右の収音マイクからの電気信号によって駆動され、
前記左用のカナル型受話器の第２の発音体ユニットが、前記増幅され、かつ遅延処理がなされた前記右又は左の収音マイクからの電気信号によって駆動され、
前記右用のカナル型受話器の第２の発音体ユニットが、前記増幅され、かつ遅延処理がなされた前記左又は右の収音マイクからの電気信号によって駆動されることを特徴とするステレオ電子聴診器。
【請求項３４】
振動膜によって閉塞された収音部を形成するキャビティを上下左右に４分割に仕切る仕切り壁と、該仕切られた上下左右の４つの各キャビティ内にそれぞれ収音マイクが配設されたチェストピース部と、
前記各収音マイクからの電気信号を増幅する増幅器、電池及び電源スイッチを少なくとも備える本体部と、
前記増幅された電気信号により駆動され、前記電気信号を音波に変換する発音体ユニットを備えた左右の一対のカナル型受話器とを備え、前記チェストピース部と前記本体部の間、前記本体部と前記カナル型受話器の間がそれぞれ信号線によって接続されて成るステレオ電子聴診器において、
前記各カナル型受話器が、請求項５に記載のカナル型受話器（発音体ユニットが２個の場合）であって、かつ、外耳道内に装着された状態で前記第１の音導管の方向音波放射軸が外耳道の前頭部側の側壁に向けてかつ横断面と矢状面と冠状面に対して略４５度で斜め上側面に向き、前記第２の音導管の方向音波放射軸が外耳道の前頭部側の側壁に向けてかつ横断面と矢状面と冠状面に対して略４５度で斜め下側面に向くように構成され、
前記左用のカナル型受話器の第１の発音体ユニットが、前記上側のキャビティの収音マイクからの電気信号によって駆動され、
前記左用のカナル型受話器の第２の発音体ユニットが、前記左側のキャビティの収音マイクからの電気信号によって駆動され、
前記右用のカナル型受話器の第１の発音体ユニットが、前記下側のキャビティの収音マイクからの電気信号によって駆動され、
前記右用のカナル型受話器の第２の発音体ユニットが、前記右側のキャビティの収音マイクからの電気信号によって駆動されることを特徴とするステレオ電子聴診器。
【請求項３５】
振動膜によって閉塞された収音部を形成するキャビティを上下左右に４分割に仕切る仕切り壁と、該仕切られた上下左右の４つの各キャビティ内にそれぞれ収音マイクが配設されたチェストピース部と、
前記各収音マイクからの電気信号を増幅する増幅器、電池及び電源スイッチを少なくとも備える本体部と、
前記増幅された電気信号により駆動され、前記電気信号を音波に変換する発音体ユニットを備えた左右の一対のカナル型受話器とを備え、前記チェストピース部と前記本体部の間、前記本体部と前記カナル型受話器の間がそれぞれ信号線によって接続されて成るステレオ電子聴診器において、
前記各カナル型受話器が、請求項１０に記載のイヤーピースの各音導管にそれぞれ発音体ユニットが接続されて成るカナル型受話器であって、
前記左用のカナル型受話器の第１の発音体ユニットが、前記左側のキャビティの収音マイクからの電気信号によって駆動され、
前記右用のカナル型受話器の第１の発音体ユニットが、前記右側のキャビティの収音マイクからの電気信号によって駆動され、
前記左用及び右用のカナル型受話器の第２の発音体ユニットが、前記上側のキャビティの収音マイクからの電気信号によってそれぞれ駆動され、
前記左用及び右用のカナル型受話器の第３の発音体ユニットが、前記下側のキャビティの収音マイクからの電気信号によってそれぞれ駆動されることを特徴とするステレオ電子聴診器。
【請求項３６】
振動膜によって閉塞された収音部を形成するキャビティを上下左右に４分割に仕切る仕切り壁と、該仕切られた上下左右の４つの各キャビティ内にそれぞれ収音マイクが配設されたチェストピース部と、
前記各収音マイクからの電気信号を増幅する増幅器、該増幅された電気信号を所定時間遅延させる遅延処理装置、電池及び電源スイッチを少なくとも備える本体部と、
前記増幅された電気信号により駆動され、前記電気信号を音波に変換する発音体ユニットを備えた左右の一対のカナル型受話器とを備え、前記チェストピース部と前記本体部の間、前記本体部と前記カナル型受話器の間がそれぞれ信号線によって接続されて成るステレオ電子聴診器において、
前記各カナル型受話器が、請求項１１に記載のイヤーピースの各音導管にそれぞれ発音体ユニットが接続されて成るカナル型受話器であって、
前記左用のカナル型受話器の第１の発音体ユニットが、前記増幅され、かつ遅延処理がされていない前記左の収音マイクからの電気信号によって駆動され、
前記右用のカナル型受話器の第１の発音体ユニットが、前記増幅され、かつ遅延処理がされていない前記右の収音マイクからの電気信号によって駆動され、
前記左用のカナル型受話器の第２の発音体ユニットが、前記増幅され、かつ遅延処理がなされた前記右の収音マイクからの電気信号によって駆動され、
前記右用のカナル型受話器の第２の発音体ユニットが、前記増幅され、かつ遅延処理がなされた前記左の収音マイクからの電気信号によって駆動され、
前記左用及び右用のカナル型受話器の第３の発音体ユニットが、前記増幅され、かつ遅延処理がされていない前記上の収音マイクからの電気信号によって駆動され、
前記左用及び右用のカナル型受話器の第４の発音体ユニットが、前記増幅され、かつ遅延処理がされていない前記下の収音マイクからの電気信号によって駆動されることを特徴とするステレオ電子聴診器。
【請求項３７】
使用者の前方からの音を集音する前方マイク及び後方からの音を集音する後方マイクと、
前記各マイクからの音声信号を少なくとも増幅し出力する補聴処理手段と、
前記補聴処理手段の出力信号によって駆動され、前記音声信号を音波に変換する発音体ユニットを有する受話器とを備え、該受話器のイヤーピースを外耳道に挿入して使用する補聴器であって、
前記受話器が請求項４に記載のカナル型受話器であり、
前記カナル型受話器の第１発音体ユニットが、前記補聴処理された前記前方マイクからの音声信号によって駆動され、
前記カナル型受話器の第２発音体ユニットが、前記補聴処理された前記後方マイクからの音声信号によって駆動されることを特徴とする補聴器。
【請求項３８】
イヤーピースを外耳道に挿入し、筐体を耳輪後方に装着して使用する耳掛式補聴器であって、
前記筐体内あるいはその上部あるいはその近傍に、集音軸を矢状面に対して０度より大きくかつ９０度より小さな角度で配設した前方マイクと、集音軸を矢状面に対して９０度より多くかつ１８０度より小さい角度で配設した後方マイクとを備え、さらに、
前記筐体内に、前記前方マイクの出力信号を補聴処理する補聴処理手段１と、前記後方マイクの出力信号を補聴処理する補聴処理手段２と、前記補聴処理された前方マイクの出力信号を音波に変換する前方発音体ユニットと、前記補聴処理された後方マイクの出力信号を音波に変換する後方発音体ユニットとを備え、
前記イヤーピースが請求項９に記載のイヤーピースであり、
前記前方発音体ユニットを前記イヤーピースの第１の音導管とを音導チューブ１で接続し、前記後方発音体ユニットを前記イヤーピースの第２の音導管とを音導チューブ２接続したことを特徴とする耳掛式補聴器。
【請求項３９】
受話器のイヤーピースを外耳道に挿入し、筐体を耳輪後方に装着して使用する耳掛式補聴器であって、
前記筐体内あるいはその上部あるいはその近傍に、集音軸を矢状面に対して０度より大きくかつ９０度より小さな角度で配設した前方マイクと、集音軸を矢状面に対して９０度より多くかつ１８０度より小さい角度で配設した後方マイクとを備え、さらに、
前記筐体内に、前記前方マイクの出力信号を補聴処理する補聴処理手段１と、前記後方マイクの出力信号を補聴処理する補聴処理手段２と備え、
前記受話器が請求項４に記載のカナル型受話器であり、
前記補聴処理手段１と前記カナル型受話器の第１の発音体ユニットとを信号線で接続して、前記補聴処理手段１の出力信号で前記第１の発音体ユニットを駆動し、
前記補聴処理手段２と前記カナル型受話器の第２の発音体ユニットとを信号線で接続して、前記補聴処理手段２の出力信号で前記第２の発音体ユニットを駆動することを特徴とする耳掛式補聴器。
【請求項４０】
耳穴式補聴器であって、前方発音体ユニットと後方発音体ユニットとをケース内に備え、前記ケースより耳甲介中央から対輪方向へ延出した支片部を形成し、該支片部に前方マイクのマイク集音軸を矢状面に対して０度より大きく９０度より小さい範囲内の角度で配設し、後方マイクの集音軸を前記矢状面に対して９０度より大きく１８０度より小さい範囲内の角度で配設し、かつ耳珠対対珠対輪稜線面を通過するよう該支片部に配置するかあるいは前記ケースに配置し、前記前方マイクの出力信号を補聴処理する補聴処理手段１と前記後方マイクの出力信号を補聴処理する補聴処理手段２と電池とを備え、前記補聴処理手段１の出力信号で前記前方発音体ユニットを駆動し、前記補聴処理手段２の出力信号で前記後方発音体ユニットを駆動し、外耳道内に挿入される前記ケースの先端の音波放射口から、前記前方発音体ユニットの方向音波放射軸は外耳道壁の前頭部側に向けて音波を放射するように配設し、前記後方発音体ユニットの方向音波放射軸は前記外耳道壁の後頭部側に向けて音波を放射するように配設し、前記放射された各音波を、前記外耳道壁の一部に反射させて鼓膜へ到達させることを特徴とする耳穴式補聴器。
【請求項４１】
前記前方マイクのマイク集音軸を耳甲介中央近傍から対輪方向に向けて、かつ前記耳珠対対珠対輪稜線面を通過しないように前記ケースに配置したことを特徴とする請求項４０に記載の耳穴式補聴器。
【請求項４２】
ディープカナル型補聴器であって、前方発音体ユニットと後方発音体ユニットとをケース内に備え、前方マイクは前方マイク集音軸を耳珠内側面または耳甲介中央近傍から対輪までの耳甲介の領域方向に向けてかつ耳珠対対珠対輪稜線面を通過しないようにケースに配置し、後方マイクは後方マイク集音軸を矢状面に対して９０度より大きく１８０度より小さい範囲内の角度でかつ耳珠対対珠対輪稜線面を通過する方向に配置するか、あるいは前記後方マイク集音軸が耳珠基底部から外耳道口周囲に連なる部位に向くようにケースに配置し、前記前方マイクの出力信号を補聴処理する補聴処理手段１と前記後方マイクの出力信号を補聴処理する補聴処理手段２と電池とを備え、前記補聴処理手段１の出力信号で前記前方発音体ユニットを駆動し、前記補聴処理手段２の出力信号で前記後方発音体ユニットを駆動し、外耳道内に挿入される前記ケースの先端の音波放射口から、前記前方発音体ユニットの方向音波放射軸は外耳道壁の前頭部側に向けて音波を放射するように配設し、前記後方発音体ユニットの方向音波放射軸は前記外耳道壁の後頭部側に向けて音波を放射するように配設し、前記放射された各音波を、前記外耳道壁の一部に反射させて鼓膜へ到達させることを特徴とするディープカナル型補聴器。